(57)【要約】【課題】  本発明は非免許帯域を支援する無線接続システムに関し、特に、ＤＲＳを構成する方法、そのためのサブフレーム再設定方法、ＤＲＳを送信する方法及びこれを支援する装置を提供する。【解決手段】本発明の一実施例であって、非免許帯域を支援する無線接続システムにおいて基地局がディスカバリ参照信号（ＤＲＳ）を送信する方法は、非免許帯域に構成される非免許帯域セル（Ｕセル）で送信されるＤＲＳを構成するステップと、構成したＤＲＳをＤＲＳ機会で送信するステップとを含み、ＤＲＳは、プライマリ同期信号（ＰＳＳ）、セカンダリ同期信号（ＳＳＳ）及びセル特定参照信号（ＣＲＳ）を含み、ＤＲＳ機会が発生したサブフレーム（ＳＦ）のＳＦ番号に基づいてＳＳＳを生成し、ＳＦ番号がＳＦ番号０〜４である場合、ＳＳＳは、ＳＦ番号０に該当するシーケンスに基づいて生成され、ＳＦ番号がＳＦ番号５〜９である場合、ＳＳＳは、ＳＦ番号５に該当するシーケンスに基づいて生成され得る。【選択図】  図３４
2019198125.tif 000002
【特許請求の範囲】
【請求項１】
非免許帯域を支援する無線接続システムにおいて基地局がディスカバリ参照信号（ＤＲＳ）を送信する方法であって、
上記非免許帯域に構成される非免許帯域セル（Ｕセル）で送信される上記ＤＲＳを構成するステップと、
上記構成したＤＲＳをＤＲＳ機会で送信するステップと、
を含み、
上記ＤＲＳは、プライマリ同期信号（ＰＳＳ）、セカンダリ同期信号（ＳＳＳ）及びセル特定参照信号（ＣＲＳ）を含み、
上記ＤＲＳ機会が発生したサブフレーム（ＳＦ）のＳＦ番号に基づいて上記ＳＳＳを生成し、
上記ＳＦ番号がＳＦ番号０〜４である場合、上記ＳＳＳは、ＳＦ番号０に該当するシーケンスに基づいて生成され、
上記ＳＦ番号がＳＦ番号５〜９である場合、上記ＳＳＳは、ＳＦ番号５に該当するシーケンスに基づいて生成される、ＤＲＳ伝送方法。
【請求項２】
上記ＤＲＳを送信する前に、上記Ｕセルが遊休状態であるか否かを確認するためのチャネルセンシング過程を行うステップをさらに含む、請求項１に記載のＤＲＳ伝送方法。
【請求項３】
上記ＣＲＳが送信されるＳＦのＳＦ番号がＳＦ番号０〜４である場合、上記ＣＲＳは、ＳＦ番号０に該当するシーケンスに基づいて生成され、
上記ＣＲＳが送信されるＳＦのＳＦ番号がＳＦ番号５〜９である場合、上記ＣＳＲは、ＳＦ番号５に該当するシーケンスに基づいて生成される、請求項１に記載のＤＲＳ伝送方法。
【請求項４】
上記ＤＲＳは、ＳＦ番号０又は５でのみ物理下りリンク共有チャネル（ＰＤＳＣＨ）と共に送信される、請求項１に記載のＤＲＳ伝送方法。
【請求項５】
上記ＤＲＳは、チャネル状態情報−参照信号（ＣＳＩ−ＲＳ）をさらに含んで構成される、請求項１に記載のＤＲＳ伝送方法。
【請求項６】
非免許帯域を支援する無線接続システムにおいてディスカバリ参照信号（ＤＲＳ）を送信する基地局は、
送信器と、
上記ＤＲＳを構成するためのプロセッサと、
を含み、
上記プロセッサは、
上記非免許帯域に構成される非免許帯域セル（Ｕセル）で送信される上記ＤＲＳを構成し、
上記構成したＤＲＳをＤＲＳ機会で上記送信器を制御して送信するように構成され、
上記ＤＲＳは、プライマリ同期信号（ＰＳＳ）、セカンダリ同期信号（ＳＳＳ）及びセル特定参照信号（ＣＲＳ）を含み、
上記ＤＲＳ機会が発生したサブフレーム（ＳＦ）のＳＦ番号に基づいて上記ＳＳＳを生成し、
上記ＳＦ番号がＳＦ番号０〜４である場合、上記ＳＳＳは、ＳＦ番号０に該当するシーケンスに基づいて生成され、
上記ＳＦ番号がＳＦ番号５〜９である場合、上記ＳＳＳは、ＳＦ番号５に該当するシーケンスに基づいて生成される、基地局。
【請求項７】
上記プロセッサは、さらに、上記ＤＲＳを送信する前に上記Ｕセルが遊休状態であるか否かを確認するためのチャネルセンシング過程を行うように構成される、請求項６に記載の基地局。
【請求項８】
上記ＣＲＳが送信されるＳＦのＳＦ番号がＳＦ番号０〜４である場合、上記ＣＲＳは、ＳＦ番号０に該当するシーケンスに基づいて生成され、
上記ＣＲＳが送信されるＳＦのＳＦ番号がＳＦ番号５〜９である場合、上記ＣＳＲは、ＳＦ番号５に該当するシーケンスに基づいて生成される、請求項６に記載の基地局。
【請求項９】
上記ＤＲＳは、ＳＦ番号０又は５でのみ物理下りリンク共有チャネル（ＰＤＳＣＨ）と共に送信される、請求項６に記載の基地局。
【請求項１０】
上記ＤＲＳは、チャネル状態情報−参照信号（ＣＳＩ−ＲＳ）をさらに含んで構成される、請求項６に記載の基地局。
【発明の詳細な説明】
【技術分野】
【０００１】
本発明は、非免許帯域を支援する無線接続システムに関し、特に、ディスカバリ参照信号（ＤＲＳ：Ｄｉｓｃｏｖｅｒｙ  Ｒｅｆｅｒｅｎｃｅ  Ｓｉｇｎａｌ）を構成する方法、そのためのサブフレーム再設定方法、ＤＲＳを送信する方法及びこれを支援する装置に関する。
【背景技術】
【０００２】
無線接続システムが音声やデータなどのような種々の通信サービスを提供するために広範囲に展開されている。一般に、無線接続システムは、可用のシステムリソース（帯域幅、送信電力など）を共有して多重ユーザとの通信を支援できる多元接続（ｍｕｌｔｉｐｌｅ  ａｃｃｅｓｓ）システムである。多元接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、非免許帯域を支援する無線接続システムにおいて効率的にデータを送受信する方法を提供することにある。
【０００４】
本発明の他の目的は、ＬＡＡ（Ｌｉｃｅｎｓｅｄ  Ａｓｓｉｓｔｅｄ  Ａｃｃｅｓｓ）システムで用いられるＤＲＳを構成して送信する方法を提供することにある。
【０００５】
本発明の更に他の目的は、ＬＡＡシステムにおいてＤＲＳを構成する信号を生成するためにＵセル（Ｕｎｌｉｃｅｎｓｅｄ  Ｃｅｌｌ）のサブフレーム番号を再設定する方法を提供することにある。
【０００６】
本発明の更に他の目的は、ＬＡＡシステムにおいてＤＲＳ機会がいつ発生するかに関する情報を提供することにある。
【０００７】
本発明の更に他の目的は、これらの方法を支援する装置を提供することにある。
【０００８】
本発明で達成しようとする技術的目的は以上で言及した事項に制限されず、言及しなかった他の技術的課題は以下で説明する本発明の実施例から本発明が属する技術分野で通常の知識を有する者によって考慮可能である。
【課題を解決するための手段】
【０００９】
本発明は、非免許帯域を支援する無線接続システムに関し、特に、ＤＲＳを構成する方法、そのためのサブフレーム再設定方法、ＤＲＳを送信する方法及びこれを支援する装置を提供する。
【００１０】
本発明の一態様であって、非免許帯域を支援する無線接続システムにおいて基地局がディスカバリ参照信号（ＤＲＳ）を送信する方法は、非免許帯域に構成される非免許帯域セ
ル（Ｕセル）で送信されるＤＲＳを構成するステップと、構成したＤＲＳをＤＲＳ機会で送信するステップとを含むことができ、ＤＲＳは、プライマリ同期信号（ＰＳＳ）、セカンダリ同期信号（ＳＳＳ）及びセル特定参照信号（ＣＲＳ）を含み、ＤＲＳ機会が発生したサブフレーム（ＳＦ）のＳＦ番号に基づいてＳＳＳを生成し、ＳＦ番号がＳＦ番号０〜４である場合、ＳＳＳは、ＳＦ番号０に該当するシーケンスに基づいて生成され、ＳＦ番号がＳＦ番号５〜９である場合、ＳＳＳは、ＳＦ番号５に該当するシーケンスに基づいて生成されてもよい。
【００１１】
上記方法は、ＤＲＳを送信する前に、Ｕセルが遊休状態であるか否かを確認するためのチャネルセンシング過程を行うステップをさらに含んでもよい。
【００１２】
本発明の他の態様であって、非免許帯域を支援する無線接続システムにおいてディスカバリ参照信号（ＤＲＳ）を送信する基地局は、送信器と、ＤＲＳを構成するためのプロセッサとを備えることができる。ここで、プロセッサは、非免許帯域に構成される非免許帯域セル（Ｕセル）で送信されるＤＲＳを構成し；構成したＤＲＳをＤＲＳ機会で送信器を制御して送信するように構成されてもよい。ここで、ＤＲＳはプライマリ同期信号（ＰＳＳ）、セカンダリ同期信号（ＳＳＳ）及びセル特定参照信号（ＣＲＳ）を含み、ＤＲＳ機会が発生したサブフレーム（ＳＦ）のＳＦ番号に基づいてＳＳＳを生成するが、ＳＦ番号がＳＦ番号０〜４である場合、ＳＳＳは、ＳＦ番号０に該当するシーケンスに基づいて生成され、ＳＦ番号がＳＦ番号５〜９である場合、ＳＳＳは、ＳＦ番号５に該当するシーケンスに基づいて生成されてもよい。
【００１３】
上記プロセッサはさらに、ＤＲＳを送信する前に、Ｕセルが遊休状態であるか否かを確認するためのチャネルセンシング過程を行うように構成されてもよい。
【００１４】
上記態様において、ＣＲＳが送信されるＳＦのＳＦ番号がＳＦ番号０〜４である場合、ＣＲＳは、ＳＦ番号０に該当するシーケンスに基づいて生成され、ＣＲＳが送信されるＳＦのＳＦ番号がＳＦ番号５〜９である場合、ＣＳＲは、ＳＦ番号５に該当するシーケンスに基づいて生成されてもよい。
【００１５】
ＤＲＳはＳＦ番号０又は５でのみ物理下りリンク共有チャネル（ＰＤＳＣＨ）と共に送信されてもよい。
【００１６】
ＤＲＳはチャネル状態情報−参照信号（ＣＳＩ−ＲＳ）をさらに含んで構成されてもよい。
【００１７】
上述した本発明の態様は本発明の好適な実施例の一部に過ぎなく、本発明の技術的特徴が反映された様々な実施例が、当該技術の分野における通常の知識を有する者によって、以下で詳述する本発明の詳細な説明から導出されて理解されるであろう。
【発明の効果】
【００１８】
本発明の実施例によれば次のような効果がある。
【００１９】
第一に、非免許帯域を支援する無線接続システムにおいて効率的にデータを送受信することができる。
【００２０】
第二に、競合ベースのＬＡＡシステムの特性に合わせてＤＲＳを構成して送信することができる。
【００２１】
第三に、ＬＡＡシステムのＵセルでサブフレームを再設定することによって、レガシー
システムである免許帯域で用いられるＤＲＳをＬＡＡシステムで活用することができる。
【００２２】
第四に、ＤＲＳ機会がいつ発生するかを端末に明示的又は暗黙的に知らせることによって、端末がＤＲＳ機会にＤＲＳを落とす（ｄｒｏｐ）確率を減らすことができる。
【００２３】
本発明の実施例で得られる効果は以上で言及した効果に制限されず、言及しなかった他の効果は以下の本発明の実施例についての記載から本発明が属する技術分野で通常の知識を有する者に明らかに導出されて理解できる。すなわち、本発明を実施することによる意図しない効果も本発明の実施例から当該技術分野の通常の知識を有する者によって導出できる。
【００２４】
本発明の理解を助けるために詳細な説明の一部として含まれる添付図面は、本発明に関する様々な実施例を提供する。また、添付図面は詳細な説明と共に本発明の実施形態を説明するために用いられる。
【図面の簡単な説明】
【００２５】
【図１】物理チャネル及びこれらを用いた信号送信方法を説明するための図である。
【図２】無線フレームの構造の一例を示す図である。
【図３】下りリンクスロットに対するリソースグリッド（ｒｅｓｏｕｒｃｅ  ｇｒｉｄ）を例示する図である。
【図４】上りリンクサブフレームの構造の一例を示す図である。
【図５】下りリンクサブフレームの構造の一例を示す図である。
【図６】一般循環前置の場合のＰＵＣＣＨフォーマット１ａ及び１ｂを示す図である。
【図７】拡張循環前置の場合のＰＵＣＣＨフォーマット１ａ及び１ｂを示す図である。
【図８】一般循環前置の場合のＰＵＣＣＨフォーマット２／２ａ／２ｂを示す図である。
【図９】拡張循環前置の場合のＰＵＣＣＨフォーマット２／２ａ／２ｂを示す図である。
【図１０】ＰＵＣＣＨフォーマット１ａ及び１ｂに対するＡＣＫ／ＮＡＣＫチャネル化（ｃｈａｎｎｅｌｉｚａｔｉｏｎ）を説明する図である。
【図１１】同じＰＲＢ内でＰＵＣＣＨフォーマット１ａ／１ｂとフォーマット２／２ａ／２ｂの混合された構造に対するチャネル化を示す図である。
【図１２】ＰＲＢ割当て方法を説明するための図である。
【図１３】本発明の実施例で使われるコンポーネントキャリア（ＣＣ）及びＬＴＥ＿Ａシステムで使われるキャリア併合の一例を示す図である。
【図１４】本発明の実施例で使われるクロスキャリアスケジューリングによるＬＴＥ−Ａシステムのサブフレーム構造を示す図である。
【図１５】本発明の実施例で使われるクロスキャリアスケジューリングによるサービングセル構成の一例を示す図である。
【図１６】ブロック拡散に基づく新ＰＵＣＣＨフォーマットの一例を示す図である。
【図１７】時間−周波数単位のリソースブロックが構成される一例を示す図である。
【図１８】非同期式ＨＡＲＱ方式のリソース割当て及び再送信方式の一例を示す図である。
【図１９】ＣＡ環境に基づいて動作するＣｏＭＰシステムの概念図である。
【図２０】本発明の実施例で使用可能なＵＥ−特定参照信号（ＵＥ−ＲＳ）が割り当てられたサブフレームの一例を示す図である。
【図２１】ＬＴＥ／ＬＴＥ−Ａシステムで使われるレガシーＰＤＣＣＨ（Ｌｅｇａｃｙ  ＰＤＣＣＨ）、ＰＤＳＣＨ及びＥ−ＰＤＣＣＨが多重化する一例を示す図である。
【図２２】ＬＴＥ−Ｕシステムで支援するＣＡ環境の一例を示す図である。
【図２３】ＬＢＴ過程の一つであるＦＢＥ動作の一例を示す図である。
【図２４】ＦＢＥ動作をブロック図で示した図である。
【図２５】ＬＢＴ過程の一つであるＬＢＥ動作の一例を示す図である。
【図２６】ＬＡＡシステムで支援するＤＲＳ伝送方法を説明するための図である。
【図２７】ＣＡＰ（Ｃｈａｎｎｅｌ  Ａｃｃｅｓｓ  Ｐｒｏｃｅｄｕｒｅ）及びＣＷＡ（Ｃｏｎｔｅｎｔｉｏｎ  Ｗｉｎｄｏｗ  Ａｄｊｕｓｔｍｅｎｔ）を説明するための図である。
【図２８】ＬＡＡシステムでＤＲＳを送信する方法を説明するための図である。
【図２９】ＤＲＳ伝送パターンの一例を説明するための図である。
【図３０】ＬＡＡシステムに適用可能なＤＲＳ伝送パターンを説明するための図である。
【図３１】ＬＡＡシステムに適用可能なＤＲＳ伝送パターンを説明するための他の図である。
【図３２】ＬＡＡシステムに適用可能なＤＲＳ伝送パターンを説明するための他の図である。
【図３３】ＬＡＡシステムに適用可能なＤＲＳ伝送パターンをＣＲＳ位置に関係なく設定する方法を説明するための図である。
【図３４】ＬＡＡシステムに適用可能なＤＲＳ伝送のためのサブフレーム番号を設定する方法を説明するための図である。
【図３５】ＬＡＡシステムに適用可能なＤＲＳ伝送方法の一例を示す図である。
【図３６】図１〜図３５で説明した方法を具現できる装置を示す図である。
【発明を実施するための形態】
【００２６】
以下に詳しく説明する本発明の実施例は、非免許帯域を支援する無線接続システムに関し、特に、ＤＲＳを構成する方法、そのためのサブフレーム再設定方法、ＤＲＳを送信する方法及びこれを支援する装置を提供する。
【００２７】
以下の実施例は、本発明の構成要素と特徴を所定の形態で結合したものである。各構成要素又は特徴は、別の明示的な言及がない限り、選択的なものとして考慮することができる。各構成要素又は特徴は、他の構成要素や特徴と結合しない形態で実施することができる。また、一部の構成要素及び／又は特徴を結合して本発明の実施例を構成することもできる。本発明の実施例で説明する動作の順序は変更してもよい。ある実施例の一部の構成や特徴は他の実施例に含まれてもよく、又は他の実施例の対応する構成又は特徴に取り替えられてもよい。
【００２８】
図面に関する説明において、本発明の要旨を曖昧にさせうる手順又は段階などは記述を省略し、当業者のレベルで理解できるような手順又は段階も記述を省略した。
【００２９】
明細書全般にわたり、ある部分がある構成要素を“含む（ｃｏｍｐｒｉｓｉｎｇ又はｉｎｃｌｕｄｉｎｇ）”というとき、これは特に反対する記載がない限り他の構成要素を排除するものではなくて他の構成要素をさらに含むことができることを意味する。また、明細書に記載した“…部”、“…機”、“モジュール”などの用語は少なくとも一つの機能又は動作を処理する単位を意味し、これはハードウェア又はソフトウェア或いはハードウェア及びソフトウェアの結合で具現されることができる。また、“一（ａ又はａｎ）”、“一つ（ｏｎｅ）”、“その（ｔｈｅ）”及び類似関連語は本発明を記述する文脈において（特に、以下の請求項の文脈で）本明細書に他に指示されるか文脈によって明らかに反駁されることがない限り、単数及び複数のいずれも含む意味として使われることができる。
【００３０】
本明細書で、本発明の実施例は、基地局と移動局との間のデータ送受信関係を中心に説明した。ここで、基地局は移動局と直接通信を行うネットワークの終端ノード（ｔｅｒｍｉｎａｌｎｏｄｅ）としての意味を有する。本文書で基地局によって行われるとした特定動作は、場合によっては、基地局の上位ノード（ｕｐｐｅｒ  ｎｏｄｅ）によって行われてもよい。
【００３１】
すなわち、基地局を含む複数のネットワークノード（ｎｅｔｗｏｒｋ  ｎｏｄｅｓ）からなるネットワークで移動局との通信のために行われる様々な動作は、基地局又は基地局以外の他のネットワークノードによって行われてもよい。ここで、「基地局」は、固定局（ｆｉｘｅｄ  ｓｔａｔｉｏｎ）、Ｎｏｄｅ  Ｂ、ｅＮｏｄｅ  Ｂ（ｅＮＢ）、発展した基地局（ＡＢＳ：Ａｄｖａｎｃｅｄ  Ｂａｓｅ  Ｓｔａｔｉｏｎ）又はアクセスポイント（ａｃｃｅｓｓ  ｐｏｉｎｔ）などの用語に代えてもよい。
【００３２】
また、本発明の実施例でいう「端末（Ｔｅｒｍｉｎａｌ）」は、ユーザ機器（ＵＥ：Ｕｓｅｒ  Ｅｑｕｉｐｍｅｎｔ）、移動局（ＭＳ：Ｍｏｂｉｌｅ  Ｓｔａｔｉｏｎ）、加入者端末（ＳＳ：Ｓｕｂｓｃｒｉｂｅｒ  Ｓｔａｔｉｏｎ）、移動加入者端末（ＭＳＳ：Ｍｏｂｉｌｅ  Ｓｕｂｓｃｒｉｂｅｒ  Ｓｔａｔｉｏｎ）、移動端末（Ｍｏｂｉｌｅ  Ｔｅｒｍｉｎａｌ）、又は発展した移動端末（ＡＭＳ：Ａｄｖａｎｃｅｄ  Ｍｏｂｉｌｅ  Ｓｔａｔｉｏｎ）などの用語に代えてもよい。
【００３３】
また、送信端は、データサービス又は音声サービスを提供する固定及び／又は移動ノードを意味し、受信端は、データサービス又は音声サービスを受信する固定及び／又は移動ノードを意味する。そのため、上りリンクでは、移動局を送信端とし、基地局を受信端とすることができる。同様に、下りリンクでは、移動局を受信端とし、基地局を送信端とすることができる。
【００３４】
本発明の実施例は、無線接続システムであるＩＥＥＥ  ８０２．ｘｘシステム、３ＧＰＰ（３ｒｄ  Ｇｅｎｅｒａｔｉｏｎ  Ｐａｒｔｎｅｒｓｈｉｐ  Ｐｒｏｊｅｃｔ）システム、３ＧＰＰ  ＬＴＥシステム及び３ＧＰＰ２システムのうち少なくとも一つに開示された標準文書によって裏付けることができ、特に、本発明の実施例は、３ＧＰＰ  ＴＳ  ３６．２１１、３ＧＰＰ  ＴＳ  ３６．２１２、３ＧＰＰ  ＴＳ  ３６．２１３、３ＧＰＰ
ＴＳ  ３６．３２１及び３ＧＰＰ  ＴＳ  ３６．３３１の文書によって裏付けることができる。すなわち、本発明の実施例において説明していない自明な段階又は部分は、上記の文書を参照して説明することができる。また、本文書で開示している用語はいずれも上記の標準文書によって説明することができる。
【００３５】
以下、本発明に係る好適な実施の形態を、添付の図面を参照して詳細に説明する。添付の図面と共に以下に開示される詳細な説明は、本発明の例示的な実施の形態を説明するためのもので、本発明が実施されうる唯一の実施の形態を示すためのものではない。
【００３６】
また、本発明の実施例で使われる特定用語は、本発明の理解を助けるために提供されたもので、このような特定用語の使用は、本発明の技術的思想を逸脱しない範囲で他の形態に変更してもよい。
【００３７】
例えば、送信機会区間（ＴｘＯＰ：Ｔｒａｎｓｍｉｓｓｉｏｎ  Ｏｐｐｏｒｔｕｎｉｔｙ  Ｐｅｒｉｏｄ）という用語は送信区間又はＲＲＰ（Ｒｅｓｅｒｖｅｄ  Ｒｅｓｏｕｒｃｅ  Ｐｅｒｉｏｄ）という用語と等しい意味として使われることができる。また、ＬＢＴ（Ｌｉｓｔｅｎ  Ｂｅｆｏｒｅ  Ｔａｌｋ）過程はチャネル状態が遊休であるかを判断するためのキャリアセンシング過程と同一の目的で遂行することができる。
【００３８】
以下では本発明の実施形態を使える無線接続システムの一例として３ＧＰＰ  ＬＴＥ／ＬＴＥ−Ａシステムについて説明する。
【００３９】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような様々な無線接続システムに適用することができる。
【００４０】
ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。
【００４１】
ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ  ＬＴＥ（Ｌｏｎｇ  Ｔｅｒｍ
Ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であって、下りリンクでＯＦＤＭＡを採用し、上りリンクでＳＣ−ＦＤＭＡを採用する。ＬＴＥ−Ａ（Ａｄｖａｎｃｅｄ）システムは、３ＧＰＰ  ＬＴＥシステムの改良されたシステムである。本発明の技術的特徴に関する説明を明確にするために、本発明の実施例を３ＧＰＰ  ＬＴＥ／ＬＴＥ−Ａシステムを中心に説明するが、ＩＥＥＥ  ８０２．１６ｅ／ｍシステムなどに適用してもよい。
【００４２】
１．  ３ＧＰＰ  ＬＴＥ／ＬＴＥ＿Ａシステム
【００４３】
無線接続システムにおいて、端末は下りリンク（ＤＬ：Ｄｏｗｎｌｉｎｋ）を介して基地局から情報を受信し、上りリンク（ＵＬ：Ｕｐｌｉｎｋ）を介して基地局に情報を送信する。基地局と端末が送受信する情報は、一般データ情報及び様々な制御情報を含み、これらが送受信する情報の種類／用途によって様々な物理チャネルが存在する。
【００４４】
１．１  システム一般
【００４５】
図１は、本発明の実施例で使用できる物理チャネル及びこれらを用いた信号送信方法を説明するための図である。
【００４６】
電源が消えた状態で再び電源がついたり、新しくセルに進入したりした端末は、Ｓ１１段階で基地局と同期を取るなどの初期セル探索（Ｉｎｉｔｉａｌ  ｃｅｌｌ  ｓｅａｒｃｈ）作業を行う。そのために、端末は基地局から１次同期チャネル（Ｐ−ＳＣＨ：Ｐｒｉｍａｒｙ  Ｓｙｎｃｈｒｏｎｉｚａｔｉｏｎ  Ｃｈａｎｎｅｌ）及び２次同期チャネル（Ｓ−ＳＣＨ：Ｓｅｃｏｎｄａｒｙ  Ｓｙｎｃｈｒｏｎｉｚａｔｉｏｎ  Ｃｈａｎｎｅｌ）を受信して基地局と同期を取り、セルＩＤなどの情報を取得する。
【００４７】
その後、端末は、基地局から物理放送チャネル（ＰＢＣＨ：Ｐｈｙｓｉｃａｌ  Ｂｒｏ
ａｄｃａｓｔ  Ｃｈａｎｎｅｌ）信号を受信してセル内放送情報を取得することができる。
【００４８】
一方、端末は、初期セル探索段階で下りリンク参照信号（ＤＬ  ＲＳ：Ｄｏｗｎｌｉｎｋ  Ｒｅｆｅｒｅｎｃｅ  Ｓｉｇｎａｌ）を受信して下りリンクチャネル状態を確認することができる。
【００４９】
初期セル探索を終えた端末は、Ｓ１２段階で、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）、及び物理下りリンク制御チャネル情報に基づく物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を受信し、より具体的なシステム情報を取得することができる。
【００５０】
その後、端末は、基地局への接続を完了するために、段階Ｓ１３乃至段階Ｓ１６のようなランダムアクセス過程（Ｒａｎｄｏｍ  Ａｃｃｅｓｓ  Ｐｒｏｃｅｄｕｒｅ）を行うことができる。そのために、端末は、物理ランダムアクセスチャネル（ＰＲＡＣＨ：Ｐｈｙｓｉｃａｌ  Ｒａｎｄｏｍ  Ａｃｃｅｓｓ  Ｃｈａｎｎｅｌ）を介してプリアンブル（ｐｒｅａｍｂｌｅ）を送信し（Ｓ１３）、物理下りリンク制御チャネル及びこれに対応する物理下りリンク共有チャネルを介してプリアンブルに対する応答メッセージを受信することができる（Ｓ１４）。競合ベースのランダムアクセスでは、端末は、さらなる物理ランダムアクセスチャネル信号の送信（Ｓ１５）、及び物理下りリンク制御チャネル信号及びこれに対応する物理下りリンク共有チャネル信号の受信（Ｓ１６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００５１】
上述したような手順を行った端末は、その後、一般的な上りリンク／下りリンク信号送信手順として、物理下りリンク制御チャネル信号及び／又は物理下りリンク共有チャネル信号の受信（Ｓ１７）、及び物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）信号及び／又は物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）信号の送信（Ｓ１８）を行うことができる。
【００５２】
端末が基地局に送信する制御情報を総称して、上りリンク制御情報（ＵＣＩ：Ｕｐｌｉｎｋ  Ｃｏｎｔｒｏｌ  Ｉｎｆｏｒｍａｔｉｏｎ）という。ＵＣＩは、ＨＡＲＱ−ＡＣＫ／ＮＡＣＫ（Ｈｙｂｒｉｄ  Ａｕｔｏｍａｔｉｃ  Ｒｅｐｅａｔ  ａｎｄ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｉｏｎ）、ＲＩ（Ｒａｎｋ  Ｉｎｄｉｃａｔｉｏｎ）情報などを含む。
【００５３】
ＬＴＥシステムにおいて、ＵＣＩは、一般的にＰＵＣＣＨを介して周期的に送信するが、制御情報とトラフィックデータが同時に送信されるべき場合にはＰＵＳＣＨを介して送信してもよい。また、ネットワークの要求／指示に応じてＰＵＳＣＨを介してＵＣＩを非周期的に送信してもよい。
【００５４】
図２には、本発明の実施例で用いられる無線フレームの構造を示す。
【００５５】
図２（ａ）は、タイプ１フレーム構造（ｆｒａｍｅ  ｓｔｒｕｃｔｕｒｅ  ｔｙｐｅ  １）を示す。タイプ１フレーム構造は、全二重（ｆｕｌｌ  ｄｕｐｌｅｘ）ＦＤＤ（Ｆｒｅｑｕｅｎｃｙ  Ｄｉｖｉｓｉｏｎ  Ｄｕｐｌｅｘ）システムと半二重（ｈａｌｆ  ｄｕ
ｐｌｅｘ）ＦＤＤシステムの両方に適用することができる。
【００５６】
１無線フレーム（ｒａｄｉｏ  ｆｒａｍｅ）は、
【数１】
2019198125.tif 000003
の長さを有し、
【数２】
2019198125.tif 000004
の均等な長さを有し、０から１９までのインデックスが与えられた２０個のスロットで構成される。１サブフレームは、２個の連続したスロットと定義され、ｉ番目のサブフレームは、２ｉ及び２ｉ＋１に該当するスロットで構成される。すなわち、無線フレーム（ｒａｄｉｏ  ｆｒａｍｅ）は、１０個のサブフレーム（ｓｕｂｆｒａｍｅ）で構成される。１サブフレームを送信するのにかかる時間をＴＴＩ（ｔｒａｎｓｍｉｓｓｉｏｎ  ｔｉｍｅ  ｉｎｔｅｒｖａｌ）という。ここで、Ｔｓはサンプリング時間を表し、Ｔｓ＝１／（１５ｋＨｚ×２０４８）＝３．２５５２×１０−８（約３３ｎｓ）と表示される。スロットは、時間領域で複数のＯＦＤＭシンボル又はＳＣ−ＦＤＭＡシンボルを含み、周波数領域で複数のリソースブロック（Ｒｅｓｏｕｒｃｅ  Ｂｌｏｃｋ）を含む。
【００５７】
１スロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥは、下りリンクでＯＦＤＭＡを使うので、ＯＦＤＭシンボルは１シンボル区間（ｓｙｍｂｏｌ  ｐｅｒｉｏｄ）を表現するためのものである。ＯＦＤＭシンボルは、１つのＳＣ−ＦＤＭＡシンボル又はシンボル区間ということができる。リソースブロック（ｒｅｓｏｕｒｃｅ  ｂｌｏｃｋ）は、リソース割当て単位であって、１スロットで複数の連続した副搬送波（ｓｕｂｃａｒｒｉｅｒ）を含む。
【００５８】
全二重ＦＤＤシステムでは、各１０ｍｓ区間で１０個のサブフレームを下りリンク送信と上りリンク送信のために同時に用いることができる。このとき、上りリンク送信と下りリンク送信は周波数領域で区別される。一方、半二重ＦＤＤシステムでは、端末は送信と受信を同時に行うことができない。
【００５９】
上述した無線フレームの構造は一つの例示に過ぎず、無線フレームに含まれるサブフレームの数、サブフレームに含まれるスロットの数、又はスロットに含まれるＯＦＤＭシンボルの数は様々に変更されてもよい。
【００６０】
図２（ｂ）には、タイプ２フレーム構造（ｆｒａｍｅ  ｓｔｒｕｃｔｕｒｅ  ｔｙｐｅ
２）を示す。タイプ２フレーム構造はＴＤＤシステムに適用される。１無線フレームは、
【数３】
2019198125.tif 000005
の長さを有し、
【数４】
2019198125.tif 000006
の長さを有する２個のハーフフレーム（ｈａｌｆ−ｆｒａｍｅ）で構成される。各ハーフフレームは、
【数５】
2019198125.tif 000007
の長さを有する５個のサブフレームで構成される。ｉ番目のサブフレームは、２ｉ及び２ｉ＋１に該当する各
【数６】
2019198125.tif 000008
の長さを有する２個のスロットで構成される。ここで、Ｔｓは、サンプリング時間を表し、Ｔｓ＝１／（１５ｋＨｚ×２０４８）＝３．２５５２×１０−８（約３３ｎｓ）で表示される。
【００６１】
タイプ２フレームは、ＤｗＰＴＳ（Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）の３つのフィールドで構成される特別サブフレームを含む。ここで、ＤｗＰＴＳは、端末での初期セル探索、同期化又はチャネル推定に用いられる。ＵｐＰＴＳは、基地局でのチャネル推定と端末の上り送信同期を取るために用いられる。保護区間は、上りリンクと下りリンクとの間において下りリンク信号の多重経路遅延によって上りリンクで生じる干渉を除去するための区間である。
【００６２】
下記の表１に、特別フレームの構成（ＤｗＰＴＳ／ＧＰ／ＵｐＰＴＳの長さ）を示す。
【００６３】
【表１】
2019198125.tif 000009
【００６４】
図３は、本発明の実施例で使用できる下りリンクスロットのリソースグリッド（ｒｅｓｏｕｒｃｅ  ｇｒｉｄ）を例示する図である。
【００６５】
図３を参照すると、１つの下りリンクスロットは、時間領域で複数のＯＦＤＭシンボルを含む。ここで、１つの下りリンクスロットは、７個のＯＦＤＭシンボルを含み、１つのリソースブロックは周波数領域で１２個の副搬送波を含むとするが、これに限定されるものではない。
【００６６】
リソースグリッド上で各要素（ｅｌｅｍｅｎｔ）をリソース要素（ｒｅｓｏｕｒｃｅ  ｅｌｅｍｅｎｔ）とし、１つのリソースブロックは１２×７個のリソース要素を含む。下りリンクスロットに含まれるリソースブロックの数ＮＤＬは、下りリンク送信帯域幅（ｂａｎｄｗｉｄｔｈ）に依存する。上りリンクスロットの構造は、下りリンクスロットの構造と同一であってもよい。
【００６７】
図４は、本発明の実施例で使用できる上りリンクサブフレームの構造を示す。
【００６８】
図４を参照すると、上りリンクサブフレームは、周波数領域で制御領域とデータ領域とに区別される。制御領域には、上りリンク制御情報を運ぶＰＵＣＣＨが割り当てられる。データ領域には、ユーザデータを運ぶＰＵＳＣＨが割り当てられる。単一搬送波特性を維持するために、一つの端末はＰＵＣＣＨとＰＵＳＣＨを同時に送信しない。一つの端末に対するＰＵＣＣＨにはサブフレーム内にＲＢ対が割り当てられる。ＲＢ対に属するＲＢは、２個のスロットのそれぞれで異なる副搬送波を占める。これを、ＰＵＣＣＨに割り当てられたＲＢ対はスロットの境界（ｓｌｏｔ  ｂｏｕｎｄａｒｙ）で周波数跳躍（ｆｒｅｑｕｅｎｃｙ  ｈｏｐｐｉｎｇ）するという。
【００６９】
図５には、本発明の実施例で使用できる下りリンクサブフレームの構造を示す。
【００７０】
図５を参照すると、サブフレームにおける第１スロットでＯＦＤＭシンボルインデックス０から最大３個のＯＦＤＭシンボルが、制御チャネルが割り当てられる制御領域（ｃｏｎｔｒｏｌ  ｒｅｇｉｏｎ）であり、残りのＯＦＤＭシンボルが、ＰＤＳＣＨが割り当てられるデータ領域（ｄａｔａ  ｒｅｇｉｏｎ）である。３ＧＰＰ  ＬＴＥで用いられる下りリンク制御チャネルの例には、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。
【００７１】
ＰＣＦＩＣＨは、サブフレームにおける最初のＯＦＤＭシンボルで送信され、サブフレーム内に制御チャネルの送信のために使われるＯＦＤＭシンボルの数（すなわち、制御領域のサイズ）に関する情報を運ぶ。ＰＨＩＣＨは、上りリンクに対する応答チャネルであって、ＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｅｇａｔｉｖｅ−Ａｃｋｎｏｗｌｅｄｇｅｍｅｎｔ）信号を運ぶ。ＰＤＣＣＨを介して送信される制御情報を下りリンク制御情報（ＤＣＩ：ｄｏｗｎｌｉｎｋ  ｃｏｎｔｒｏｌ  ｉｎｆｏｒｍａｔｉｏｎ）という。下りリンク制御情報は、上りリンクリソース割当て情報、下りリンクリソース割当て情報、又は任意の端末グループに対する上りリンク送信（Ｔｘ）電力制御命令を含む。
【００７２】
１．２  ＰＤＣＣＨ（Ｐｈｙｓｉｃａｌ  Ｄｏｗｎｌｉｎｋ  Ｃｏｎｔｒｏｌ  Ｃｈａｎｎｅｌ）
【００７３】
１．２．１  ＰＤＣＣＨ一般
【００７４】
ＰＤＣＣＨは、ＤＬ−ＳＣＨ（Ｄｏｗｎｌｉｎｋ  Ｓｈａｒｅｄ  Ｃｈａｎｎｅｌ）のリソース割当て及び送信フォーマット（すなわち、下りリンクグラント（ＤＬ−Ｇｒａｎｔ））、ＵＬ−ＳＣＨ（Ｕｐｌｉｎｋ  Ｓｈａｒｅｄ  Ｃｈａｎｎｅｌ）のリソース割当て情報（すなわち、上りリンクグラント（ＵＬ−Ｇｒａｎｔ））、ＰＣＨ（Ｐａｇｉｎｇ
Ｃｈａｎｎｅｌ）におけるページング（ｐａｇｉｎｇ）情報、ＤＬ−ＳＣＨにおけるシステム情報、ＰＤＳＣＨで送信されるランダムアクセス応答（ｒａｎｄｏｍ  ａｃｃｅｓｓ  ｒｅｓｐｏｎｓｅ）のような上位レイヤ（ｕｐｐｅｒ−ｌａｙｅｒ）制御メッセージに対するリソース割当て、任意の端末グループ内の個別端末に対する送信電力制御命令の集合、ＶｏＩＰ（Ｖｏｉｃｅ  ｏｖｅｒ  ＩＰ）活性化の有無に関する情報などを運ぶことができる。
【００７５】
複数のＰＤＣＣＨが制御領域内で送信されてもよく、端末は複数のＰＤＣＣＨをモニタ
することができる。ＰＤＣＣＨは、１つ又は複数の連続したＣＣＥ（ｃｏｎｔｒｏｌ  ｃｈａｎｎｅｌ  ｅｌｅｍｅｎｔｓ）の集合（ａｇｇｒｅｇａｔｉｏｎ）で構成される。１つ又は複数の連続したＣＣＥの集合で構成されたＰＤＣＣＨは、サブブロックインターリービング（ｓｕｂｂｌｏｃｋ  ｉｎｔｅｒｌｅａｖｉｎｇ）を経た後、制御領域を通して送信することができる。ＣＣＥは、無線チャネルの状態による符号化率をＰＤＣＣＨに提供するために使われる論理的割当て単位である。ＣＣＥは、複数のリソース要素グループ（ＲＥＧ：ｒｅｓｏｕｒｃｅ  ｅｌｅｍｅｎｔ  ｇｒｏｕｐ）に対応する。ＣＣＥの数とＣＣＥによって提供される符号化率との関係によってＰＤＣＣＨのフォーマット及び可能なＰＤＣＣＨのビット数が決定される。
【００７６】
１．２．２  ＰＤＣＣＨ構造
【００７７】
複数の端末に対する多重化された複数のＰＤＣＣＨが制御領域内で送信されてもよい。ＰＤＣＣＨは１つ又は２つ以上の連続したＣＣＥの集合（ＣＣＥ  ａｇｇｒｅｇａｔｉｏｎ）で構成される。ＣＣＥは、４個のリソース要素で構成されたＲＥＧの９個のセットに対応する単位のことを指す。各ＲＥＧには４個のＱＰＳＫ（Ｑｕａｄｒａｔｕｒｅ  Ｐｈａｓｅ  Ｓｈｉｆｔ  Ｋｅｙｉｎｇ）シンボルがマップされる。参照信号（ＲＳ：Ｒｅｆｅｒｅｎｃｅ  Ｓｉｇｎａｌ）によって占有されたリソース要素はＲＥＧに含まれない。すなわち、ＯＦＤＭシンボル内でのＲＥＧの総個数は、セル特定参照信号が存在するか否かによって異なってくることがあり得る。４個のリソース要素を１つのグループにマップするＲＥＧの概念は、他の下りリンク制御チャネル（例えば、ＰＣＦＩＣＨ又はＰＨＩＣＨ）にも適用することができる。ＰＣＦＩＣＨ又はＰＨＩＣＨに割り当てられないＲＥＧを
【数７】
2019198125.tif 000010
とすれば、システムで利用可能なＣＣＥの個数は
【数８】
2019198125.tif 000011
であり、各ＣＣＥは０から
【数９】
2019198125.tif 000012
までのインデックスを有する。
【００７８】
端末のデコーティングプロセスを単純化するために、ｎ個のＣＣＥを含むＰＤＣＣＨフォーマットは、ｎの倍数と同じインデックスを有するＣＣＥから始まってもよい。すなわち、ＣＣＥインデックスがｉである場合、
【数１０】
2019198125.tif 000013
を満たすＣＣＥから始まってもよい。
【００７９】
基地局は１つのＰＤＣＣＨ信号を構成するために｛１，２，４，８｝個のＣＣＥを使うことができ、ここで、｛１，２，４，８｝をＣＣＥ集合レベル（ａｇｇｒｅｇａｔｉｏｎ
ｌｅｖｅｌ）と呼ぶ。特定ＰＤＣＣＨの送信のために使われるＣＣＥの個数はチャネル状態によって基地局で決定される。例えば、良子な下りリンクチャネル状態（基地局に近接している場合）を有する端末のためのＰＤＣＣＨは、１つのＣＣＥだけで十分でありうる。一方、よくないチャネル状態（セル境界にある場合）を有する端末の場合は、８個の
ＣＣＥが十分な堅牢さ（ｒｏｂｕｓｔｎｅｓｓ）のために要求されることがあり得る。しかも、ＰＤＣＣＨの電力レベルも、チャネル状態にマッチして調節されてもよい。
【００８０】
下記の表２にＰＤＣＣＨフォーマットを示す。ＣＣＥ集合レベルによって、表２のように４つのＰＤＣＣＨフォーマットが支援される。
【００８１】
【表２】
2019198125.tif 000014
【００８２】
端末ごとにＣＣＥ集合レベルが異なる理由は、ＰＤＣＣＨに載せられる制御情報のフォーマット又はＭＣＳ（Ｍｏｄｕｌａｔｉｏｎ  ａｎｄ  Ｃｏｄｉｎｇ  Ｓｃｈｅｍｅ）レベルが異なるためである。ＭＣＳレベルは、データコーディングに用いられるコードレート（ｃｏｄｅ  ｒａｔｅ）と変調序列（ｍｏｄｕｌａｔｉｏｎ  ｏｒｄｅｒ）を意味する。適応的なＭＣＳレベルはリンク適応（ｌｉｎｋ  ａｄａｐｔａｔｉｏｎ）のために用いられる。一般に、制御情報を送信する制御チャネルでは３〜４個程度のＭＣＳレベルを考慮することができる。
【００８３】
制御情報のフォーマットを説明すると、ＰＤＣＣＨを介して送信される制御情報を下りリンク制御情報（ＤＣＩ）という。ＤＣＩフォーマットによってＰＤＣＣＨペイロード（ｐａｙｌｏａｄ）に載せられる情報の構成が異なることがあり得る。ＰＤＣＣＨペイロードは、情報ビット（ｉｎｆｏｒｍａｔｉｏｎ  ｂｉｔ）を意味する。下記の表３は、ＤＣＩフォーマットによるＤＣＩを示すものである。
【００８４】
【表３】
2019198125.tif 000015
【００８５】
表３を参照すると、ＤＣＩフォーマットには、ＰＵＳＣＨスケジューリングのためのフ
ォーマット０、１つのＰＤＳＣＨコードワードのスケジューリングのためのフォーマット１、１つのＰＤＳＣＨコードワードの簡単な（ｃｏｍｐａｃｔ）スケジューリングのためのフォーマット１Ａ、ＤＬ−ＳＣＨの非常に簡単なスケジューリングのためのフォーマット１Ｃ、閉ループ（Ｃｌｏｓｅｄ−ｌｏｏｐ）空間多重化（ｓｐａｔｉａｌ  ｍｕｌｔｉｐｌｅｘｉｎｇ）モードでのＰＤＳＣＨスケジューリングのためのフォーマット２、開ループ（Ｏｐｅｎ−ｌｏｏｐ）空間多重化モードでのＰＤＳＣＨスケジューリングのためのフォーマット２Ａ、上りリンクチャネルのためのＴＰＣ（Ｔｒａｎｓｍｉｓｓｉｏｎ  Ｐｏｗｅｒ  Ｃｏｎｔｒｏｌ）命令の送信のためのフォーマット３及び３Ａがある。ＤＣＩフォーマット１Ａは、端末にいずれの送信モードが設定されてもＰＤＳＣＨスケジューリングのために用いることができる。
【００８６】
ＤＣＩフォーマットによってＰＤＣＣＨペイロード長が変わることがあり得る。また、ＰＤＣＣＨペイロードの種類とそれによる長さは、簡単な（ｃｏｍｐａｃｔ）スケジューリングであるか否か、又は端末に設定された送信モード（ｔｒａｎｓｍｉｓｓｉｏｎ  ｍｏｄｅ）などによって異なってもよい。
【００８７】
送信モードは、端末がＰＤＳＣＨを介した下りリンクデータを受信するように設定（ｃｏｎｆｉｇｕｒａｔｉｏｎ）することができる。例えば、ＰＤＳＣＨを介した下りリンクデータには、端末にスケジュールされたデータ（ｓｃｈｅｄｕｌｅｄ  ｄａｔａ）、ページング、ランダムアクセス応答、又はＢＣＣＨを介したブロードキャスト情報などがある。ＰＤＳＣＨを介した下りリンクデータは、ＰＤＣＣＨを介してシグナルされるＤＣＩフォーマットと関係がある。送信モードは、上位層シグナリング（例えば、ＲＲＣ（Ｒａｄｉｏ  Ｒｅｓｏｕｒｃｅ  Ｃｏｎｔｒｏｌ）シグナリング）によって端末に半静的に（ｓｅｍｉ−ｓｔａｔｉｃａｌｌｙ）設定することができる。送信モードは、シングルアンテナ送信（Ｓｉｎｇｌｅ  ａｎｔｅｎｎａ  ｔｒａｎｓｍｉｓｓｉｏｎ）又はマルチアンテナ（Ｍｕｌｔｉ−ａｎｔｅｎｎａ）送信に区別できる。
【００８８】
端末は、上位層シグナリングによって半静的（ｓｅｍｉ−ｓｔａｔｉｃ）に送信モードが設定される。例えば、マルチアンテナ送信には、送信ダイバーシティ（Ｔｒａｎｓｍｉｔ  ｄｉｖｅｒｓｉｔｙ）、開ループ（Ｏｐｅｎ−ｌｏｏｐ）又は閉ループ（Ｃｌｏｓｅｄ−ｌｏｏｐ）空間多重化（Ｓｐａｔｉａｌ  ｍｕｌｔｉｐｌｅｘｉｎｇ）、ＭＵ−ＭＩＭＯ（Ｍｕｌｔｉ−ｕｓｅｒ−Ｍｕｌｔｉｐｌｅ  Ｉｎｐｕｔ  Ｍｕｌｔｉｐｌｅ  Ｏｕｔｐｕｔ）、及びビーム形成（Ｂｅａｍｆｏｒｍｉｎｇ）などがある。送信ダイバーシティは、多重送信アンテナで同一のデータを送信して送信信頼度を高める技術である。空間多重化は、多重送信アンテナで互いに異なるデータを同時に送信し、システムの帯域幅を増加させることなく高速のデータを送信できる技術である。ビーム形成は、多重アンテナでチャネル状態による加重値を与えて信号のＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を増加させる技術である。
【００８９】
ＤＣＩフォーマットは、端末に設定された送信モードに依存する。端末が自身に設定された送信モードによってモニタする参照（Ｒｅｆｅｒｅｎｃｅ）ＤＣＩフォーマットがある。次の通り、端末に設定される送信モードは１０個の送信モードを有することができる。
【００９０】
（１）送信モード１：単一アンテナポート；ポート０
【００９１】
（２）送信モード２：送信ダイバーシティ（Ｔｒａｎｓｍｉｔ  Ｄｉｖｅｒｓｉｔｙ）
【００９２】
（３）送信モード３：開ループ空間多重化（Ｏｐｅｎ−ｌｏｏｐ  Ｓｐａｔｉａｌ  Ｍｕｌｔｉｐｌｅｘｉｎｇ）
【００９３】
（４）送信モード４：閉ループ空間多重化（Ｃｌｏｓｅｄ−ｌｏｏｐ  Ｓｐａｔｉａｌ
Ｍｕｌｔｉｐｌｅｘｉｎｇ）
【００９４】
（５）送信モード５：多重ユーザＭＩＭＯ
【００９５】
（６）送信モード６：閉ループランク＝１プリコーディング
【００９６】
（７）送信モード７：コードブックに基づかない、単一レイヤ送信を支援するプリコーディング
【００９７】
（８）送信モード８：コードブックに基づかない、２個までのレイヤを支援するプリコーディング
【００９８】
（９）送信モード９：コードブックに基づかない、８個までのレイヤを支援するプリコーディング
【００９９】
（１０）送信モード１０：コードブックに基づかない、ＣｏＭＰのために用いられる、８個までのレイヤを支援するプリコーディング
【０１００】
１．２．３  ＰＤＣＣＨ送信
【０１０１】
基地局は、端末に送信しようとするＤＣＩによってＰＤＣＣＨフォーマットを決定し、制御情報にＣＲＣ（Ｃｙｃｌｉｃ  Ｒｅｄｕｎｄａｎｃｙ  Ｃｈｅｃｋ）を付加する。ＣＲＣにはＰＤＣＣＨの所有者（ｏｗｎｅｒ）や用途によって固有の識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））をマスクする。特定の端末のためのＰＤＣＣＨであれば、端末固有の識別子（例えば、Ｃ−ＲＮＴＩ（Ｃｅｌｌ−ＲＮＴＩ））をＣＲＣにマスクすることができる。又は、ページングメッセージのためのＰＤＣＣＨであれば、ページング指示識別子（例えば、Ｐ−ＲＮＴＩ（Ｐａｇｉｎｇ−ＲＮＴＩ））をＣＲＣにマスクすることができる。システム情報、より具体的にシステム情報ブロック（ｓｙｓｔｅｍ  ｉｎｆｏｒｍａｔｉｏｎ  ｂｌｏｃｋ、ＳＩＢ）のためのＰＤＣＣＨであれば、システム情報識別子（例えば、ＳＩ−ＲＮＴＩ（ｓｙｓｔｅｍ  ｉｎｆｏｒｍａｔｉｏｎ  ＲＮＴＩ））をＣＲＣにマスクすることができる。端末のランダムアクセスプリアンブルの送信に対する応答であるランダムアクセス応答を示すために、ＲＡ−ＲＮＴＩ（ｒａｎｄｏｍ  ａｃｃｅｓｓ−ＲＮＴＩ）をＣＲＣにマスクすることができる。
【０１０２】
続いて、基地局は、ＣＲＣの付加された制御情報にチャネルコーディングを行って符号化されたデータ（ｃｏｄｅｄ  ｄａｔａ）を生成する。このとき、ＭＣＳレベルによるコードレートでチャネルコーディングを行うことができる。基地局は、ＰＤＣＣＨフォーマットに割り当てられたＣＣＥ集合レベルによる送信率マッチング（ｒａｔｅ  ｍａｔｃｈｉｎｇ）を行い、符号化されたデータを変調して変調シンボルを生成する。ここで、ＭＣＳレベルによる変調序列を用いることができる。１つのＰＤＣＣＨを構成する変調シンボルは、ＣＣＥ集合レベルが１、２、４、８のいずれか一つであってもよい。その後、基地局は、変調シンボルを物理的なリソース要素にマップ（ＣＣＥ  ｔｏ  ＲＥ  ｍａｐｐｉｎｇ）する。
【０１０３】
１．２．４  ブラインドデコーディング（ＢＳ：Ｂｌｉｎｄ  Ｄｅｃｏｄｉｎｇ）
【０１０４】
一つのサブフレーム内で複数のＰＤＣＣＨが送信されてもよい。すなわち、一つのサブ
フレームの制御領域は、インデックス０〜
【数１１】
2019198125.tif 000016
を有する複数のＣＣＥで構成される。ここで、
【数１２】
2019198125.tif 000017
は、ｋ番目のサブフレームの制御領域内における総ＣＣＥの個数を意味する。端末は、毎サブフレームごとに複数のＰＤＣＣＨをモニタする。ここで、モニタリングとは、端末がモニタされるＰＤＣＣＨフォーマットによってＰＤＣＣＨのそれぞれのデコーディングを試みることをいう。
【０１０５】
基地局は、端末にサブフレーム内に割り当てられた制御領域で該当ＰＤＣＣＨがどこに位置するのかに関する情報を提供しない。端末は基地局から送信された制御チャネルを受信するために自身のＰＤＣＣＨがどの位置でどのＣＣＥ集合レベルやＤＣＩフォーマットで送信されるのかを把握できず、端末は、サブフレーム内でＰＤＣＣＨ候補（ｃａｎｄｉｄａｔｅ）の集合をモニタして自身のＰＤＣＣＨを探す。これをブラインドデコーディング（ＢＤ）という。ブラインドデコーディングとは、端末がＣＲＣ部分に自身の端末識別子（ＵＥ  ＩＤ）をデマスク（Ｄｅ−Ｍａｓｋｉｎｇ）した後、ＣＲＣ誤りを検討し、当該ＰＤＣＣＨが自身の制御チャネルであるか否かを確認する方法をいう。
【０１０６】
活性モード（ａｃｔｉｖｅ  ｍｏｄｅ）で、端末は自身に送信されるデータを受信するために毎サブフレームのＰＤＣＣＨをモニタする。ＤＲＸモードで、端末は毎ＤＲＸ周期のモニタリング区間で起床（ｗａｋｅ  ｕｐ）し、モニタリング区間に該当するサブフレームでＰＤＣＣＨをモニタする。ＰＤＣＣＨのモニタリングが行われるサブフレームをｎｏｎ−ＤＲＸサブフレームという。
【０１０７】
端末は、自身に送信されるＰＤＣＣＨを受信するためには、ｎｏｎ−ＤＲＸサブフレームの制御領域に存在する全てのＣＣＥに対してブラインドデコーディングを行わなければならない。端末は、いずれのＰＤＣＣＨフォーマットが送信されるのかを把握できないことから、毎ｎｏｎ−ＤＲＸサブフレーム内でＰＤＣＣＨのブラインドデコーディングに成功するまで、可能なＣＣＥ集団レベルでＰＤＣＣＨを全てデコードしなければならない。端末は、自身のためのＰＤＣＣＨがいくつのＣＣＥを用いるのかを把握できず、ＰＤＣＣＨのブラインドデコーディングに成功するまで、可能な全てのＣＣＥ集団レベルで検出を試みなければならない。
【０１０８】
ＬＴＥシステムでは端末のブラインドデコーディングのためにサーチスペース（ＳＳ：Ｓｅａｒｃｈ  Ｓｐａｃｅ）概念を定義する。サーチスペースは、端末がモニタするためのＰＤＣＣＨ候補セットを意味し、各ＰＤＣＣＨフォーマットによって異なるサイズを有することができる。サーチスペースは、共用サーチスペース（ＣＳＳ：Ｃｏｍｍｏｎ  Ｓｅａｒｃｈ  Ｓｐａｃｅ）及び端末特定サーチスペース（ＵＳＳ：ＵＥ−ｓｐｅｃｉｆｉｃ／Ｄｅｄｉｃａｔｅｄ  Ｓｅａｒｃｈ  Ｓｐａｃｅ）を含むことができる。
【０１０９】
共用サーチスペースの場合、全ての端末が共用サーチスペースのサイズを認知できるが、端末特定サーチスペースは、各端末ごとに個別に設定することができる。したがって、端末は、ＰＤＣＣＨをデコードするために、端末特定サーチスペース及び共用サーチスペースを全てモニタしなければならなく、したがって、１サブフレームで最大４４回のブラインドデコーディング（ＢＤ）を行うことになる。ここには、異なるＣＲＣ値（例えば、Ｃ−ＲＮＴＩ、Ｐ−ＲＮＴＩ、ＳＩ−ＲＮＴＩ、ＲＡ−ＲＮＴＩ）によって行うブライン
ドデコーディングは含まれない。
【０１１０】
サーチスペースの制約によって、基地局が、与えられたサブフレーム内でＰＤＣＣＨを送信しようとする端末の全てにＰＤＣＣＨを送信するためのＣＣＥリソースが確保されない場合が発生しうる。なぜなら、ＣＣＥ位置が割り当てられて残ったリソースは、特定端末のサーチスペース内に含まれないことがあり得るためである。次のサブフレームでも続き得るこのような障壁を最小化するために、端末特定跳躍（ｈｏｐｐｉｎｇ）シーケンスを端末特定サーチスペースの始点に適用することができる。
【０１１１】
表４は、共用サーチスペースと端末特定サーチスペースのサイズを示す。
【０１１２】
【表４】
2019198125.tif 000018
【０１１３】
ブラインドデコーディングを試みる回数による端末の負荷を軽減するために、端末は、定義された全てのＤＣＩフォーマットによるサーチを同時に行うわけではない。具体的に、端末は、端末特定サーチスペースで常にＤＣＩフォーマット０及び１Ａに対するサーチを行う。ここで、ＤＣＩフォーマット０と１Ａは同じサイズを有するが、端末は、ＰＤＣＣＨに含まれたＤＣＩフォーマット０と１Ａを区別するために用いられるフラグ（ｆｌａｇ  ｆｏｒ  ｆｏｒｍａｔ  ０／ｆｏｒｍａｔ  １Ａ  ｄｉｆｆｅｒｅｎｔｉａｔｉｏｎ）を用いてＤＣＩフォーマットを区別することができる。また、端末にＤＣＩフォーマット０とＤＣＩフォーマット１Ａに加えて他のＤＣＩフォーマットが要求されてもよいが、その一例としてＤＣＩフォーマット１、１Ｂ、２がある。
【０１１４】
共用サーチスペースで、端末はＤＣＩフォーマット１Ａと１Ｃをサーチすることができる。また、端末はＤＣＩフォーマット３又は３Ａをサーチするように設定されてもよく、ＤＣＩフォーマット３と３Ａは、ＤＣＩフォーマット０と１Ａと同じサイズを有するが、端末は、端末特定識別子以外の識別子によってスクランブルされたＣＲＣを用いてＤＣＩフォーマットを区別することができる。
【０１１５】
サーチスペース
【数１３】
2019198125.tif 000019
は、集合レベル
【数１４】
2019198125.tif 000020
によるＰＤＣＣＨ候補セットを意味する。サーチスペースのＰＤＣＣＨ候補セット
【数１５】
2019198125.tif 000021
によるＣＣＥは、次式１によって決定することができる。
【０１１６】
【数１６】
2019198125.tif 000022
【０１１７】
ここで、
【数１７】
2019198125.tif 000023
は、サーチスペースでモニタするためのＣＣＥ集合レベルＬによるＰＤＣＣＨ候補の個数を表し、
【数１８】
2019198125.tif 000024
である。
【数１９】
2019198125.tif 000025
は、ＰＤＣＣＨにおいて各ＰＤＣＣＨ候補で個別ＣＣＥを指定するインデックスであり、
【数２０】
2019198125.tif 000026
である。
【数２１】
2019198125.tif 000027
であり、
【数２２】
2019198125.tif 000028
は、無線フレーム内でのスロットインデックスを表す。
【０１１８】
上述したように、端末は、ＰＤＣＣＨをデコードするために端末特定サーチスペース及び共用サーチスペースの両方をモニタする。ここで、共用サーチスペース（ＣＳＳ）は、｛４，８｝の集合レベルを有するＰＤＣＣＨを支援し、端末特定サーチスペース（ＵＳＳ）は、｛１，２，４，８｝の集合レベルを有するＰＤＣＣＨを支援する。表５は、端末によってモニタされるＰＤＣＣＨ候補を表す。
【０１１９】
【表５】
2019198125.tif 000029
【０１２０】
式１を参照すると、共用サーチスペースの場合、２個の集合レベル、Ｌ＝４及びＬ＝８に対して
【数２３】
2019198125.tif 000030
は０に設定される。一方、端末特定サーチスペースの場合、集合レベルＬに対して
【数２４】
2019198125.tif 000031
は式２のように定義される。
【０１２１】
【数２５】
2019198125.tif 000032
【０１２２】
ここで、
【数２６】
2019198125.tif 000033
であり、
【数２７】
2019198125.tif 000034
はＲＮＴＩ値を表す。また、
【数２８】
2019198125.tif 000035
であり、
【数２９】
2019198125.tif 000036
である。
【０１２３】
１．３  ＰＵＣＣＨ（Ｐｈｙｓｉｃａｌ  Ｕｐｌｉｎｋ  Ｃｏｎｔｒｏｌ  Ｃｈａｎｎｅｌ）
【０１２４】
ＰＵＣＣＨは、制御情報を送信するために次のフォーマットを含む。
【０１２５】
（１）フォーマット１：オン−オフキーイング（ＯＯＫ：Ｏｎ−Ｏｆｆ  ｋｅｙｉｎｇ）変調、スケジューリング要求（ＳＲ：Ｓｃｈｅｄｕｌｉｎｇ  Ｒｅｑｕｅｓｔ）に用いる。
【０１２６】
（２）フォーマット１ａとフォーマット１ｂ：ＡＣＫ／ＮＡＣＫ送信に用いる。
【０１２７】
１）フォーマット１ａ：１個のコードワードに対するＢＰＳＫ  ＡＣＫ／ＮＡＣＫ
【０１２８】
２）フォーマット１ｂ：２個のコードワードに対するＱＰＳＫ  ＡＣＫ／ＮＡＣＫ
【０１２９】
（３）フォーマット２：ＱＰＳＫ変調、ＣＱＩ送信に用いる。
【０１３０】
（４）フォーマット２ａとフォーマット２ｂ：ＣＱＩ及びＡＣＫ／ＮＡＣＫの同時送信に用いる。
【０１３１】
（５）フォーマット３：ＣＡ環境で複数のＡＣＫ／ＮＡＣＫ送信のために用いる。
【０１３２】
表６には、ＰＵＣＣＨフォーマットによる変調方式とサブフレーム当たりビット数を示す。表７には、ＰＵＣＣＨフォーマットによるスロット当たり参照信号の数を示す。表８には、ＰＵＣＣＨフォーマットによる参照信号のＳＣ−ＦＤＭＡシンボル位置を示す。表６で、ＰＵＣＣＨフォーマット２ａと２ｂは一般ＣＰ（Ｃｙｃｌｉｃ  Ｐｒｅｆｉｘ）の場合に該当する。
【０１３３】
【表６】
2019198125.tif 000037
【０１３４】
【表７】
2019198125.tif 000038
【０１３５】
【表８】
2019198125.tif 000039
【０１３６】
図６は、一般ＣＰの場合におけるＰＵＣＣＨフォーマット１ａ及び１ｂを示し、図７は、拡張ＣＰの場合におけるＰＵＣＣＨフォーマット１ａ及び１ｂを示す図である。
【０１３７】
ＰＵＣＣＨフォーマット１ａ及び１ｂは、同じ内容の制御情報がサブフレーム内でスロット単位に反復される。各端末でＡＣＫ／ＮＡＣＫ信号は、ＣＧ−ＣＡＺＡＣ（Ｃｏｍｐｕｔｅｒ−Ｇｅｎｅｒａｔｅｄ  Ｃｏｎｓｔａｎｔ  Ａｍｐｌｉｔｕｄｅ  Ｚｅｒｏ  Ａｕｔｏ  Ｃｏｒｒｅｌａｔｉｏｎ）シーケンスの異なる循環シフト（ＣＳ：ｃｙｃｌｉｃ
ｓｈｉｆｔ）（周波数ドメインコード）と直交カバーコード（ＯＣ／ＯＣＣ：ｏｒｔｈｏｇｏｎａｌ  ｃｏｖｅｒ／ｏｒｔｈｏｇｏｎａｌ  ｃｏｖｅｒ  ｃｏｄｅ）（時間ドメイン拡散コード）とで構成された異なるリソースで送信される。ＯＣは、例えば、ウォルシュ（Ｗａｌｓｈ）／ＤＦＴ直交コードを含む。ＣＳの数が６個、ＯＣの数が３個なら、単一アンテナを基準に、総１８個の端末を１つのＰＲＢ（Ｐｈｙｓｉｃａｌ  Ｒｅｓｏｕ
ｒｃｅ  Ｂｌｏｃｋ）内で多重化できる。直交シーケンスｗ０，ｗ１，ｗ２，ｗ３は、（ＦＦＴ変調後に）任意の時間ドメインで、又は（ＦＦＴ変調前に）任意の周波数ドメインで適用することができる。
【０１３８】
ＳＲと持続的スケジューリング（ｐｅｒｓｉｓｔｅｎｔ  ｓｃｈｅｄｕｌｉｎｇ）のために、ＣＳ、ＯＣ及びＰＲＢ（Ｐｈｙｓｉｃａｌ  Ｒｅｓｏｕｒｃｅ  Ｂｌｏｃｋ）で構成されたＡＣＫ／ＮＡＣＫリソースを、ＲＲＣ（Ｒａｄｉｏ  Ｒｅｓｏｕｒｃｅ  Ｃｏｎｔｒｏｌ）を用いて端末に与えることができる。動的ＡＣＫ／ＮＡＣＫと非持続的スケジューリング（ｎｏｎ−ｐｅｒｓｉｓｔｅｎｔ  ｓｃｈｅｄｕｌｉｎｇ）のために、ＡＣＫ／ＮＡＣＫリソースは、ＰＤＳＣＨに対応するＰＤＣＣＨの最も小さい（ｌｏｗｅｓｔ）ＣＣＥインデックスによって暗黙的に（ｉｍｐｌｉｃｉｔｌｙ）端末に与えられてもよい。
【０１３９】
表９には、ＰＵＣＣＨフォーマット１／１ａ／１ｂのための長さ４の直交シーケンス（ＯＣ）を示す。表１０には、ＰＵＣＣＨフォーマット１／１ａ／１ｂのための長さ３の直交シーケンス（ＯＣ）を示す。
【０１４０】
【表９】
2019198125.tif 000040
【０１４１】
【表１０】
2019198125.tif 000041
【０１４２】
表１１には、ＰＵＣＣＨフォーマット１ａ／１ｂでＲＳのための直交シーケンス（ＯＣ）
【数３０】
2019198125.tif 000042
を示す。
【０１４３】
【表１１】
2019198125.tif 000043
【０１４４】
図８は、一般ＣＰの場合におけるＰＵＣＣＨフォーマット２／２ａ／２ｂを示し、図９は、拡張ＣＰの場合におけるＰＵＣＣＨフォーマット２／２ａ／２ｂを示す。
【０１４５】
図８及び図９を参照すると、一般ＣＰの場合に、１つのサブフレームは、ＲＳシンボルの他、１０個のＱＰＳＫデータシンボルで構成される。それぞれのＱＰＳＫシンボルはＣＳによって周波数ドメインで拡散された後、該当ＳＣ−ＦＤＭＡシンボルにマップされる。ＳＣ−ＦＤＭＡシンボルレベルＣＳホッピングは、インターセル干渉をランダム化するために適用することができる。ＲＳは、循環シフトを用いてＣＤＭによって多重化することができる。例えば、可用のＣＳの数を１２又は６と仮定すれば、同一ＰＲＢ内にそれぞれ１２又は６個の端末を多重化することができる。要するに、ＰＵＣＣＨフォーマット１／１ａ／１ｂと２／２ａ／２ｂにおいて複数の端末をＣＳ＋ＯＣ＋ＰＲＢとＣＳ＋ＰＲＢによってそれぞれ多重化することができる。
【０１４６】
図１０は、ＰＵＣＣＨフォーマット１ａ及び１ｂに対するＡＣＫ／ＮＡＣＫチャネル化（ｃｈａｎｎｅｌｉｚａｔｉｏｎ）を説明する図である。図１０は、
【数３１】
2019198125.tif 000044
の場合に該当する。
【０１４７】
図１１は、同一ＰＲＢにおいてＰＵＣＣＨフォーマット１ａ／１ｂとフォーマット２／２ａ／２ｂとが混合された構造に対するチャネル化を示す図である。
【０１４８】
循環シフト（ＣＳ：Ｃｙｃｌｉｃ  Ｓｈｉｆｔ）ホッピング（ｈｏｐｐｉｎｇ）と直交カバー（ＯＣ：Ｏｒｔｈｏｇｏｎａｌ  Ｃｏｖｅｒ）再マッピング（ｒｅｍａｐｐｉｎｇ）を、次のように適用することができる。
【０１４９】
（１）インターセル干渉（ｉｎｔｅｒ−ｃｅｌｌ  ｉｎｔｅｒｆｅｒｅｎｃｅ）のランダム化のためのシンボルベースセル特定ＣＳホッピング
【０１５０】
（２）スロットレベルＣＳ／ＯＣ再マッピング
【０１５１】
１）インターセル干渉ランダム化のために
【０１５２】
２）ＡＣＫ／ＮＡＣＫチャネルとリソース（ｋ）との間のマッピングのためのスロットベース接近
【０１５３】
一方、ＰＵＣＣＨフォーマット１ａ／１ｂのためのリソース（ｎｒ）は次の組合せを含
む。
【０１５４】
（１）ＣＳ（＝シンボルレベルでＤＦＴ直交コードと同一）（ｎｃｓ）
【０１５５】
（２）ＯＣ（スロットレベルで直交カバー）（ｎｏｃ）
【０１５６】
（３）周波数ＲＢ（Ｒｅｓｏｕｒｃｅ  Ｂｌｏｃｋ）（ｎｒｂ）
【０１５７】
ＣＳ、ＯＣ、ＲＢを示すインデックスをそれぞれｎｃｓ、ｎｏｃ、ｎｒｂとすれば、代表インデックス（ｒｅｐｒｅｓｅｎｔａｔｉｖｅ  ｉｎｄｅｘ）ｎｒはｎｃｓ、ｎｏｃ、ｎｒｂを含む。ｎｒは、ｎｒ＝（ｎｃｓ、ｎｏｃ、ｎｒｂ）を満たす。
【０１５８】
ＣＱＩ、ＰＭＩ、ＲＩ、及びＣＱＩとＡＣＫ／ＮＡＣＫとの組合せは、ＰＵＣＣＨフォーマット２／２ａ／２ｂで伝達することができる。リードマラー（ＲＭ：Ｒｅｅｄ  Ｍｕｌｌｅｒ）チャネルコーディングを適用することができる。
【０１５９】
例えば、ＬＴＥシステムにおいてＵＬ  ＣＱＩのためのチャネルコーディングは、次のように記述される。ビットストリーム（ｂｉｔ  ｓｔｒｅａｍ）
【数３２】
2019198125.tif 000045
は、（２０，Ａ）ＲＭコードを用いてチャネルコードされる。ここで、
【数３３】
2019198125.tif 000046
と
【数３４】
2019198125.tif 000047
は、ＭＳＢ（Ｍｏｓｔ  Ｓｉｇｎｉｆｉｃａｎｔ  Ｂｉｔ）とＬＳＢ（Ｌｅａｓｔ  Ｓｉｇｎｉｆｉｃａｎｔ  Ｂｉｔ）を表す。拡張ＣＰの場合、ＣＱＩとＡＣＫ／ＮＡＣＫが同時送信される場合を除いては最大情報ビットは、１１ビットである。ＲＭコードを用いて２０ビットにコードした後、ＱＰＳＫ変調を適用することができる。ＱＰＳＫ変調前に、コードされたビットはスクランブルされてもよい。
【０１６０】
表１２には、（２０，Ａ）コードのための基本シーケンスを示す。
【０１６１】
【表１２】
2019198125.tif 000048
【０１６２】
チャネルコーディングビット
【数３５】
2019198125.tif 000049
は、下記の式３によって生成することができる。
【０１６３】
【数３６】
2019198125.tif 000050
【０１６４】
ここで、ｉ＝０，１，２，…，Ｂ−１を満たす。
【０１６５】
広帯域報告（ｗｉｄｅｂａｎｄ  ｒｅｐｏｒｔｓ）の場合、ＣＱＩ／ＰＭＩのためのＵＣＩ（Ｕｐｌｉｎｋ  Ｃｏｎｔｒｏｌ  Ｉｎｆｏｒｍａｔｉｏｎ）フィールドの帯域幅は、下記の表１３乃至表１５のとおりである。
【０１６６】
表１３には、広帯域報告（単一アンテナポート、送信ダイバーシティ（ｔｒａｎｓｍｉｔ  ｄｉｖｅｒｓｉｔｙ）又は開ループ空間多重化（ｏｐｅｎ  ｌｏｏｐ  ｓｐａｔｉａｌ  ｍｕｌｔｉｐｌｅｘｉｎｇ）ＰＤＳＣＨ送信）の場合に、ＣＱＩフィードバックのためのＵＣＩフィールドを示す。
【０１６７】
【表１３】
2019198125.tif 000051
【０１６８】
表１４には、広帯域報告（閉ループ空間多重化（ｃｌｏｓｅｄ  ｌｏｏｐ  ｓｐａｔｉａｌ  ｍｕｌｔｉｐｌｅｘｉｎｇ）ＰＤＳＣＨ送信）の場合に、ＣＱＩ及びＰＭＩフィードバックのためのＵＣＩフィールドを示す。
【０１６９】
【表１４】
2019198125.tif 000052
【０１７０】
表１５には、広帯域報告の場合、ＲＩフィードバックのためのＵＣＩフィールドを示す。
【０１７１】
【表１５】
2019198125.tif 000053
【０１７２】
図１２は、ＰＲＢ割り当てを示す図である。図１２に示すように、ＰＲＢは、スロットｎｓでＰＵＣＣＨ送信のために用いることができる。
【０１７３】
２．  キャリア併合（ＣＡ：Ｃａｒｒｉｅｒ  Ａｇｇｒｅｇａｔｉｏｎ）環境
【０１７４】
２．１  ＣＡ一般
【０１７５】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；Ｒｅｌ−８又はＲｅｌ−９）システム（以下、ＬＴＥシステム）は、単一コンポーネントキャリア（ＣＣ：Ｃｏｍｐｏｎｅｎｔ  Ｃａｒｒｉｅｒ）を複数の帯域に分割して使用する多重搬送波変調（ＭＣＭ：Ｍｕｌｔｉ−Ｃａｒｒｉｅｒ  Ｍｏｄｕｌａｔｉｏｎ）方式を用いる。しかし、３ＧＰＰ  ＬＴＥ−Ａｄｖａｎｃｅｄシステム（以下、ＬＴＥ−Ａシステム）では、ＬＴＥシステムに比べて広帯域のシステム帯域幅をサポートするために、一つ以上のコンポーネントキャリアを結合して使用するキャリア併合（ＣＡ：Ｃａｒｒｉｅｒ  Ａｇｇｒｅｇａｔｉｏｎ）のような方法を用いることができる。キャリア併合は、搬送波集成、搬送波整合、マルチコンポーネントキャリア環境（Ｍｕｌｔｉ−ＣＣ）、又はマルチキャリア環境と呼ぶこともできる。
【０１７６】
本発明でマルチキャリアはキャリアの併合（又は、搬送波集成）を意味し、この場合、キャリアの併合は、隣接した（ｃｏｎｔｉｇｕｏｕｓ）キャリア間の併合だけでなく、非隣接した（ｎｏｎ−ｃｏｎｔｉｇｕｏｕｓ）キャリア間の併合も意味する。また、下りリンクと上りリンクにおいて集成されるコンポーネントキャリアの数を異なるように設定してもよい。下りリンクコンポーネントキャリア（以下、‘ＤＬ  ＣＣ’という。）数と上りリンクコンポーネントキャリア（以下、‘ＵＬ  ＣＣ’という。）数とが一致する場合を対称的（ｓｙｍｍｅｔｒｉｃ）併合といい、両者の数が異なる場合を非対称的（ａｓｙ
ｍｍｅｔｒｉｃ）併合という。このようなキャリア併合は、搬送波集成、帯域幅集成（ｂａｎｄｗｉｄｔｈ  ａｇｇｒｅｇａｔｉｏｎ）、スペクトラム集成（ｓｐｅｃｔｒｕｍ  ａｇｇｒｅｇａｔｉｏｎ）などのような用語に言い換えてもよい。
【０１７７】
２つ以上のコンポーネントキャリアが結合して構成されるキャリア併合は、ＬＴＥ−Ａシステムでは１００ＭＨｚ帯域幅までサポートすることを目標とする。目標帯域よりも小さい帯域幅を有する１個以上のキャリアを結合するとき、結合するキャリアの帯域幅は、既存ＩＭＴシステムとの互換性（ｂａｃｋｗａｒｄ  ｃｏｍｐａｔｉｂｉｌｉｔｙ）維持のために、既存システムで使用する帯域幅に制限することができる。
【０１７８】
例えば、既存の３ＧＰＰ  ＬＴＥシステムでは、｛１．４、３、５、１０、１５、２０｝ＭＨｚ帯域幅をサポートし、３ＧＰＰ  ＬＴＥ−ａｄｖａｎｃｅｄシステム（すなわち、ＬＴＥ−Ａ）では、既存システムとの互換のために、それらの帯域幅のみを用いて２０ＭＨｚよりも大きい帯域幅をサポートするようにすることができる。また、本発明で用いられるキャリア併合システムは、既存システムで用いる帯域幅にかかわらず、新しい帯域幅を定義してキャリア併合をサポートするようにすることもできる。
【０１７９】
また、このようなキャリア併合は、イントラ−バンドＣＡ（Ｉｎｔｒａ−ｂａｎｄ  ＣＡ）とインター−バンドＣＡ（Ｉｎｔｅｒ−ｂａｎｄ  ＣＡ）とに区別できる。イントラ−バンドキャリア併合とは、複数のＤＬ  ＣＣ及び／又はＵＬ  ＣＣが周波数上で隣接したり近接して位置することを意味する。言い換えると、ＤＬ  ＣＣ及び／又はＵＬ  ＣＣのキャリア周波数が同じバンド内に位置することを意味できる。一方、周波数領域において遠く離れている環境をインター−バンドＣＡ（Ｉｎｔｅｒ−Ｂａｎｄ  ＣＡ）と呼ぶことができる。言い換えると、複数のＤＬ  ＣＣ及び／又はＵＬ  ＣＣのキャリア周波数が、互いに異なるバンドに位置することを意味できる。この場合、端末は、キャリア併合環境における通信を行うために、複数のＲＦ（ｒａｄｉｏ  ｆｒｅｑｕｅｎｃｙ）端を使用することができる。
【０１８０】
ＬＴＥ−Ａシステムは、無線リソースを管理するためにセル（ｃｅｌｌ）の概念を用いる。上述したキャリア併合環境は、多重セル（ｍｕｌｔｉｐｌｅ  ｃｅｌｌｓ）環境と呼ぶことができる。セルは、下りリンクリソース（ＤＬ  ＣＣ）及び上りリンクリソース（ＵＬ  ＣＣ）の組合せと定義されるが、上りリンクリソースは必須要素ではない。このため、セルは、下りリンクリソース単独、又は下りリンクリソース及び上りリンクリソースの両者で構成することができる。
【０１８１】
例えば、特定端末が、１個の設定されたサービングセル（ｃｏｎｆｉｇｕｒｅｄ  ｓｅｒｖｉｎｇ  ｃｅｌｌ）を有する場合、１個のＤＬ  ＣＣと１個のＵＬ  ＣＣを有することができる。しかし、特定端末が２個以上の設定されたサービングセルを有する場合には、セルの数だけのＤＬ  ＣＣを有し、ＵＬ  ＣＣの数はそれと同数又は小さい数であってもよい。又は、これと逆にＤＬ  ＣＣとＵＬ  ＣＣが構成されてもよい。すなわち、特定端末が複数の設定されたサービングセルを有する場合、ＤＬ  ＣＣの数よりもＵＬ  ＣＣが多いキャリア併合環境がサポートされてもよい。
【０１８２】
また、キャリア結合（ＣＡ）は、それぞれのキャリア周波数（セルの中心周波数）が異なる２つ以上のセルの併合と理解されてもよい。キャリア結合でいう‘セル（Ｃｅｌｌ）’は、周波数の観点で説明されるものであり、一般的に使われる、基地局のカバーする地理的領域としての‘セル’とは区別されなければならない。以下、上述したイントラ−バンドキャリア併合をイントラ−バンド多重セルといい、インター−バンドキャリア併合をインター−バンド多重セルという。
【０１８３】
ＬＴＥ−Ａシステムで用いられるセルは、プライマリセル（ＰＣｅｌｌ：Ｐｒｉｍａｒｙ  Ｃｅｌｌ）及びセカンダリセル（ＳＣｅｌｌ：Ｓｅｃｏｎｄａｒｙ  Ｃｅｌｌ）を含む。ＰセルとＳセルはサービングセル（Ｓｅｒｖｉｎｇ  Ｃｅｌｌ）として用いることができる。ＲＲＣ＿ＣＯＮＮＥＣＴＥＤ状態にあるが、キャリア併合が設定されていないか又はキャリア併合をサポートしない端末の場合、Ｐセルのみで構成されたサービングセルが１つのみ存在する。一方、ＲＲＣ＿ＣＯＮＮＥＣＴＥＤ状態であるとともに、キャリア併合が設定されている端末の場合、一つ以上のサービングセルが存在してもよく、全体サービングセルにはＰセルと一つ以上のＳセルが含まれる。
【０１８４】
サービングセル（ＰセルとＳセル）は、ＲＲＣパラメータを用いて設定することができる。ＰｈｙｓＣｅｌｌＩｄは、セルの物理層識別子であって、０から５０３までの整数値を有する。ＳＣｅｌｌＩｎｄｅｘは、Ｓセルを識別するために使われる簡略な（ｓｈｏｒｔ）識別子であって、１から７までの整数値を有する。ＳｅｒｖＣｅｌｌＩｎｄｅｘは、サービングセル（Ｐセル又はＳセル）を識別するために使われる簡略な（ｓｈｏｒｔ）識別子であって、０から７までの整数値を有する。０値はＰセルに適用され、ＳＣｅｌｌＩｎｄｅｘはＳセルに適用するためにあらかじめ与えられる。すなわち、ＳｅｒｖＣｅｌｌＩｎｄｅｘにおいて最も小さいセルＩＤ（又はセルインデックス）を有するセルがＰセルとなる。
【０１８５】
Ｐセルはプライマリ周波数（又は、ｐｒｉｍａｒｙ  ＣＣ）上で動作するセルを意味する。端末が初期接続設定（ｉｎｉｔｉａｌ  ｃｏｎｎｅｃｔｉｏｎ  ｅｓｔａｂｌｉｓｈｍｅｎｔ）過程を行ったり、接続再−設定過程を行うために用いられてもよく、ハンドオーバー過程で指示されたセルのことを指してもよい。また、Ｐセルは、キャリア併合環境で設定されたサービングセルのうち、制御関連通信の中心となるセルを意味する。すなわち、端末は、自身のＰセルでのみＰＵＣＣＨ割り当てを受けて送信することができ、システム情報を取得したり、モニタリング手順を変更する時にＰセルのみを用いることができる。Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）は、キャリア併合環境をサポートする端末に対して、移動性制御情報（ｍｏｂｉｌｉｔｙＣｏｎｔｒｏｌＩｎｆｏ）を含む上位層のＲＲＣ接続再設定（ＲＲＣＣｏｎｎｅｃｔｉｏｎＲｅｃｏｎｆｉｇｕｔａｉｏｎ）メッセージを用いてハンドオーバー手順のためにＰセルのみを変更することもできる。
【０１８６】
Ｓセルはセカンダリ周波数（又は、Ｓｅｃｏｎｄａｒｙ  ＣＣ）上で動作するセルを意味できる。特定端末にＰセルは１一つのみ割り当てられ、Ｓセルは１つ以上割り当てられてもよい。Ｓセルは、ＲＲＣ接続設定がなされた後に構成可能であり、追加の無線リソースを提供するために用いることができる。キャリア併合環境で設定されたサービングセルにおいてＰセル以外のセル、すなわち、ＳセルにはＰＵＣＣＨが存在しない。
【０１８７】
Ｅ−ＵＴＲＡＮは、Ｓセルをキャリア併合環境をサポートする端末に追加するとき、ＲＲＣ＿ＣＯＮＮＥＣＴＥＤ状態にある関連したセルの動作に関する全てのシステム情報を特定シグナル（ｄｅｄｉｃａｔｅｄ  ｓｉｇｎａｌ）を用いて提供することができる。システム情報の変更は、関連したＳセルの解除及び追加によって制御することができ、このとき、上位層のＲＲＣ接続再設定（ＲＲＣＣｏｎｎｅｃｔｉｏｎＲｅｃｏｎｆｉｇｕｔａｉｏｎ）メッセージを用いることができる。Ｅ−ＵＴＲＡＮは、関連したＳセル内でブロードキャストするよりは、端末別に異なるパラメータを有する特定シグナリング（ｄｅｄｉｃａｔｅｄ  ｓｉｇｎａｌｉｎｇ）をすればよい。
【０１８８】
初期保安活性化過程が始まった後に、Ｅ−ＵＴＲＡＮは、接続設定過程で初期に構成されるＰセルに加えて一つ以上のＳセルを含むネットワークを構成することができる。キャリア併合環境でＰセル及びＳセルはそれぞれのコンポーネントキャリアとして動作するこ
とができる。以下の実施例では、プライマリコンポーネントキャリア（ＰＣＣ）はＰセルと同じ意味で使われ、セカンダリコンポーネントキャリア（ＳＣＣ）はＳセルと同じ意味で使われてもよい。
【０１８９】
図１３は、本発明の実施例で用いられるコンポーネントキャリア（ＣＣ）、及びＬＴＥ＿Ａシステムで用いられるキャリア併合の一例を示す図である。
【０１９０】
図１３（ａ）は、ＬＴＥシステムで用いられる単一キャリア構造を示す。コンポーネントキャリアにはＤＬ  ＣＣとＵＬ  ＣＣがある。一つのコンポーネントキャリアは２０ＭＨｚの周波数範囲を有することができる。
【０１９１】
図１３（ｂ）は、ＬＴＥ＿Ａシステムで用いられるキャリア併合構造を示す。図１２（ｂ）では、２０ＭＨｚの周波数サイズを有する３個のコンポーネントキャリアが結合した場合を示している。ＤＬ  ＣＣとＵＬ  ＣＣがそれぞれ３個ずつあるが、ＤＬ  ＣＣとＵＬ  ＣＣの数に制限があるわけではない。キャリア併合の場合、端末は３個のＣＣを同時にモニタすることができ、下りリンク信号／データを受信することができ、上りリンク信号／データを送信することができる。
【０１９２】
仮に、特定セルでＮ個のＤＬ  ＣＣが管理される場合には、ネットワークは、端末にＭ（Ｍ≦Ｎ）個のＤＬ  ＣＣを割り当てることができる。ここで、端末はＭ個の制限されたＤＬ  ＣＣのみをモニタしてＤＬ信号を受信することができる。また、ネットワークはＬ（Ｌ≦Ｍ≦Ｎ）個のＤＬ  ＣＣに優先順位を与えて主なＤＬ  ＣＣを端末に割り当てることもでき、この場合、ＵＥはＬ個のＤＬ  ＣＣは必ずモニタしなければならない。この方式は上りリンク送信にも同一に適用されてもよい。
【０１９３】
下りリンクリソースの搬送波周波数（又はＤＬ  ＣＣ）と上りリンクリソースの搬送波周波数（又は、ＵＬ  ＣＣ）とのリンケージ（ｌｉｎｋａｇｅ）は、ＲＲＣメッセージのような上位層メッセージやシステム情報で示すことができる。例えば、ＳＩＢ２（Ｓｙｓｔｅｍ  Ｉｎｆｏｒｍａｔｉｏｎ  Ｂｌｏｃｋ  Ｔｙｐｅ２）によって定義されるリンケージによってＤＬリソースとＵＬリソースとの組合せを構成することができる。具体的に、リンケージは、ＵＬグラントを運ぶＰＤＣＣＨが送信されるＤＬ  ＣＣと該ＵＬグラントを用いるＵＬ  ＣＣとのマッピング関係を意味することができ、ＨＡＲＱのためのデータが送信されるＤＬ  ＣＣ（又はＵＬ  ＣＣ）とＨＡＲＱ  ＡＣＫ／ＮＡＣＫ信号が送信されるＵＬ  ＣＣ（又はＤＬ  ＣＣ）とのマッピング関係を意味することもできる。
【０１９４】
２．２  クロスキャリアスケジューリング（Ｃｒｏｓｓ  Ｃａｒｒｉｅｒ  Ｓｃｈｅｄｕｌｉｎｇ）
【０１９５】
キャリア併合システムには、キャリア（又は搬送波）又はサービングセル（Ｓｅｒｖｉｎｇ  Ｃｅｌｌ）に対するスケジューリング観点で、自己スケジューリング（Ｓｅｌｆ−Ｓｃｈｅｄｕｌｉｎｇ）方法及びクロスキャリアスケジューリング（Ｃｒｏｓｓ  Ｃａｒｒｉｅｒ  Ｓｃｈｅｄｕｌｉｎｇ）方法がある。クロスキャリアスケジューリングは、クロスコンポーネントキャリアスケジューリング（Ｃｒｏｓｓ  Ｃｏｍｐｏｎｅｎｔ  Ｃａｒｒｉｅｒ  Ｓｃｈｅｄｕｌｉｎｇ）又はクロスセルスケジューリング（Ｃｒｏｓｓ  Ｃｅｌｌ  Ｓｃｈｅｄｕｌｉｎｇ）と呼ぶこともできる。
【０１９６】
自己スケジューリングは、ＰＤＣＣＨ（ＤＬグラント）とＰＤＳＣＨが同一ＤＬ  ＣＣで送信されたり、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣで送信されることを意味する。
【０１９７】
クロスキャリアスケジューリングは、ＰＤＣＣＨ（ＤＬグラント）とＰＤＳＣＨがそれぞれ異なるＤＬ  ＣＣで送信されたり、又はＤＬ  ＣＣで送信されたＰＤＣＣＨ（ＵＬグラント）によって送信されるＰＵＳＣＨが、ＵＬグラントを受信したＤＬ  ＣＣとリンクされているＵＬ  ＣＣ以外のＵＬ  ＣＣで送信されることを意味する。
【０１９８】
クロスキャリアスケジューリングは、端末特定（ＵＥ−ｓｐｅｃｉｆｉｃ）に活性化又は非活性化することができ、上位層シグナリング（例えば、ＲＲＣシグナリング）用いて半静的（ｓｅｍｉ−ｓｔａｔｉｃ）に各端末に対して知らせることができる。
【０１９９】
クロスキャリアスケジューリングが活性化された場合、ＰＤＣＣＨには、該ＰＤＣＣＨが示すＰＤＳＣＨ／ＰＵＳＣＨがどのＤＬ／ＵＬ  ＣＣで送信されるかを知らせるキャリア指示子フィールド（ＣＩＦ：Ｃａｒｒｉｅｒ  Ｉｎｄｉｃａｔｏｒ  Ｆｉｅｌｄ）が必要である。例えば、ＰＤＣＣＨは、ＰＤＳＣＨリソース又はＰＵＳＣＨリソースをＣＩＦを用いて複数のコンポーネントキャリアのうちの一つに割り当てることができる。すなわち、ＤＬ  ＣＣ上のＰＤＣＣＨが多重集成されたＤＬ／ＵＬ  ＣＣのうちの一つにＰＤＳＣＨ又はＰＵＳＣＨリソースを割り当てる場合にＣＩＦが設定される。この場合、ＬＴＥ
Ｒｅｌｅａｓｅ−８のＤＣＩフォーマットはＣＩＦによって拡張されてもよい。このとき、設定されたＣＩＦは、３ビットフィールドに固定されてもよく、設定されたＣＩＦの位置はＤＣＩフォーマットサイズに関係なく固定されてもよい。また、ＬＴＥ  Ｒｅｌｅａｓｅ−８のＰＤＣＣＨ構造（同一のコーディング及び同一のＣＣＥベースのリソースマッピング）を再使用してもよい。
【０２００】
一方、ＤＬ  ＣＣ上のＰＤＣＣＨが同ＤＬ  ＣＣ上のＰＤＳＣＨリソースを割り当てたり、単一リンクされたＵＬ  ＣＣ上のＰＵＳＣＨリソースを割り当てる場合には、ＣＩＦが設定されない。この場合、ＬＴＥ  Ｒｅｌｅａｓｅ−８と同じＰＤＣＣＨ構造（同一のコーディング及び同一のＣＣＥベースのリソースマッピング）とＤＣＩフォーマットが用いられてもよい。
【０２０１】
クロスキャリアスケジューリングが可能な場合、端末はＣＣ別送信モード及び／又は帯域幅によってモニタリングＣＣの制御領域で複数のＤＣＩに対するＰＤＣＣＨをモニタする必要がある。このため、これをサポートできる検索空間の構成とＰＤＣＣＨモニタリングが必要である。
【０２０２】
キャリア併合システムにおいて、端末ＤＬ  ＣＣ集合は、端末がＰＤＳＣＨを受信するようにスケジュールされたＤＬ  ＣＣの集合を指し、端末ＵＬ  ＣＣ集合は、端末がＰＵＳＣＨを送信するようにスケジュールされたＵＬ  ＣＣの集合を指す。また、ＰＤＣＣＨモニタリング集合（ｍｏｎｉｔｏｒｉｎｇ  ｓｅｔ）は、ＰＤＣＣＨモニタリングを行う少なくとも一つのＤＬ  ＣＣの集合を意味する。ＰＤＣＣＨモニタリング集合は、端末ＤＬ  ＣＣ集合と同一であってもよく、端末ＤＬ  ＣＣ集合の副集合（ｓｕｂｓｅｔ）であってもよい。ＰＤＣＣＨモニタリング集合は、端末ＤＬ  ＣＣ集合におけるＤＬ  ＣＣの少なくとも一つを含むことができる。又は、ＰＤＣＣＨモニタリング集合は、端末ＤＬ  ＣＣ集合とは別個に定義されてもよい。ＰＤＣＣＨモニタリング集合に含まれるＤＬ  ＣＣは、リンクされたＵＬ  ＣＣに対する自己スケジューリング（ｓｅｌｆ−ｓｃｈｅｄｕｌｉｎｇ）は常に可能なように設定することができる。このような、端末ＤＬ  ＣＣ集合、端末ＵＬ  ＣＣ集合及びＰＤＣＣＨモニタリング集合は、端末特定（ＵＥ−ｓｐｅｃｉｆｉｃ）、端末グループ特定（ＵＥ  ｇｒｏｕｐ−ｓｐｅｃｉｆｉｃ）又はセル特定（Ｃｅｌｌ−ｓｐｅｃｉｆｉｃ）に設定することができる。
【０２０３】
クロスキャリアスケジューリングが非活性化された場合には、ＰＤＣＣＨモニタリング
集合が常に端末ＤＬ  ＣＣ集合と同一であるということを意味し、このような場合にはＰＤＣＣＨモニタリング集合に対する別のシグナリングのような指示が必要でない。しかし、クロスキャリアスケジューリングが活性化された場合には、ＰＤＣＣＨモニタリング集合が端末ＤＬ  ＣＣ集合内で定義されることが好ましい。すなわち、端末に対してＰＤＳＣＨ又はＰＵＳＣＨをスケジュールするために、基地局はＰＤＣＣＨモニタリング集合のみを介してＰＤＣＣＨを送信する。
【０２０４】
図１４は、本発明の実施例で用いられるクロスキャリアスケジューリングによるＬＴＥ−Ａシステムのサブフレーム構造を示す図である。
【０２０５】
図１４を参照すると、ＬＴＥ−Ａ端末のためのＤＬサブフレームは、３個の下りリンクコンポーネントキャリア（ＤＬ  ＣＣ）が結合されており、ＤＬ  ＣＣ  ‘Ａ’はＰＤＣＣＨモニタリングＤＬ  ＣＣとして設定された場合を示す。ＣＩＦが使用されない場合、各ＤＬ  ＣＣはＣＩＦ無しで自身のＰＤＳＣＨをスケジュールするＰＤＣＣＨを送信することができる。一方、ＣＩＦが上位層シグナリングによって使用される場合には、一つのＤＬ  ＣＣ  ‘Ａ’のみがＣＩＦを用いて自身のＰＤＳＣＨ又は他のＣＣのＰＤＳＣＨをスケジュールするＰＤＣＣＨを送信することができる。ここで、ＰＤＣＣＨモニタリングＤＬ  ＣＣとして設定されていないＤＬ  ＣＣ  ‘Ｂ’及び‘Ｃ’はＰＤＣＣＨを送信しない。
【０２０６】
図１５は、本発明の実施例で用いられるクロスキャリアスケジューリングによるサービングセル構成の一例を示す図である。
【０２０７】
キャリア結合（ＣＡ）をサポートする無線接続システムでは基地局及び／又は端末を一つ以上のサービングセルで構成することができる。図１５で、基地局は、Ａセル、Ｂセル、Ｃセル及びＤセルの総４個のサービングセルをサポートすることができ、端末ＡはＡセル、Ｂセル及びＣセルで構成され、端末ＢはＢセル、Ｃセル及びＤセルで構成され、端末ＣはＢセルで構成された場合を仮定する。ここで、各端末に構成されたセルのうち少なくとも一つをＰセルとして設定することができる。ここで、Ｐセルは常に活性化された状態であり、Ｓセルは基地局及び／又は端末によって活性化又は非活性化されてもよい。
【０２０８】
図１５で、構成されたセルは、基地局のセルのうち、端末からの測定報告（ｍｅａｓｕｒｅｍｅｎｔ  ｒｅｐｏｒｔ）メッセージに基づいてＣＡにセル追加が可能なセルであって、端末別に設定可能である。構成されたセルは、ＰＤＳＣＨ信号送信に対するＡＣＫ／ＮＡＣＫメッセージの送信のためのリソースをあらかじめ予約しておく。活性化されたセル（Ａｃｔｉｖａｔｅｄ  ｃｅｌｌ）は、構成されたセルのうち、実際にＰＤＳＣＨ信号及び／又はＰＵＳＣＨ信号を送信するように設定されたセルであり、ＣＳＩ報告及びＳＲＳ（Ｓｏｕｎｄｉｎｇ  Ｒｅｆｅｒｅｎｃｅ  Ｓｉｇｎａｌ）送信を行う。非活性化されたセル（Ｄｅ−Ａｃｔｉｖａｔｅｄ  ｃｅｌｌ）は、基地局の命令又はタイマー動作によってＰＤＳＣＨ／ＰＵＳＣＨ信号の送受信を行わないように構成されるセルであって、ＣＳＩ報告及びＳＲＳ送信も中断される。
【０２０９】
２．３  ＰＵＣＣＨを用いたＣＳＩ（Ｃｈａｎｎｅｌ  Ｓｔａｔｅ  Ｉｎｆｏｒｍａｔｉｏｎ）のフィードバック
【０２１０】
まず、３ＧＰＰ  ＬＴＥシステムでは、下りリンク受信主体（例えば、端末）が下りリンク送信主体（例えば、基地局）に接続している時に、下りリンクで送信される参照信号の受信強度（ＲＳＲＰ：ｒｅｆｅｒｅｎｃｅ  ｓｉｇｎａｌ  ｒｅｃｅｉｖｅｄ  ｐｏｗｅｒ）、参照信号の品質（ＲＳＲＱ：ｒｅｆｅｒｅｎｃｅ  ｓｉｇｎａｌ  ｒｅｃｅｉｖｅｄ  ｑｕａｌｉｔｙ）などに対する測定を任意の時間に行い、測定結果を基地局に周期
的（ｐｅｒｉｏｄｉｃ）に或いはイベントベース（ｅｖｅｎｔ  ｔｒｉｇｇｅｒｅｄ）に報告することができる。
【０２１１】
それぞれの端末は、下りリンクチャネル状況による下りリンクチャネル情報を上りリンクで報告し、基地局はそれぞれの端末から受信した下りリンクチャネル情報を用いて、それぞれの端末別にデータ送信のために適切な時間／周波数リソースと変調及びコーディング技法（ＭＣＳ：Ｍｏｄｕｌａｔｉｏｎ  ａｎｄ  Ｃｏｄｉｎｇ  Ｓｃｈｅｍｅ）などを定めることができる。
【０２１２】
このようなチャネル状態情報（ＣＳＩ：Ｃｈａｎｎｅｌ  Ｓｔａｔｅ  Ｉｎｆｏｒｍａｔｉｏｎ）は、ＣＱＩ（Ｃｈａｎｎｅｌ  Ｑｕａｌｉｔｙ  Ｉｎｄｉｃａｔｉｏｎ）、ＰＭＩ（Ｐｒｅｃｏｄｉｎｇ  Ｍａｔｒｉｘ  Ｉｎｄｉｃａｔｏｒ）、ＰＴＩ（Ｐｒｅｃｏｄｅｒ  Ｔｙｐｅ  Ｉｎｄｉｃａｔｉｏｎ）及び／又はＲＩ（Ｒａｎｋ  Ｉｎｄｉｃａｔｉｏｎ）で構成することができる。また、それぞれの端末の送信モードによって、ＣＳＩは全て送信されてもよく、一部のみ送信されてもよい。ＣＱＩは、端末の受信信号品質（ｒｅｃｅｉｖｅｄ  ｓｉｇｎａｌ  ｑｕａｌｉｔｙ）によって定められるが、これは一般に、下りリンク参照信号の測定に基づいて決定することができる。このとき、実際に基地局に伝達されるＣＱＩ値は、端末の測定した受信信号品質でブロックエラー率（ＢＬＥＲ：Ｂｌｏｃｋ  Ｅｒｒｏｒ  Ｒａｔｅ）を１０％以下に維持しながら最大の性能を奏するＭＣＳに該当する。
【０２１３】
また、このようなチャネル情報の報告方式は、周期的に送信される周期的報告（ｐｅｒｉｏｄｉｃ  ｒｅｐｏｒｔｉｎｇ）と、基地局の要求に応じて送信される非周期的報告（ａｐｅｒｉｏｄｉｃ  ｒｅｐｏｒｔｉｎｇ）とに区別される。
【０２１４】
非周期的報告の場合、基地局が端末に送信する上りリンクスケジューリング情報に含まれた１ビットの要求ビット（ＣＱＩ  ｒｅｑｕｅｓｔ  ｂｉｔ）によってそれぞれの端末に設定され、それぞれの端末は、この情報を受けると、自身の送信モードを考慮したチャネル情報をＰＵＳＣＨで基地局に伝達することができる。同じＰＵＳＣＨ上でＲＩ及びＣＱＩ／ＰＭＩが送信されないように設定することができる。
【０２１５】
周期的報告の場合、上位層信号を用いて、チャネル情報の送信される周期、及び当該周期におけるオフセット（ｏｆｆｓｅｔ）などをサブフレーム単位にそれぞれの端末にシグナルし、定められた周期にしたがって、それぞれの端末の送信モードを考慮したチャネル情報をＰＵＣＣＨで基地局に伝達することができる。定められた周期にしたがってチャネル情報が送信されるサブフレームに、上りリンクで送信されるデータが同時に存在する場合には、当該チャネル情報をＰＵＣＣＨではなくＰＵＳＣＨでデータと併せて送信することができる。ＰＵＣＣＨを用いる周期的報告の場合には、ＰＵＳＣＨに比べて制限されたビット（例えば、１１ビット）が用いられてもよい。同じＰＵＳＣＨ上でＲＩ及びＣＱＩ／ＰＭＩが送信されてもよい。
【０２１６】
周期的報告と非周期的報告とが同一のサブフレーム内で衝突する場合には、非周期的報告のみを行うことができる。
【０２１７】
広帯域（Ｗｉｄｅｂａｎｄ）ＣＱＩ／ＰＭＩの計算において、最も最近に送信されたＲＩを用いることができる。ＰＵＣＣＨ  ＣＳＩ報告モード（ｒｅｐｏｒｔｉｎｇ  ｍｏｄｅ）におけるＲＩは、ＰＵＳＣＨ  ＣＳＩ報告モードにおけるＲＩとは独立しており（ｉｎｄｅｐｅｎｄｅｎｔ）、ＰＵＳＣＨ  ＣＳＩ報告モードにおけるＲＩは、当該ＰＵＳＣＨ  ＣＳＩ報告モードにおけるＣＱＩ／ＰＭＩにのみ有効（ｖａｌｉｄ）である。
【０２１８】
表１６は、ＰＵＣＣＨで送信されるＣＳＩフィードバックタイプ及びＰＵＣＣＨ  ＣＳＩ報告モードを説明する表である。
【０２１９】
【表１６】
2019198125.tif 000054
【０２２０】
表１６を参照すると、チャネル状態情報の周期的報告（ｐｅｒｉｏｄｉｃ  ｒｅｐｏｒｔｉｎｇ）においてＣＱＩとＰＭＩフィードバックタイプによって、モード１−０、１−１、２−０及び２−１の４つの報告モード（ｒｅｐｏｒｔｉｎｇ  ｍｏｄｅ）に区別することができる。
【０２２１】
ＣＱＩフィードバックタイプによって広帯域ＣＱＩ（ＷＢ  ＣＱＩ：ｗｉｄｅｂａｎｄ
ＣＱＩ）とサブバンド（ＳＢ  ＣＱＩ：ｓｕｂｂａｎｄ  ＣＱＩ）とに分けられ、ＰＭＩ送信の有無によってＮｏ  ＰＭＩと単一（ｓｉｎｇｌｅ）ＰＭＩとに分けられる。表１６では、Ｎｏ  ＰＭＩが開−ループ（ＯＬ：ｏｐｅｎ−ｌｏｏｐ）、送信ダイバーシティ（ＴＤ：Ｔｒａｎｓｍｉｔ  Ｄｉｖｅｒｓｉｔｙ）及び単一−アンテナ（ｓｉｎｇｌｅ−ａｎｔｅｎｎａ）の場合に該当し、単一ＰＭＩは閉−ループ（ＣＬ：ｃｌｏｓｅｄ−ｌｏｏｐ）に該当する。
【０２２２】
モード１−０は、ＰＭＩ送信はなく、ＷＢ  ＣＱＩが送信される場合である。この場合、ＲＩは、開−ループ（ＯＬ）空間多重化（ＳＭ：Ｓｐａｔｉａｌ  Ｍｕｌｔｉｐｌｅｘｉｎｇ）の場合にのみ送信され、４ビットで表現される一つのＷＢ  ＣＱＩが送信される。ＲＩが１を超える場合には、第１コードワードに対するＣＱＩが送信されてもよい。
【０２２３】
モード１−１は、単一ＰＭＩ及びＷＢ  ＣＱＩが送信される場合である。この場合、ＲＩ送信と併せて、４ビットのＷＢ  ＣＱＩ及び４ビットのＷＢ  ＰＭＩが送信されてもよい。さらに、ＲＩが１超える場合には、３ビットのＷＢ空間差分ＣＱＩ（Ｗｉｄｅｂａｎｄ  Ｓｐａｔｉａｌ  Ｄｉｆｆｅｒｅｎｔｉａｌ  ＣＱＩ）が送信されてもよい。２コードワードの送信において、ＷＢ空間差分ＣＱＩは、コードワード１に対するＷＢ  ＣＱＩインデックスとコードワード２に対するＷＢ  ＣＱＩインデックスとの差値を表してもよい。これらの差値は、集合｛−４，−３，−２，−１，０，１，２，３｝のいずれか一つ
の値を有し、３ビットで表現されてもよい。
【０２２４】
モード２−０は、ＰＭＩ送信はなく、端末が選択した（ＵＥ  ｓｅｌｅｃｔｅｄ）帯域のＣＱＩが送信される場合である。この場合、ＲＩは、開−ループ空間多重化（ＯＬ  ＳＭ）の場合にのみ送信され、４ビットで表現されるＷＢ  ＣＱＩが送信されてもよい。また、それぞれの帯域幅部分（ＢＰ：Ｂａｎｄｗｉｄｔｈ  Ｐａｒｔ）で最適（Ｂｅｓｔ−１）のＣＱＩが送信され、Ｂｅｓｔ−１  ＣＱＩは４ビットで表現されてもよい。また、Ｂｅｓｔ−１を指示するＬビットの指示子（ｉｎｄｉｃａｔｏｒ）が併せて送信されてもよい。ＲＩが１を超える場合には、第１コードワードに対するＣＱＩが送信されてもよい。
【０２２５】
モード２−１は、単一ＰＭＩ及び端末が選択した（ＵＥ  ｓｅｌｅｃｔｅｄ）帯域のＣＱＩが送信される場合である。この場合、ＲＩ送信と併せて、４ビットのＷＢ  ＣＱＩ、３ビットのＷＢ空間差分ＣＱＩ及び４ビットのＷＢ  ＰＭＩが送信されてもよい。さらに、それぞれの帯域幅部分（ＢＰ）で４ビットのＢｅｓｔ−１  ＣＱＩが送信され、ＬビットのＢｅｓｔ−１指示子が併せて送信されてもよい。さらに、ＲＩが１超える場合には、３ビットのＢｅｓｔ−１空間差分ＣＱＩが送信されてもよい。これは、２コードワード送信において、コードワード１のＢｅｓｔ−１  ＣＱＩインデックスとコードワード２のＢｅｓｔ−１  ＣＱＩインデックスとの差値を表すことができる。
【０２２６】
各送信モード（ｔｒａｎｓｍｉｓｓｉｏｎ  ｍｏｄｅ）に対して次のように周期的なＰＵＣＣＨ  ＣＳＩ報告モードがサポートされる。
【０２２７】
１）送信モード１：モード１−０及び２−０
【０２２８】
２）送信モード２：モード１−０及び２−０
【０２２９】
３）送信モード３：モード１−０及び２−０
【０２３０】
４）送信モード４：モード１−１及び２−１
【０２３１】
５）送信モード５：モード１−１及び２−１
【０２３２】
６）送信モード６：モード１−１及び２−１
【０２３３】
７）送信モード７：モード１−０及び２−０
【０２３４】
８）送信モード８：端末がＰＭＩ／ＲＩを報告するように設定される場合にはモード１−１及び２−１、端末がＰＭＩ／ＲＩ報告をしないように設定される場合にはモード１−０及び２−０
【０２３５】
９）送信モード９：端末がＰＭＩ／ＲＩを報告するように設定され、ＣＳＩ−ＲＳポートの数＞１の場合にモード１−１及び２−１、端末がＰＭＩ／ＲＩ報告をしないように設定されたりＣＳＩ−ＲＳポートの数＝１の場合にモード１−０及び２−０
【０２３６】
各サービングセルで周期的なＰＵＣＣＨ  ＣＳＩ報告モードは、上位層シグナリングによって設定される。モード１−１は、‘ＰＵＣＣＨ＿ｆｏｒｍａｔ１−１＿ＣＳＩ＿ｒｅｐｏｒｔｉｎｇ＿ｍｏｄｅ’パラメータを使用する上位層シグナリングによってサブモード（ｓｕｂｍｏｄｅ）１又はサブモード２のいずれか一つに設定される。
【０２３７】
端末の選択したＳＢ  ＣＱＩにおいて特定サービングセルの特定サブフレームでＣＱＩ報告は、サービングセルの帯域幅の一部分である帯域幅部分（ＢＰ：Ｂａｎｄｗｉｄｔｈ
Ｐａｒｔ）の一つ以上のチャネル状態の測定を意味する。帯域幅部分は、最も低い周波数から始まって周波数が増加する順序で帯域幅サイズの増加無しでインデックスが与えられる。
【０２３８】
２．４  ＰＵＣＣＨを用いたＡＣＫ／ＮＡＣＫ送信方法
【０２３９】
２．４．１  ＬＴＥシステムにおけるＡＣＫ／ＮＡＣＫ送信
【０２４０】
端末が基地局から受信した多重データユニットに相応する複数のＡＣＫ／ＮＡＣＫ信号を同時に送信しなければならない状況で、ＡＣＫ／ＮＡＣＫ信号の単一キャリア特性を維持させるとともに総ＡＣＫ／ＮＡＣＫ送信電力を減少させるために、ＰＵＣＣＨリソース選択に基づくＡＣＫ／ＮＡＣＫ多重化方法を考慮することができる。ＡＣＫ／ＮＡＣＫ多重化と共に、多重データユニットに対するＡＣＫ／ＮＡＣＫ信号のコンテンツは、実際にＡＣＫ／ＮＡＣＫ送信に用いられるＰＵＣＣＨリソースとＱＰＳＫ変調シンボルのうちの一つとの組合せによって識別することができる。例えば、仮に一つのＰＵＣＣＨリソースが４ビットを搬送し、最大４データユニットが送信されるとすれば（ここで、各データユニットに対するＨＡＲＱ動作は、単一ＡＣＫ／ＮＡＣＫビットによって管理されると仮定する。）、送信ノード（Ｔｘ  ｎｏｄｅ）は、ＰＵＣＣＨ信号の送信位置及びＡＣＫ／ＮＡＣＫ信号のビットに基づいてＡＣＫ／ＮＡＣＫ結果を次の表１７のように識別することができる。
【０２４１】
【表１７】
2019198125.tif 000055
【０２４２】
表１７で、ＨＡＲＱ−ＡＣＫ（ｉ）は、データユニットｉに対するＡＣＫ／ＮＡＣＫ結果を表す。例えば、最大４個のデータユニットが送信される場合、ｉ＝０，１，２，３である。表１７で、ＤＴＸは、相応するＨＡＲＱ−ＡＣＫ（ｉ）に対して送信されたデータユニットがないことを意味したり、又は受信ノード（Ｒｘ  ｎｏｄｅ）がＨＡＲＱ−ＡＣＫ（ｉ）に相応するデータユニットの検出に失敗したことを意味する。
【０２４３】
また、
【数３７】
2019198125.tif 000056
は、実際にＡＣＫ／ＮＡＣＫ送信に用いられるＰＵＣＣＨリソースを表す。このとき、４個のデータユニットが存在する状況で、最大４個のＰＵＣＣＨリソースである
【数３８】
2019198125.tif 000057
が端末に割り当てられてもよい。
【０２４４】
また、
【数３９】
2019198125.tif 000058
は、選択されたＰＵＣＣＨリソースで搬送される２ビットを意味する。ＰＵＣＣＨリソースで送信される変調シンボルは、当該ビットによって決定される。例えば、仮に受信ノードが４個のデータユニットを成功的に受信すると、受信ノードはＰＵＣＣＨリソース
【数４０】
2019198125.tif 000059
を用いて２ビット（１，１）を送信しなければならない。又は、仮に受信ノードが４個のデータユニットを受信したが、第１及び第３データユニット（すなわち、ＨＡＲＱ−ＡＣＫ（０）及びＨＡＲＱ−ＡＣＫ（２））のデコーディングに失敗すると、受信ノードは、ＰＵＣＣＨリソース
【数４１】
2019198125.tif 000060
を用いて２ビット（１，０）を送信ノードに送信しなければならない。
【０２４５】
このように、実際ＡＣＫ／ＮＡＣＫコンテンツを、ＰＵＣＣＨリソース選択及びＰＵＣＣＨリソースで送信される実際ビットコンテンツと連係（ｌｉｎｋｉｎｇ）することによって、多重データユニットに対するＡＣＫ／ＮＡＣＫを単一のＰＵＣＣＨリソースを用いて送信することができる。
【０２４６】
基本的に、全てのデータユニットに対する少なくとも一つのＡＣＫが存在すると、ＡＣＫ／ＮＡＣＫ多重化方法（表１７参照）においてＮＡＣＫ及びＤＴＸはＮＡＣＫ／ＤＴＸのように連結される。なぜなら、ＰＵＣＣＨリソースとＱＰＳＫシンボルとの組合せはあらゆるＡＣＫ，ＮＡＣＫ及びＤＴＸ状況をカバーするには足りないからである。一方、いずれのデータユニットに対してもＡＣＫが存在しない場合には（すなわち、ＮＡＣＫ又はＤＴＸのみが存在する場合）、ＤＴＸとデカップルされた単一ＮＡＣＫが、一つのＨＡＲＱ−ＡＣＫ（ｉ）と定義される。このような場合、単一ＮＡＣＫに相応するデータユニットに連結されたＰＵＣＣＨリソースは、多重ＡＣＫ／ＮＡＣＫ信号の送信のために留保されてもよい。
【０２４７】
２．４．２  ＬＴＥ−ＡシステムにおけるＡＣＫ／ＮＡＣＫ送信
【０２４８】
ＬＴＥ−Ａシステム（例えば、Ｒｅｌ−１０、１１、１２など）では、複数のＤＬ  ＣＣで送信された複数のＰＤＳＣＨ信号に対する複数のＡＣＫ／ＮＡＣＫ信号を、特定ＵＬ
ＣＣで送信することを考慮している。そのために、ＬＴＥシステムのＰＵＣＣＨフォーマット１ａ／１ｂを用いたＡＣＫ／ＮＡＣＫ送信とは違い、複数のＡＣＫ／ＮＡＣＫ信号をチャネルコード（例、Ｒｅｅｄ−Ｍｕｌｌｅｒ  ｃｏｄｅ、Ｔａｉｌ−ｂｉｔｉｎｇ  ｃｏｎｖｏｌｕｔｉｏｎａｌ  ｃｏｄｅなど）した後、ＰＵＣＣＨフォーマット２、又は次のようなブロック拡散（Ｂｌｏｃｋ−ｓｐｒｅａｄｉｎｇ）ベースの変形された形態の新しいＰＵＣＣＨフォーマット（例えば、Ｅ−ＰＵＣＣＨ  ｆｏｒｍａｔ）を用いて、複数のＡＣＫ／ＮＡＣＫ情報／信号を送信することができる。
【０２４９】
図１６は、ブロック拡散ベースの新しいＰＵＣＣＨフォーマットの一例を示す図である。
【０２５０】
ブロック拡散技法は、制御情報／信号（例、ＡＣＫ／ＮＡＣＫなど）の送信を、ＬＴＥシステムにおけるＰＵＣＣＨフォーマット１又は２系列とは違い、ＳＣ−ＦＤＭＡ方式を用いて変調する方法である。ブロック拡散技法は、図１６に示すように、シンボルシーケンスを直交カバーコード（ＯＣＣ：Ｏｒｔｈｏｇｏｎａｌ  Ｃｏｖｅｒ  Ｃｏｄｅ）に基づいて時間領域上で拡散（ｔｉｍｅ−ｄｏｍａｉｎ  ｓｐｒｅａｄｉｎｇ）して送信する方式である。すなわち、ＯＣＣを用いてシンボルシーケンスを拡散することによって、同じＲＢに複数の端末に対する制御信号を多重化することができる。
【０２５１】
前述した、ＰＵＣＣＨフォーマット２では、一つのシンボルシーケンスが時間領域にわたって送信され、ＣＡＺＡＣシーケンスの循環遷移（すなわち、ＣＣＳ：Ｃｙｃｌｉｃ  Ｓｈｉｆｔ）によって端末多重化が行われる。しかし、ブロック拡散ベースの新しいＰＵＣＣＨフォーマットの場合、一つのシンボルシーケンスが周波数領域にわたって送信され、ＯＣＣベースの時間領域拡散によって端末多重化が行われる。
【０２５２】
例えば、図１６に示すように、一つのシンボルシーケンスを、長さ−５（すなわち、ＳＦ＝５）のＯＣＣによって５個のＳＣ−ＦＤＭＡシンボルとして生成することができる。図１６では、１スロットにおいて総２個のＲＳシンボルが用いられているが、３個のＲＳシンボルが用いられ、ＳＦ＝４のＯＣＣを用いる方式などの様々な方式が可能である。このとき、ＲＳシンボルは、特定循環遷移を有するＣＡＺＡＣシーケンスによって生成されてもよく、また、時間領域の複数ＲＳシンボルに特定ＯＣＣが適用された（掛けられた）形態で送信されてもよい。
【０２５３】
本発明の実施例では、説明の便宜のために、ＰＵＣＣＨフォーマット２又は新しいＰＵＣＣＨフォーマット（例えば、Ｅ−ＰＵＣＣＨ  ｆｏｒｍａｔ）を使用するチャネルコーディングベースの複数ＡＣＫ／ＮＡＣＫ送信方式を、“マルチビットＡＣＫ／ＮＡＣＫコーディング（ｍｕｌｔｉ−ｂｉｔ  ＡＣＫ／ＮＡＣＫ  ｃｏｄｉｎｇ）送信方法”と定義する。
【０２５４】
マルチビットＡＣＫ／ＮＡＣＫコーディング方法は、複数ＤＬ  ＣＣ上で送信されるＰＤＳＣＨ信号に対するＡＣＫ／ＮＡＣＫ又はＤＴＸ情報（ＰＤＣＣＨの受信／検出に失敗したことを意味する。）をチャネルコードして生成されたＡＣＫ／ＮＡＣＫコードブロックを送信する方法を意味する。
【０２５５】
例えば、端末があるＤＬ  ＣＣでＳＵ−ＭＩＭＯモードで動作し、２個のコードワード（ＣＷ：Ｃｏｄｅｗｏｒｄ）を受信すると、当該ＤＬ  ＣＣに対してＣＷ別にＡＣＫ／ＡＣＫ、ＡＣＫ／ＮＡＣＫ，ＮＡＣＫ／ＡＣＫ、ＮＡＣＫ／ＮＡＣＫの総４個のフィードバック状態、又はＤＴＸをさらに含んで最大５個のフィードバック状態を有することができる。また、仮に、端末が単一ＣＷを受信すると、ＡＣＫ、ＮＡＣＫ及び／又はＤＴＸの最大３個の状態を有することができる。仮に、ＮＡＣＫをＤＴＸと同一に処理すると、ＡＣＫ、ＮＡＣＫ／ＤＴＸの総２個の状態を有することができる。
【０２５６】
したがって、端末に最大５個のＤＬ  ＣＣが構成され、端末が全てのＤＬ  ＣＣでＳＵ−ＭＩＭＯモードで動作すると、最大５５個の送信可能なフィードバック状態を有することができる。ここで、５５個のフィードバック状態を表現するためのＡＣＫ／ＮＡＣＫペイロードのサイズとしては、総１２ビットが必要である。仮に、ＤＴＸをＮＡＣＫと同一に処理すると、フィードバック状態数は４５個となり、これを表現するためのＡＣＫ／Ｎ
ＡＣＫペイロードサイズとしては、総１０ビットが必要である。
【０２５７】
ＬＴＥ  ＴＤＤシステムに適用されるＡＣＫ／ＮＡＣＫ多重化（すなわち、ＡＣＫ／ＮＡＣＫ選択）方法では、基本的に、各ＵＥに対するＰＵＣＣＨリソース確保のために、各ＰＤＳＣＨをスケジュールするＰＤＣＣＨに対応する（すなわち、最小ＣＣＥインデックスとリンクされている）暗黙的ＰＵＣＣＨリソースをＡＣＫ／ＮＡＣＫ送信に使用する暗黙的ＡＣＫ／ＮＡＣＫ選択方式が用いられている。
【０２５８】
一方、ＬＴＥ−Ａ  ＦＤＤシステムでは、ＵＥ特定（ＵＥ−ｓｐｅｃｉｆｉｃ）に設定される一つの特定ＵＬ  ＣＣで、複数のＤＬ  ＣＣで送信される複数のＰＤＳＣＨ信号に対する複数ＡＣＫ／ＮＡＣＫ信号を送信することを考慮している。そのために、特定、一部又は全てのＤＬ  ＣＣをスケジュールするＰＤＣＣＨにリンクされている（すなわち、最小ＣＣＥインデックスｎＣＣＥにリンクされている、又はｎＣＣＥとｎＣＣＥ＋１にリンクされている）暗黙的ＰＵＣＣＨリソース、或いは当該暗黙的ＰＵＣＣＨリソースとＲＲＣシグナリングを介して各ＵＥにあらかじめ割り当てられた明示的ＰＵＣＣＨリソースとの組合せを使用する“ＡＣＫ／ＮＡＣＫ選択（ＡＣＫ／ＮＡＣＫ選択）”方式を考慮している。
【０２５９】
一方、ＬＴＥ−Ａ  ＴＤＤシステムでも複数のＣＣが結合した状況を考慮している。例えば、複数のＣＣが結合される場合、端末が、複数のＤＬサブフレームと複数のＣＣで送信される複数のＰＤＳＣＨ信号に対する複数のＡＣＫ／ＮＡＣＫ情報／信号は、ＰＤＳＣＨ信号が送信される複数のＤＬサブフレームに対応するＵＬサブフレームで特定ＣＣ（すなわち、Ａ／Ｎ  ＣＣ）を用いて送信することを考慮している。
【０２６０】
このとき、ＬＴＥ−Ａ  ＦＤＤとは違い、ＵＥに割り当てられた全てのＣＣで送信可能な最大ＣＷ数に対応する複数のＡＣＫ／ＮＡＣＫ信号を、複数のＤＬサブフレームの全てに対して送信する方式（すなわち、ｆｕｌｌ  ＡＣＫ／ＮＡＣＫ）を考慮したり、又はＣＷ、ＣＣ及び／又はサブフレーム領域に対してＡＣＫ／ＮＡＣＫバンドリング（ｂｕｎｄｌｉｎｇ）を適用し、全体送信ＡＣＫ／ＮＡＣＫ数を減らして送信する方式（すなわち、ｂｕｎｄｌｅｄ  ＡＣＫ／ＮＡＣＫ）を考慮することができる。
【０２６１】
ここで、ＣＷバンドリングとは、各ＤＬサブフレームに対してＣＣ別にＣＷに対するＡＣＫ／ＮＡＣＫバンドリングを適用することを意味し、ＣＣバンドリングとは、各ＤＬサブフレームに対して全て又は一部のＣＣに対するＡＣＫ／ＮＡＣＫバンドリングを適用することを意味する。また、サブフレームバンドリングとは、各ＣＣに対して全て又は一部のＤＬサブフレームに対するＡＣＫ／ＮＡＣＫバンドリングを適用することを意味する。
【０２６２】
サブフレームバンドリング方法として、ＤＬ  ＣＣのそれぞれに対して受信された全てのＰＤＳＣＨ信号又はＤＬグラントＰＤＣＣＨに対して、ＣＣ別総ＡＣＫ個数（又は、一部のＡＣＫ個数）を知らせるＡＣＫカウンター（ＡＣＫ−ｃｏｕｎｔｅｒ）方式を考慮することができる。このとき、ＵＥ別ＡＣＫ／ＮＡＣＫペイロード、すなわち、各端末別に設定された全ての又はバンドルされたＡＣＫ／ＮＡＣＫ送信のためのＡＣＫ／ＮＡＣＫペイロードのサイズによって、多重ビットＡＣＫ／ＮＡＣＫコーディング方式又はＡＣＫ／ＮＡＣＫ選択方式ベースのＡＣＫ／ＮＡＣＫ送信技法を変更可能に（ｃｏｎｆｉｇｕｒａｂｌｅ）適用することができる。
【０２６３】
２．５  物理上りリンク制御チャネル送受信過程
【０２６４】
移動通信システムは、一つのセル／セクターで一つの基地局が多数の端末機と無線チャネル環境を介してデータを送受信する。多重搬送波及びこれと類似する形態で運営される
システムにおいて、基地局は、有線インターネット網からパケットトラフィックを受信し、受信されたパケットトラフィックを定められた通信方式を用いて各端末機に送信する。このとき、基地局がどのタイミングにどの周波数領域を使用してどの端末機にデータを送信するのかを決定することが下りリンクスケジューリングである。また、定められた形態の通信方式を使用して端末機から送信されたデータを受信及び復調し、有線インターネット網にパケットトラフィックを送信する。基地局がどのタイミングにどの周波数帯域を用いてどの端末機に上りリンクデータを送信できるようにするのかを決定することが上りリンクスケジューリングである。一般に、チャネル状態の良い端末が、より多くの時間と多くの周波数リソースを用いてデータを送受信することができる。
【０２６５】
多重搬送波及びこれと類似する形態で運営されるシステムにおけるリソースは、時間領域と周波数領域に大きく分けることができる。また、このリソースは、再びリソースブロック（ＲＢ：Ｒｅｓｏｕｒｃｅ  Ｂｌｏｃｋ）と定義できるが、これは、任意のＮ個の副搬送波と任意のＭ個のサブフレーム又は定められた時間単位で構成される。このとき、ＮとＭは１になり得る。図１７は、時間−周波数単位のリソースブロックが構成される一例を示す図である。
【０２６６】
図１７において、一つの四角形は一つのリソースブロックを意味し、一つのリソースブロックは、多数の副搬送波を一軸とし、定められた時間単位（例えば、スロット又はサブフレーム）を他の軸として構成される。
【０２６７】
下りリンクにおいて、基地局は、定められたスケジューリング規則に従って選択された端末に１個以上のリソースブロックをスケジュールし、基地局は、この端末に割り当てられたリソースブロックを用いてデータを送信する。上りリンクでは、基地局が定められたスケジューリング規則に従って選択された端末に１個以上のリソースブロックをスケジュールし、端末機は、割り当てられたリソースを用いて上りリンクでデータを送信するようになる。
【０２６８】
スケジュールし、データが送受信された後、データが送受信される（サブ）フレームが失われたか損傷した場合の誤り制御方法としては、自動再送信要求（ＡＲＱ：Ａｕｔｏｍａｔｉｃ  Ｒｅｐｅａｔ  ｒｅｑｕｅｓｔ）方式と、より発展した形態のハイブリッド自動再送信要求（ＨＡＲＱ：Ｈｙｂｒｉｄ  ＡＲＱ）方式とがある。
【０２６９】
ＡＲＱ方式は、基本的に一つの（サブ）フレーム送信後に確認メッセージ（ＡＣＫ）が来ることを待機し、受信側では、確実に受ける場合のみに確認メッセージ（ＡＣＫ）を送り、上記（サブ）フレームに誤りが生じた場合はＮＡＫ（ｎｅｇａｔｉｖｅ−ＡＣＫ）メッセージを送り、誤りが生じた受信フレームは、受信端バッファからその情報を削除する。送信側でＡＣＫ信号を受けたときは、その後に（サブ）フレームを送信するが、ＮＡＫメッセージを受けたときは該当（サブ）フレームを再送信するようになる。ＡＲＱ方式とは違い、ＨＡＲＱ方式は、受信されたフレームを復調できない場合、受信端では送信端にＮＡＫメッセージを送信するが、既に受信したフレームは一定時間の間バッファに格納し、そのフレームが再送信されたときに既に受信したフレームとコンバインして受信成功率を高める方式である。
【０２７０】
最近は、基本的なＡＲＱ方式より効率的なＨＡＲＱ方式がより広く使用されている。このようなＨＡＲＱ方式でも様々な種類がある。例えば、再送信するタイミングによって同期式（ｓｙｎｃｈｒｏｎｏｕｓ）ＨＡＲＱ方式と非同期式（ａｓｙｎｃｈｒｏｎｏｕｓ）ＨＡＲＱとに分けることができ、再送信時に使用するリソースの量に対してチャネル状態を反映するか否かによってチャネル適応的（ｃｈａｎｎｅｌ−ａｄａｐｔｉｖｅ）ＨＡＲＱ方式とチャネル非適応的（ｃｈａｎｎｅｌ−ｎｏｎ−ａｄａｐｔｉｖｅ）ＨＡＲＱ方式
とに分けることができる。
【０２７１】
同期式ＨＡＲＱ方式は、初期送信に失敗した場合、以後の再送信がシステムによって定められたタイミングに行われる方式である。例えば、再送信が行われるタイミングが、初期送信の失敗後の毎４番目の時間単位であると仮定すると、これは、基地局と端末機との間に既に約束がなされているので、追加的にこのタイミングに対して知らせる必要はない。但し、データ送信側でＮＡＫメッセージを受けた場合、ＡＣＫメッセージを受けるまで毎４番目の時間単位でフレームを再送信するようになる。
【０２７２】
その一方、非同期式ＨＡＲＱ方式は、再送信タイミングの新たなスケジューリング又は追加的なシグナリングを介して行うことができる。以前に失敗したフレームに対する再送信が行われるタイミングは、チャネル状態などの多くの要因によって可変し得る。
【０２７３】
チャネル非適応的ＨＡＲＱ方式は、再送信時、スケジューリング情報（例えば、フレームの変調方式や用いるリソースブロックの数、ＡＭＣ（Ａｄａｐｔｉｖｅ  Ｍｏｄｕｌａｔｉｏｎ  ａｎｄ  Ｃｏｄｉｎｇ）など）が初期送信時に定められた通りである方式である。これとは異なり、チャネル適応的ＨＡＲＱ方式は、このようなスケジューリング情報がチャネルの状態によって可変する方式である。
【０２７４】
例えば、送信側で初期送信時に６個のリソースブロックを用いてデータを送信し、以後の再送信時にも同様に６個のリソースブロックを用いて再送信することがチャネル非適応的ＨＡＲＱ方式である。その一方、初期には６個を用いて送信が行われたとしても、以後にチャネル状態によっては６個より大きいか小さい数のリソースブロックを用いて再送信する方式がチャネル適応的ＨＡＲＱ方式である。
【０２７５】
このような分類によってそれぞれ４個のＨＡＲＱの組合せが可能であるが、主に使用されるＨＡＲＱ方式としては、非同期式及びチャネル適応的ＨＡＲＱ方式と、同期式及びチャネル非適応的ＨＡＲＱ方式とがある。非同期式及びチャネル適応的ＨＡＲＱ方式は、再送信タイミングと使用するリソースの量をチャネルの状態によって適応的に異ならせることによって再送信効率を極大化できるが、オーバーヘッドが大きくなるという短所を有し、上りリンクのためには一般的に考慮されない。一方、同期式及びチャネル非適応的ＨＡＲＱ方式は、再送信のためのタイミングとリソース割り当てがシステム内で約束されているので、このためのオーバーヘッドがほとんどないという長所を有するが、変化が激しいチャネル状態で使用される場合、再送信効率が非常に低くなるという短所を有する。
【０２７６】
このような点を考慮した上で、現在、３ＧＰＰ  ＬＴＥ／ＬＴＥ−Ａシステムにおいて、下りリンクの場合は非同期式ＨＡＲＱ方式が使用されており、上りリンクの場合は同期式ＨＡＲＱ方式が使用されている。
【０２７７】
図１８は、非同期式ＨＡＲＱ方式のリソース割り当て及び再送信方式の一例を示す図である。
【０２７８】
基地局において、下りリンクでスケジューリング情報を送信し、端末からのＡＣＫ／ＮＡＫの情報が受信された後、再び次のデータが送信されるまでは、図１８のように時間遅延が発生する。これは、チャネル伝播遅延（Ｃｈａｎｎｅｌ  ｐｒｏｐａｇａｔｉｏｎ  ｄｅｌａｙ）とデータデコーディング及びデータエンコーディングにかかる時間によって発生する遅延である。
【０２７９】
このような遅延区間の間の空白のないデータ送信のために、独立的なＨＡＲＱプロセスを使用して送信する方法が使用されている。例えば、最初のデータ送信と次のデータ送信
までの最短周期が７サブフレームである場合、７個の独立的なＨＡＲＱプロセスを設定することによって空白なしでデータを送信することができる。ＬＴＥ／ＬＴＥ−Ａシステムでは、ＭＩＭＯで動作しない場合、一つの端末に最大８個のＨＡＲＱプロセスを割り当てることができる。
【０２８０】
２．６  ＣＡ環境に基づくＣｏＭＰ動作
【０２８１】
以下では本発明の実施形態に適用可能な協力的多重ポイント（ＣｏＭＰ：Ｃｏｏｐｅｒａｔｉｖｅ  Ｍｕｌｔｉ−Ｐｏｉｎｔ）送信動作について説明する。
【０２８２】
ＬＴＥ−ＡシステムにおいてＬＴＥでのＣＡ（ｃａｒｒｉｅｒ  ａｇｇｒｅｇａｔｉｏｎ）機能を用いてＣｏＭＰ送信を具現することができる。図１９はＣＡ環境で動作するＣｏＭＰシステムの概念図である。
【０２８３】
図１９で、Ｐセルとして動作するキャリアとＳセルとして動作するキャリアは周波数軸に同じ周波数帯域を使うことができ、地理的に離れた二つのｅＮＢにそれぞれ割り当てられた場合を仮定する。この際、ＵＥ１のサービングｅＮＢをＰセルとして割り当て、多くの干渉を与える隣接セルをＳセルとして割り当てることができる。すなわち、一つの端末に対してＰセルの基地局とＳセルの基地局が互いにＪＴ（Ｊｏｉｎｔ  Ｔｒａｎｓｍｉｓｓｉｏｎ）、ＣＳ／ＣＢ及び動的セル選択（Ｄｙｎａｍｉｃ  ｃｅｌｌ  ｓｅｌｅｃｔｉｏｎ）などの多様なＤＬ／ＵＬ  ＣｏＭＰ動作を遂行することができる。
【０２８４】
図１９は一つの端末（例えば、ＵＥ１）に対して二つのｅＮＢが管理するセルをそれぞれＰセルとＳセルとして結合する場合に対する例示を示す。ただ、他の例として３個以上のセルが結合することができる。例えば、三つ以上のセルの一部セルは同じ一周波数帯域で一つの端末に対してＣｏＭＰ動作を遂行し、他のセルは他の周波数帯域で単純ＣＡ動作を遂行するように構成されることも可能である。この際、Ｐセルは必ずしもＣｏＭＰ動作に参加する必要はない。
【０２８５】
２．７  参照信号（ＲＳ：Ｒｅｆｅｒｅｎｃｅ  Ｓｉｇｎａｌ）
【０２８６】
以下では本発明の実施形態で使える参照信号について説明する。
【０２８７】
図２０は本発明の実施形態で使えるＵＥ−特定参照信号（ＵＥ−ＲＳ）が割り当てられたサブフレームの一例を示す図である。
【０２８８】
図２０を参照すると、該当サブフレームは正規ＣＰを有する正規下りリンクサブフレームのリソースブロック対内のＲＥの中でＵＥ−ＲＳによって占有されるＲＥを例示したものである。
【０２８９】
ＵＥ−ＲＳはＰＤＳＣＨ信号の送信のために支援され、アンテナポート（等）はｐ＝５、ｐ＝７、ｐ＝８或いはｐ＝７、８、．．．、υ＋６（ここで、υは上記ＰＤＳＣＨの送信のために使われるレイヤの数）となることができる。ＵＥ−ＲＳはＰＤＳＣＨ送信が該当アンテナポートに関連すれば存在し、ＰＤＳＣＨ信号の復調（ｄｅｍｏｄｕｌａｔｉｏｎ）のためにのみ有効な（ｖａｌｉｄ）参照信号である。
【０２９０】
ＵＥ−ＲＳは該当ＰＤＳＣＨ信号がマッピングされたＲＢ上でのみ送信される。すなわち、ＵＥ−ＲＳはＰＤＳＣＨの存在有無にかかわらず、サブフレームごとに送信されるように設定されたＣＲＳ（Ｃｅｌｌ  ｓｐｅｃｉｆｉｃ  Ｒｅｆｅｒｅｎｃｅ  Ｓｉｇｎａｌ）とは違い、ＰＤＳＣＨがスケジュールされたサブフレームでＰＤＳＣＨがマッピング
されたＲＢ（等）でのみ送信されるように設定される。また、ＵＥ−ＲＳはＰＤＳＣＨのレイヤの数にかかわらず、全てのアンテナポート（等）を介して送信されるＣＲＳとは違い、ＰＤＳＣＨのレイヤ（等）にそれぞれ対応するアンテナポート（等）を介して送信される。したがって、ＵＥ−ＲＳを使えば、ＣＲＳに比べてＲＳのオーバーヘッドが減少することができる。ＣＲＳ及びＵＥ−ＲＳなどに対する詳細な説明は３ＧＰＰ  ＬＴＥ−ＡシステムのＴＳ３６．２１１及び３６．２１３規格を参照することができる。
【０２９１】
３ＧＰＰ  ＬＴＥ−Ａシステムにおいて、ＵＥ−ＲＳはＰＲＢ対で定義される。図１９を参照すると、ｐ＝７、ｐ＝８或いはｐ＝７、８、．．．、υ＋６に対し、該当ＰＤＳＣＨ送信のために割り当てられた（ａｓｓｉｇｎ）周波数−ドメインインデックスｎＰＲＢを有するＰＲＢにおいて、ＵＥ−ＲＳシーケンスの一部が特定のサブフレームで複素変調シンボルにマッピングされる。
【０２９２】
ＵＥ−ＲＳはＰＤＳＣＨのレイヤ（等）にそれぞれ対応するアンテナポート（等）を介して送信される。すなわち、ＵＥ−ＲＳポートの個数はＰＤＳＣＨの送信ランクに比例することが分かる。一方、レイヤの数が１又は２の場合にはＲＢ対別に１２個のＲＥがＵＥ−ＲＳ送信に使われ、レイヤの数が２より多い場合にはＲＢ対別に２４個のＲＥがＵＥ−ＲＳ送信に用いられる。また、ＵＥ或いはセルにかかわらずＲＢ対でＵＥ−ＲＳによって占有されたＲＥ（すなわち、ＵＥ−ＲＳ  ＲＥ）の位置はＵＥ−ＲＳポート別に同一である。
【０２９３】
結局、特定のサブフレームで特定のＵＥのためのＰＤＳＣＨがマッピングされたＲＢでのＤＭ−ＲＳ  ＲＥの個数は同一である。ただ、同じサブフレームで相異なるＵＥに割り当てられたＲＢでは送信されるレイヤの数によって該当ＲＢに含まれたＤＭ−ＲＳ  ＲＥの個数は変わることができる。
【０２９４】
本発明の実施形態において、ＵＥ−ＲＳはＤＭ−ＲＳと同一の意味として使われることができる。
【０２９５】
２．８  Ｅｎｈａｎｃｅｄ  ＰＤＣＣＨ（ＥＰＤＣＣＨ）
【０２９６】
３ＧＰＰ  ＬＴＥ／ＬＴＥ−Ａシステムにおいて複数のコンポーネントキャリア（ＣＣ：Ｃｏｍｐｏｎｅｎｔ  Ｃａｒｒｉｅｒ＝（ｓｅｒｖｉｎｇ）ｃｅｌｌ）に対する結合状況でのクロスキャリアスケジューリング（ＣＣＳ：Ｃｒｏｓｓ  Ｃａｒｒｉｅｒ  Ｓｃｈｅｄｕｌｉｎｇ）動作を定義すると、一つのスケジュールされるＣＣ（すなわち、ｓｃｈｅｄｕｌｅｄ  ＣＣ）は他の一つのスケジューリングＣＣ（すなわち、ｓｃｈｅｄｕｌｉｎｇ  ＣＣ）からのみＤＬ／ＵＬスケジューリングを受けることができるように（すなわち、該当ｓｃｈｅｄｕｌｅｄ  ＣＣに対するＤＬ／ＵＬ  ｇｒａｎｔ  ＰＤＣＣＨを受信することができるように）前もって設定できる。この際、スケジューリングＣＣは基本的に自分に対するＤＬ／ＵＬスケジューリングを遂行することができる。言い換えれば、上記ＣＣＳ関係にあるスケジューリング／スケジュールされるＣＣをスケジュールするＰＤＣＣＨに対するサーチスペース（ＳＳ：Ｓｅａｒｃｈ  Ｓｐａｃｅ）は全てのスケジューリングＣＣの制御チャネル領域に存在することができる。
【０２９７】
一方、ＬＴＥシステムにおいて、ＦＤＤ  ＤＬキャリア又はＴＤＤ  ＤＬサブフレームは各サブフレームの最初ｎ個（ｎ＜＝４）のＯＦＤＭシンボルを各種制御情報送信のための物理チャネルであるＰＤＣＣＨ、ＰＨＩＣＨ及びＰＣＦＩＣＨなどの送信に使い、残りのＯＦＤＭシンボルをＰＤＳＣＨ送信に使うように構成される。この際、各サブフレームで制御チャネル送信に使うＯＦＤＭシンボルの個数はＰＣＦＩＣＨなどの物理チャネルを介して動的に或いはＲＲＣシグナリングを介した半静的な方式で端末に伝達されることが
できる。
【０２９８】
一方、ＬＴＥ／ＬＴＥ−Ａシステムにおいては、ＤＬ／ＵＬスケジューリング及び各種制御情報を送信するための物理チャネルであるＰＤＣＣＨは制限されたＯＦＤＭシンボルを介して送信されるなどの限界があるので、ＯＦＤＭシンボルを介して送信されてＰＤＳＣＨから分離されたＰＤＣＣＨのような制御チャネルの代わりにＦＤＭ／ＴＤＭ方式でＰＤＳＣＨともっと自由に多重化する拡張されたＰＤＣＣＨ（すなわち、Ｅ−ＰＤＣＣＨ）を導入することができる。図１１はＬＴＥ／ＬＴＥ−Ａシステムで使われるレガシーＰＤＣＣＨ（Ｌｅｇａｃｙ  ＰＤＣＣＨ）、ＰＤＳＣＨ及びＥ−ＰＤＣＣＨが多重化する一例を示す図である。
【０２９９】
３．  ＬＴＥ−Ｕシステム
【０３００】
３．１  ＬＴＥ−Ｕシステム構成
【０３０１】
以下では免許帯域（Ｌｉｃｅｎｓｅｄ  Ｂａｎｄ）であるＬＴＥ−Ａ帯域と非免許帯域（Ｕｎｌｉｃｅｎｓｅｄ  Ｂａｎｄ）の搬送波結合環境でデータを送受信する方法について説明する。本発明の実施形態において、ＬＴＥ−Ｕシステムはこのような免許帯域と非免許帯域のＣＡ状況を支援するＬＴＥシステムを意味する。非免許帯域はワイファイ（ＷｉＦｉ）帯域又はブルートゥース（登録商標）（ＢＴ）帯域などを用いることができる。
【０３０２】
図２２はＬＴＥ−Ｕシステムで支援するＣＡ環境の一例を示す図である。
【０３０３】
以下では、説明の便宜のために、ＵＥが二つの要素搬送波（ＣＣ：Ｃｏｍｐｏｎｅｎｔ
Ｃａｒｒｉｅｒ）を用いて免許帯域と非免許帯域のそれぞれで無線通信を行うように設定された状況を仮定する。もちろん、ＵＥに三つ以上のＣＣが構成された場合にも以下で説明する方法を適用することができる。
【０３０４】
本発明の実施形態において、免許帯域の搬送波（ＬＣＣ：Ｌｉｃｅｎｓｅｄ  ＣＣ）は主要素搬送波（Ｐｒｉｍａｒｙ  ＣＣ：ＰＣＣ又はＰセルと呼ぶことができる）であり、非免許帯域の搬送波（Ｕｎｌｉｃｅｎｓｅｄ  ＣＣ：ＵＣＣ）は副要素搬送波（Ｓｅｃｏｎｄａｒｙ  ＣＣ：ＳＣＣ又はＳセルと呼ぶことができる）の場合を仮定する。ただ、本発明の実施形態は多数の免許帯域と多数の非免許帯域がキャリア結合方式で用いられる状況にも拡張して適用することができる。また、本発明の提案方式は３ＧＰＰ  ＬＴＥシステムだけでなく他の特性のシステムにも拡張して適用可能である。
【０３０５】
図２２は一つの基地局で免許帯域と非免許帯域を共に支援する場合を示した。すなわち、端末は免許帯域であるＰＣＣを介して制御情報及びデータを送受信することができ、また非免許帯域であるＳＣＣを介して制御情報及びデータを送受信することができる。しかし、図２２に示した状況は一例であり、一つの端末が多数の基地局と接続するＣＡ環境にも本発明の実施形態を適用することができる。
【０３０６】
例えば、端末はマクロ基地局（Ｍ−ｅＮＢ：Ｍａｃｒｏ  ｅＮＢ）とＰセルを構成し、スモール基地局（Ｓ−ｅＮＢ：Ｓｍａｌｌ  ｅＮＢ）とＳセルを構成することができる。この際、マクロ基地局とスモール基地局はバックホール網を介して連結されてもよい。
【０３０７】
本発明の実施形態において、非免許帯域は競合に基づく任意接続方式で動作することができる。この際、非免許帯域を支援するｅＮＢはデータ送受信前にまずキャリアセンシング（ＣＳ：Ｃａｒｒｉｅｒ  Ｓｅｎｓｉｎｇ）過程を遂行することができる。ＣＳ過程は該当帯域が他の個体によって占有されているかを判断する過程である。
【０３０８】
例えば、Ｓセルの基地局（ｅＮＢ）は現在チャネルを使っているビジー（ｂｕｓｙ）状態であるか或いは使っていない遊休（ｉｄｌｅ）状態であるかをチェックする。仮に、該当帯域が遊休状態であると判断されれば、基地局は、クロスキャリアスケジューリング方式の場合、Ｐセルの（Ｅ）ＰＤＣＣＨを介して、又はセルフスケジューリング方式の場合、ＳセルのＰＤＣＣＨを介してスケジューリンググラント（ｓｃｈｅｄｕｌｉｎｇ  ｇｒａｎｔ）を端末に送信してリソースを割り当て、データ送受信を試みることができる。
【０３０９】
この際、基地局はＭ個の連続したサブフレームで構成された送信機会（ＴｘＯＰ：Ｔｒａｎｓｍｉｓｓｉｏｎ  ＯＰｐｏｒｔｕｎｉｔｙ）区間を設定することができる。ここで、Ｍ値及びＭ個のサブフレームの用途を前もって基地局が端末にＰセルを介した上位階層シグナリングを介して、或いは物理制御チャネル又は物理データチャネルを介して知らせることができる。Ｍ個のサブフレームで構成されたＴｘＯＰ区間は予約されたリソース区間（ＲＲＰ：Ｒｅｓｅｒｖｅｄ  Ｒｅｓｏｕｒｃｅ  Ｐｅｒｉｏｄ）と呼ぶことができる。
【０３１０】
３．２  キャリアセンシング過程
【０３１１】
本発明の実施形態において、ＣＳ過程はＣＣＡ（Ｃｌｅａｒ  Ｃｈａｎｎｅｌ  Ａｓｓｅｓｓｍｅｎｔ）過程と呼ぶことができ、既に設定されるか或いは上位階層信号を介して設定されたＣＣＡ閾値に基づいて該当チャネルがビジー（ｂｕｓｙ）又は遊休（ｉｄｌｅ）状態であるかを判断することができる。例えば、非免許帯域であるＳセルでＣＣＡ閾値より高いエネルギーが検出されれば、ビジーではなければ遊休であると判断することができる。この際、チャネル状態が遊休であると判断されれば、基地局はＳセルで信号送信を開始することができる。このような一連の過程はＬＢＴ（Ｌｉｓｔｅｎ−Ｂｅｆｏｒｅ−Ｔａｌｋ）と命名することができる。
【０３１２】
図２３はＬＢＴ過程中の一つであるＦＢＥ動作の一例を示す図である。
【０３１３】
ヨーロッパのＥＴＳＩ規定（ｒｅｇｕｌａｔｉｏｎ；ＥＮ  ３０１  ８９３  Ｖ１．７．１）ではＦＢＥ（Ｆｒａｍｅ  Ｂａｓｅｄ  Ｅｑｕｉｐｍｅｎｔ）とＬＢＥ（Ｌｏａｄ
Ｂａｓｅｄ  Ｅｑｕｉｐｍｅｎｔ）と命名される２種のＬＢＴ動作を例示している。ＦＢＥは、通信ノードがチャネル接続（ｃｈａｎｎｅｌ  ａｃｃｅｓｓ）に成功したとき、送信を持続することができる時間を意味するチャネル占有時間（Ｃｈａｎｎｅｌ  Ｏｃｃｕｐａｎｃｙ  Ｔｉｍｅ；例えば、１〜１０ｍｓ）とチャネル占有時間の最小５％に相当する遊休期間（Ｉｄｌｅ  Ｐｅｒｉｏｄ）が一つの固定フレーム（Ｆｉｘｅｄ  Ｆｒａｍｅ）を構成し、ＣＣＡは遊休期間内の終部にＣＣＡスロット（最小２０μｓ）の間にチャネルを観測する動作に定義される。
【０３１４】
この際、通信ノードは固定フレーム単位で周期的にＣＣＡを遂行する。仮に、チャネル非占有（Ｕｎｏｃｃｕｐｉｅｄ）状態の場合、通信ノードはチャネル占有時間の間にデータを送信し、チャネル占有状態の場合には、送信を保留し、次の周期のＣＣＡスロットまで待つ。
【０３１５】
図２４はＦＢＥ動作をブロックダイアグラムで示した図である。
【０３１６】
図２４を参照すると、Ｓセルを管理する通信ノード（すなわち、基地局）はＣＣＡスロットの間にＣＣＡ過程を遂行する。仮に、チャネル遊休状態であれば、通信ノードはデータ送信（Ｔｘ）を遂行し、チャネルビジー状態であれば、固定フレーム期間からＣＣＡスロットを差し引いた時間だけ待機した後、再びＣＣＡ過程を遂行する。
【０３１７】
通信ノードは、チャネル占有時間の間にデータ送信を遂行し、データ送信が終われば、遊休期間からＣＣＡスロットを差し引いた時間だけ待機した後、再びＣＣＡ過程を遂行する。仮に、通信ノードは、チャネルが遊休状態であるか或いは送信すべきデータがない場合には、固定フレーム期間からＣＣＡスロットを差し引いた時間だけ待機した後、再びＣＣＡ過程を遂行する。
【０３１８】
図２５はＬＢＴ過程中の一つであるＬＢＥ動作の一例を示す図である。
【０３１９】
図２５（ａ）を参照すると、通信ノードは、ＬＢＥ動作を遂行するために、まずｑ∈｛４、５、…、３２｝の値を設定した後、一つのＣＣＡスロットに対するＣＣＡを遂行する。
【０３２０】
図２５（ｂ）はＬＢＥ動作をブロックダイアグラムで示した図である。図１５（ｂ）を参照してＬＢＥ動作について説明する。
【０３２１】
通信ノードはＣＣＡスロットでＣＣＡ過程を遂行することができる。仮に、第１ＣＣＡスロットでチャネルが非占有状態であれば、通信ノードは最大（１３／３２）ｑ  ｍｓ長さの時間を確保してデータを送信することができる。
【０３２２】
しかし、第１ＣＣＡスロットでチャネルが占有状態であれば、通信ノードは任意に（すなわち、ｒａｎｄｏｍｌｙ）Ｎ∈｛１、２、…、ｑ｝の値を選び、カウント値を初期値に設定及び保存し、以後にＣＣＡスロット単位でチャネル状態をセンシングしながら、特定のＣＣＡスロットでチャネルが非占有状態であれば、先に設定したカウント値を一つずつ減らして行く。カウント値が０となれば、通信ノードは最大（１３／３２）ｑ  ｍｓ長さの時間を確保してデータを送信することができる。
【０３２３】
３．３  下りリンクで不連続伝送
【０３２４】
制限された最大伝送区間を有する非免許キャリア上で不連続伝送はＬＴＥシステムの動作に必要ないくつかの機能に影響を与えることがある。このようないくつかの機能は不連続ＬＡＡ下りリンク伝送の開始部分で送信される一つ以上の信号によって支援され得る。このような信号によって支援される機能はＡＧＣ（Ａｕｔｏｍａｔｉｃ  Ｇａｉｎ  Ｃｏｎｔｒｏｌ）設定、チャネル予約などの機能を含む。
【０３２５】
ＬＡＡノードによる信号伝送においてチャネル予約は、成功的なＬＢＴ動作によるチャネル接続後に他のノードに信号を送信するために取得されたチャネルを介して信号を送信することを意味する。
【０３２６】
不連続下りリンク伝送を含むＬＡＡ動作のための一つ以上の信号によって支援される機能は、端末によるＬＡＡ下りリンク伝送の検出及び端末の時間及び周波数同期化機能を含む。このとき、このような機能の要求が他の可能な機能を除外することを意味するのではなく、このような機能は他の方法によって支援されてもよい。
【０３２７】
３．３．１  時間及び周波数同期
【０３２８】
ＬＡＡシステムに対して推薦される設計目標は、ＲＲＭ測定のためのディスカバリ信号及びＤＬ伝送バースト内に含まれた参照信号のそれぞれ又はそれらの組合せを用いて端末が時間及び周波数同期を取得することを支援することである。サービングセルで送信されるＲＲＭ測定のためのディスカバリ信号は少なくとも概略的な（ｃｏａｒｓｅ）時間又は
周波数同期を取得するために用いられる。
【０３２９】
３．３．２  下りリンク伝送タイミング
【０３３０】
ＤＬ  ＬＡＡ設計において、サブフレーム境界調整は、ＬＴＥ−Ａシステム（Ｒｅｌ−１２以下）で定義するＣＡによって結合されるサービングセル間のＣＡタイミング関係に従うことができる。ただし、これは、基地局が単にサブフレーム境界でのみＤＬ伝送を始めることを意味するものではない。ＬＡＡシステムは、ＬＢＴ過程の結果によって一つのサブフレーム内で全てのＯＦＤＭシンボルが可用でない場合にもＰＤＳＣＨ伝送を支援することができる。このとき、ＰＤＳＣＨ伝送のための必要な制御情報の伝送が支援される必要がある。
【０３３１】
３．４  ＲＲＭ測定及び報告
【０３３２】
ＬＴＥ−Ａシステムは、セル検出を含むＲＲＭ機能を支援するための開始時点でディスカバリ信号（Ｄｉｓｃｏｖｅｒｙ  Ｓｉｇｎａｌ）を送信することができる。このとき、ディスカバリ信号をディスカバリ参照信号（ＤＲＳ：Ｄｉｓｃｏｖｅｒｙ  Ｒｅｆｅｒｅｎｃｅ  Ｓｉｇｎａｌ）と呼ぶことができる。ＬＡＡのためのＲＲＭ機能を支援するために、ＬＴＥ−Ａシステムのディスカバリ信号及びディスカバリ信号の送受信機能は変更して適用されてもよい。
【０３３３】
３．４．１  ディスカバリ参照信号（ＤＲＳ）
【０３３４】
ＬＴＥ−ＡシステムのＤＲＳはスモールセルのオンオフ動作を支援するために設計された。このとき、オフされたスモールセルは、周期的なＤＲＳの伝送以外の大部分の機能がオフしている状態を意味する。ＤＲＳは４０、８０又は１６０ｍｓの周期でＤＲＳ伝送機会（ｏｃｃａｓｉｏｎ）において送信される。ディスカバリ測定タイミング構成（ＤＭＴＣ：Ｄｉｓｃｏｖｅｒｙ  Ｍｅａｓｕｒｅｍｅｎｔ  Ｔｉｍｉｎｇ  Ｃｏｎｆｉｇｕｒａｔｉｏｎ）は、端末がＤＲＳを受信することを予想できる時間区間を意味する。ＤＲＳ伝送機会はＤＭＴＣ内のどこでも発生することができ、端末は、割り当てられたセルから該当の周期で連続してＤＲＳが送信されることを予想することができる。
【０３３５】
ＬＴＥ−ＡシステムのＤＲＳをＬＡＡシステムで用いることは、新規の制限事項をもたらし得る。例えば、いくつかの地域で、ＬＢＴのない非常に短い制御伝送のように、ＤＲＳの伝送を許容することができるが、ＬＢＴのない短い制御伝送は他のいくつかの地域では許容しない。したがって、ＬＡＡシステムにおいてＤＲＳ伝送はＬＢＴの対象になり得る。
【０３３６】
仮に、ＤＲＳ伝送においてＬＢＴが適用される場合には、ＬＴＥ−ＡシステムのＤＲＳ伝送の場合とは違い、周期的な方式で送信されなくてもよい。したがって、次のような２つの方式をＬＡＡシステムのためのＤＲＳ伝送のために考慮することができる。
【０３３７】
第一に、ＬＢＴを条件とし、構成されたＤＭＴＣ内で固定した時間位置でのみＤＲＳが送信される方式である。
【０３３８】
第二に、ＬＢＴを条件とし、構成されたＤＭＴＣ内で少なくとも一つの異なる時間位置でＤＲＳの伝送が許容される方式である。
【０３３９】
第二の方式の他の側面として、時間位置の個数は１つのサブフレーム内で１つの時間位置に制限されてもよい。仮に、より有益であれば、ＤＭＴＣ内でＤＲＳの伝送以外に、構
成されたＤＭＴＣ外でのＤＲＳ伝送が許容されてもよい。
【０３４０】
図２６は、ＬＡＡシステムで支援するＤＲＳ伝送方法を説明するための図である。
【０３４１】
図２６を参照すると、図２６の上図は、第一のＤＲＳ伝送方法を示し、下図は、第二のＤＲＳ伝送方法を示す図である。すなわち、第一の方式の場合、端末はＤＭＴＣ区間内で定められた位置でのみＤＲＳを受信することができるが、第二の方式の場合、端末はＤＭＴＣ区間内で任意の位置でＤＲＳを受信することができる。
【０３４２】
ＬＴＥ−Ａシステムにおいて端末がＤＲＳ伝送に基づくＲＲＭ測定を行う場合に、端末は、複数のＤＲＳ機会（ＤＲＳ  ｏｃｃａｓｉｏｎ）に基づいて１つのＲＲＭ測定を行うことができる。ＬＡＡシステムにおいてＤＲＳが用いられる場合に、ＬＢＴによる制約によって、ＤＲＳが特定位置で送信されることを保障することができない。仮に、端末が、ＤＲＳが実際に基地局から送信されない場合にＤＲＳが存在すると仮定すると、端末によって報告されるＲＲＭ測定結果に対する品質が低下し得る。したがって、ＬＡＡ  ＤＲＳ設計は、一つのＤＲＳ機会でＤＲＳの存在を検出できるように許容しなければならず、これは、ＵＥに成功的に検出されたＤＲＳ機会のみを行うＲＲＭ測定に結合し得るように保障することができる。
【０３４３】
ＤＲＳを含む信号は時間上で隣接したＤＲＳ伝送を保障しない。すなわち、ＤＲＳを搬送するサブフレームでデータ伝送がないと、物理信号が送信されないＯＦＤＭシンボルがあり得る。非免許帯域で動作する間に、他のノードは、ＤＲＳ伝送間のこのような沈黙区間において該当のチャネルが遊休状態であるとセンシングすることができる。このような問題を避けるために、ＤＲＳ信号を含む伝送バーストは、いくつかの信号が送信される隣接したＯＦＤＭシンボルで構成されることを保障することが好ましい。
【０３４４】
３．５  チャネル接続過程及び競合ウィンドウ調整過程
【０３４５】
以下では上述したチャネル接続過程（ＣＡＰ：Ｃｈａｎｎｅｌ  Ａｃｃｅｓｓ  Ｐｒｏｃｅｄｕｒｅ）及び競合ウィンドウ調整過程（ＣＷＡ：Ｃｏｎｔｅｎｔｉｏｎ  Ｗｉｎｄｏｗ  Ａｄｊｕｓｔｍｅｎｔ）について送信ノードの観点で説明する。
【０３４６】
図２７はＣＡＰ及びＣＷＡを説明するための図である。
【０３４７】
下りリンク送信に対し、ＬＴＥ送信ノード（例えば、基地局）が非免許帯域セルであるＬＡＡ  Ｓセル（等）で動作するためにチャネル接続過程（ＣＡＰ）を開始することができる（Ｓ２７１０）。
【０３４８】
基地局は競合ウィンドウ（ＣＷ）内でバックオフカウンターＮを任意に選択することができる。ここで、Ｎ値は初期値Ｎｉｎｉｔに設定される（Ｓ２７２０）。
【０３４９】
基地局はＬＡＡ  Ｓセル（等）のチャネルが遊休状態であるかを確認し、遊休状態であればバックオフカウンター値を１ずつ減らす（Ｓ２７３０、Ｓ２７４０）。
【０３５０】
図２７でＳ２７３０段階とＳ２７４０段階の順序は変わることができる。例えば、基地局がバックオフカウンターＮを先に減少させた後に遊休状態であるかを確認することができる。
【０３５１】
Ｓ２７３０段階でチャネルが遊休状態ではなければ、つまりチャネルがビジー状態であれば、スロット時間（例えば、９μｓｅｃ）より長い留保期間（ｄｅｆｅｒ  ｄｕｒａｔ
ｉｏｎ；２５μｓｅｃ以上）の間に該当チャネルが遊休状態であるかを確認することができる。留保期間にチャネルが遊休状態であれば、基地局は再びＣＡＰを行うことができる。例えば、バックオフカウンター値Ｎｉｎｉｔが１０であり、バックオフカウンター値が５まで減少した後、チャネルがビジー状態であると判断されれば、基地局は留保期間の間にチャネルをセンシングして遊休状態であるかを判断する。ここで、留保期間の間にチャネルが遊休状態であれば、基地局はバックオフカウンター値Ｎｉｎｉｔを設定するものではなく、バックオフカウンター値５から（又は、バックオフカウンター値を１だけ減少させた後４から）再びＣＡＰ過程を行うことができる。
【０３５２】
再び図２７を参照すると、基地局はバックオフカウンター値（Ｎ）が０となるかを判断し（Ｓ２７５０）、バックオフカウンター値が０となればＣＡＰ過程を終了し、ＰＤＳＣＨを含むＴｘバースト送信を行うことができる（Ｓ２７６０）。
【０３５３】
基地局は端末からＴｘバーストについてのＨＡＲＱ−ＡＣＫ情報を受信することができる（Ｓ２７７０）。
【０３５４】
基地局は受信したＨＡＲＱ−ＡＣＫ情報に基づいてＣＷＳを調整することができる（Ｓ２７８０）。
【０３５５】
Ｓ２７８０段階でＣＷＳを調整する方法は４．１．１節〜４．１．１０節で説明した方法が適用可能である。例えば、基地局は最近に送信したＴｘバーストの第１ＳＦ（すなわち、Ｔｘバーストの最初ＳＦ）についてのＨＡＲＱ−ＡＣＫ情報に基づいてＣＷＳを調整することができる。
【０３５６】
ここで、基地局は、ＣＷＰを行う前、各優先順位クラスに対して初期ＣＷを設定することができる。その後、参照サブフレームで送信されたＰＤＳＣＨに対応するＨＡＲＱ−ＡＣＫ値がＮＡＣＫに決定される確率が少なくとも８０％の場合には、基地局は各優先順位クラスに対して設定されたＣＷ値をそれぞれ許容された次の上順位に増加させる。
【０３５７】
Ｓ２７６０段階で、ＰＤＳＣＨはセルフキャリアスケジューリング又はクロスキャリアスケジューリング方式で割り当てられることができる。セルフキャリアスケジューリング方式でＰＤＳＣＨが割り当てられた場合、基地局はフィードバックされたＨＡＲＱ−ＡＣＫ情報のＤＴＸ、ＮＡＣＫ／ＤＴＸ又はＡＮＹ状態をＮＡＣＫとしてカウントする。仮に、クロスキャリアスケジューリング方式でＰＤＳＣＨが割り当てられた場合、基地局はフィードバックされたＨＡＲＱ−ＡＣＫ情報のうちＮＡＣＫ／ＤＴＸ及びＡＮＹはＮＡＣＫとしてカウントし、ＤＴＸ状態はＮＡＣＫとしてカウントしない。
【０３５８】
仮に、Ｍサブフレーム（Ｍ＞＝２）にわたってバンドルされ、バンドルされたＨＡＲＱ−ＡＣＫ情報が受信される場合、基地局は該当バンドルされたＨＡＲＱ−ＡＣＫ情報に対してＭ個のＨＡＲＱ−ＡＣＫ応答と見なすことができる。ここで、バンドルされたＭ個のＳＦには参照サブフレームが含まれることが好ましい。
【０３５９】
４．  ＬＡＡシステムにおいてディスカバリ参照信号構成及び送受信方法
【０３６０】
以下、非免許帯域において同期信号（ＳＳ：Ｓｙｎｃｈｒｏｎｉｚａｔｉｏｎ  Ｓｉｇｎａｌ）及び参照信号（ＲＳ：Ｒｅｆｅｒｅｎｃｅ  Ｓｉｇｎａｌ）で構成されたディスカバリ参照信号（ＤＲＳ：Ｄｉｓｃｏｖｅｒｙ  Ｒｅｆｅｒｅｎｃｅ  Ｓｉｇｎａｌ）を構成する方法及び送受信する方法などについて詳しく説明する。本発明の実施例においてＤＲＳをディスカバリ信号と呼ぶこともできる。
【０３６１】
ＬＴＥ−ＡシステムにおいてＤＲＳは、トラフィックがないことから非活性化（ｄｅａｃｔｉｖａｔｉｏｎ）されたスモールセルのためのＲＲＭ測定のために考案された。ＤＲＳは、数十ｍｓ程度（例えば、４０、８０、１６０ｍｓなど）の単位時間に一回ずつ周期的に送信されるように設定することができる。ｅＮＢはＵＥに、６ｍｓ単位のＤＭＴＣを周期的に設定することができる。該当のＤＭＴＣ区間内でＵＥはＤＲＳを受信し、概略的な同期取得、セル識別（ｃｅｌｌ  ｉｄｅｎｔｉｆｉｃａｔｉｏｎ）及びＲＲＭ測定などに活用することができる。
【０３６２】
非免許帯域で動作するＬＴＥシステム（すなわち、ＬＡＡシステム）において、ＤＲＳは、ＰＳＳ（Ｐｒｉｍａｒｙ  Ｓｙｎｃｈｒｏｎｉｚａｔｉｏｎ  Ｓｉｇｎａｌ）／ＳＳＳ（Ｓｅｃｏｎｄａｒｙ  Ｓｙｎｃｈｒｏｎｉｚａｔｉｏｎ  Ｓｉｇｎａｌ）及びＣＲＳ（Ｃｅｌｌ−ｓｐｅｃｉｆｉｃ  Ｒｅｆｅｒｅｎｃｅ  Ｓｉｇｎａｌ）の信号で構成することができる。また、選択的に、ＤＲＳはＰＳＳ／ＳＳＳ、ＣＲＳとＣＳＩ−ＲＳ（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ）で構成されてもよい。ＬＡＡシステム上で、ＤＲＳはＬＴＥ−Ａシステムと同様に、概略的な同期取得、セル識別及びＲＲＭ測定の用途に活用され得る。
【０３６３】
しかし、ＬＡＡシステムのＤＲＳとＬＴＥ−ＡシステムのＤＲＳとの差異は、非免許帯域の特性上、ＤＲＳ伝送のためにＬＢＴ動作が必要であり得るという点である。例えば、基地局がＤＲＳ伝送のためのＬＢＴ動作を行う上で他の伝送ノードによってチャネルが占有されていることを発見すれば、基地局はＤＲＳ伝送をあきらめたり、ＤＭＴＣ区間内の他の時点でＤＲＳ伝送を再び試みることができる。
【０３６４】
図２８は、ＬＡＡシステムにおいてＤＲＳを送信する方法を説明するための図である。
【０３６５】
ＬＡＡシステムでは次の２つの方式でＤＲＳを送信することができる。
【０３６６】
（１）第１のＤＲＳ伝送方式
【０３６７】
図２８（ａ）を参照すると、ＤＭＴＣ区間内にＤＲＳを送信できる時点は１個のみ存在するように設定することができる。したがって、基地局がＤＲＳを送信する時点でＬＢＴ失敗などによってＤＲＳを送信できないと、ＤＲＳ伝送をあきらめる。
【０３６８】
（２）第２のＤＲＳ伝送方式
【０３６９】
図２８（ｂ）を参照すると、ＤＭＴＣ区間内にＤＲＳを送信できる時点が複数個（例えば、毎ＳＦ境界）存在してもよい。したがって、基地局がＬＢＴに失敗しても、複数時点のいすれか他の一つでＬＢＴを行ってＤＲＳを送信することができる。
【０３７０】
一方、ＬＢＴ失敗によって一つのＤＭＴＣ区間内でＤＲＳが送信されないと、端末は次のＤＭＴＣまで数十ｍｓを待たなければならない。このようなＤＲＳ伝送の特性を考慮するとき、ＤＬデータ（例えば、ＰＤＳＣＨ）が含まれていないＤＲＳのためのＬＢＴは、ＤＬデータのためのＬＢＴに比べてチャネル占有確率が大きいことが好ましい。
【０３７１】
例えば、基地局が特定センシング区間（ｓｅｎｓｉｎｇ  ｉｎｔｅｒｖａｌ）においてのみチャネルが遊休であると判断さえすれば、すなわち、任意バックオフ無しで、ＤＲＳを含むＤＬ  ＴＸバースト伝送を許容することができる。この時、ＤＬ  ＴＸバーストは連続した信号伝送単位を意味する。また、基地局は伝送確率をより高めるために、複数のセンシング区間で構成された総センシング区間のうちの１つのセンシング区間のみが遊休状態であると判断すれば、ＤＲＳを含むＤＬ  ＴＸバースト伝送を許容することができる
。
【０３７２】
図２８（ａ）を参照すると、基地局がＳＦ＃ＮでＤＲＳを送信しようとし、総センシング区間は３個のセンシング区間で構成されると仮定する。基地局は、一番目のセンシング区間でチャネルがビジー状態であるといっても、二番目のセンシング区間でチャネルが遊休状態であるので、ＤＲＳを送信することができる。ただし、ＳＦ＃Ｎの開始境界前にＬＢＴが終わったため、基地局は、残った区間で予約信号（ｒｅｓｅｒｖａｔｉｏｎ  ｓｉｇｎａｌ）を送信することができる。
【０３７３】
図２８（ｂ）を参照すると、基地局は、ＳＦ＃Ｎ開始直前の総センシング区間においてチャネルがビジー状態であると判断されると、次のＳＦであるＳＦ＃Ｎ＋１開始直前にＬＢＴ（又は、ＣＣＡ）を再び行うことができる。図２８（ｂ）のように、二番目のセンシング区間でチャネルが遊休状態であるので、基地局は三番目のセンシング区間で予約信号を送信した後、ＳＦ＃Ｎ＋１でＤＲＳを送信することができる。
【０３７４】
図２９は、ＤＲＳ伝送パターンの一例を説明するための図である。
【０３７５】
図２９で、ＤＲＳはＰＳＳ／ＳＳＳ／ＣＲＳで構成された場合を仮定する。図２９に示すように、ＤＲＳがＤＬデータ無しでＰＳＳ／ＳＳＳ／ＣＲＳだけで構成される場合を仮定するとき、ＤＲＳが割り当てられる区間には、いずれの信号も含まれていないＯＦＤＭシンボルが存在し得る。図２９で、ＬＡＡシステムのためのＤＲＳの場合、一つのサブフレーム内の１２  ＯＦＤＭシンボル区間で送信され、該当のＳＦの前又は後の２  ＯＦＤＭシンボルが空になり得る。本発明の実施例において、ＤＲＳはＤＭＴＣ区間内の一つ以上のＤＲＳ機会（ＤＲＳ  ｏｃｃａｓｉｏｎ）で送信され得る。一つのＤＲＳ機会は、Ｕセルに構成される一つのサブフレーム内の１２  ＯＦＤＭシンボル区間で構成され得る。
【０３７６】
非免許帯域で信号を送信するためにＬＢＴを行わなければならない場合、基地局はシンボル番号０（ｓｙｍ０）でＣＲＳ伝送のためのＬＢＴを行った後、ｓｙｍ４でＣＲＳ伝送のために再びＬＢＴを行わなければならないことがあり得る。言い換えると、基地局が非免許帯域のｓｙｍ０のためのＬＢＴに成功してｓｙｍ０でＣＲＳを送信したとしても、基地局はｓｙｍ４で始めるＰＳＳ／ＳＳＳ／ＣＲＳ伝送のためのＬＢＴの成功は保障できない。
【０３７７】
このような非効率的なＤＲＳ伝送を防止するために、ＤＲＳの含まれたサブフレーム（ＳＦ：ＳｕｂＦｒａｍｅ）は空のＯＦＤＭシンボル無しで連続して送信することが好ましく、最も単純な方法は、基地局が空のＯＦＤＭシンボル（例えば、ｓｙｍ１、ｓｙｍ２、ｓｙｍ３、ｓｙｍ８、．．．など）にダミー信号（ｄｕｍｍｙ  ｓｉｇｎａｌ）を送信することである。しかし、単純にダミー信号を送信することは無線リソースを浪費することにつながるため、より効率的な方法でＤＲＳ  ＳＦを構成することが好ましい。
【０３７８】
以下に説明する本発明の実施例では、説明の便宜上、ＰＳＳ／ＳＳＳ／ＣＲＳだけで構成されたＤＲＳを仮定したが、既存ＤＲＳと同様に、ＣＳＩ−ＲＳが選択的にＤＲＳの構成に含まれてもよい。
【０３７９】
４．１  ＤＲＳ伝送パターン構成方法
【０３８０】
以下では、上述した第１及び第２のＤＲＳ伝送方式及びＬＢＴ動作を考慮してＤＲＳ伝送に適した伝送パターンについて説明する。
【０３８１】
図３０は、ＬＡＡシステムに適用可能なＤＲＳ伝送パターンを説明するための図である
。
【０３８２】
既存のＬＴＥ／ＬＴＥ−Ａシステムにおいてフレーム構造２（ｆｒａｍｅ  ｓｔｒｕｃｔｕｒｅ  ２、すなわち、ＴＤＤ）の場合、ＳＳＳはＳＦ番号０又は５（すなわち、ＳＦ
＃０又はＳＦ  ＃５）の最後のＯＦＤＭシンボルに割り当てられ、ＰＳＳはＳＦ番号１又は６（（すなわち、ＳＦ  ＃１又はＳＦ  ＃６）の三番目のＯＦＤＭシンボル上に割り当てられ得る。
【０３８３】
以下に説明する実施例（特に、図３０〜図３２）で、実線は、ＤＲＳに含まれるＰＳＳ／ＳＳＳ／ＣＲＳなどが実際に割り当てられたことを表し、点線は、ＣＲＳなどが割り当てられ得る候補位置を表す。
【０３８４】
４．１．１  ＴＤＤフレーム構造に対するＤＲＳ伝送パターン
【０３８５】
図３０（ａ）は、ＴＤＤフレーム構造上でＤＲＳ伝送パターンを説明するための図である。図３０（ａ）でＳＳＳはＳＦ  ＃０又はＳＦ  ＃５にのみ送信され、ＰＳＳはＳＦ  ＃１又はＳＦ  ＃６にのみ送信されると限定しなくてもよい。例えば、ＳＳＳは任意のＳＦ  ＃Ｎで送信され、ＳＦ  ＃Ｎ＋１でＰＳＳが送信され得ると仮定する。
【０３８６】
ＤＲＳを構成する信号は少なくともＰＳＳ／ＳＳＳ／ＣＲＳを含まなければならないと仮定する。この場合、図３０（ａ）のように、ＤＲＳは少なくともＳＦ＃Ｎのｓｙｍ１３に位置するＳＳＳ、ＳＦ＃Ｎ＋１のｓｙｍ０に位置するＣＲＳ、及びＳＦ＃Ｎ＋１のｓｙｍ２に位置するＰＳＳを含むように設定され得る。
【０３８７】
ＤＲＳを構成する時に必要な最小のＣＲＳのＯＦＤＭシンボル個数又はＤＲＳ伝送ＬＢＴを考慮して、ＣＲＳをさらに含めてＤＲＳを構成することができる。例えば、端末がＲＲＭ測定又はＤＲＳ伝送機会（ｏｃｃａｓｉｏｎ）を検出するために、少なくともＣＲＳは４個のＯＦＤＭシンボルで送信されなければならず、第１のＤＲＳ伝送方式でＤＲＳが送信される固定位置をＳＦ＃Ｎのｓｙｍ１１と仮定することができる。
【０３８８】
この場合、基地局は、ＳＦ＃Ｎのｓｙｍ１１の直前に総センシング区間（ｔｏｔａｌ  ｓｅｎｓｉｎｇ  ｐｅｒｉｏｄ）でＬＢＴを行って、ＬＢＴに成功した場合、ＳＦ＃Ｎのｓｙｍ１１に割り当てられたＣＲＳだけでなく、ＳＦ＃Ｎ＋１のｓｙｍ４に割り当てられたＣＲＳ及びＳＦ＃Ｎ＋１のｓｙｍ７に割り当てられたＣＲＳを含めてＤＲＳを構成することができる。
【０３８９】
他の例として、ＤＲＳのためにＣＲＳは少なくとも３個のＯＦＤＭシンボル上で送信され、第２のＤＲＳ伝送方式においてＳＦ＃Ｎのｓｙｍ７及びｓｙｍ１１でＤＲＳ伝送が許容されると仮定するとき、基地局は、ＳＦ＃Ｎのｓｙｍ７の直前にＬＢＴに成功すると、ＳＦ＃Ｎのｓｙｍ７及びｓｙｍ１１にＣＲＳを割り当ててＤＲＳを構成することができる。または、基地局がＳＦ＃Ｎのｓｙｍ１１の直前にＬＢＴに成功した場合、基地局は、ＳＦ＃Ｎのｓｙｍ１１に割り当てられたＣＲＳだけでなく、ＳＦ＃Ｎ＋１のｓｙｍ４に割り当てられるＣＲＳを含めてＤＲＳを構成することができる。
【０３９０】
図３０（ａ）で説明したＤＲＳ伝送パターンの場合、ＤＲＳ構成のための最小のＯＦＤＭシンボルが２つ以上のサブフレームにわたっている。したがって、ＰＤＳＣＨ伝送が最大で２  ＳＦにおいて不可能であり得るという短所がある。ＳＳＳ受信前にＡＧＣ設定のために少なくとも一つのＯＦＤＭシンボルが必要であれば、ＳＦ＃Ｎ内のｓｙｍ１１に割り当てられたＣＲＳ又はＳＦ＃Ｎのｓｙｍ１０に割り当てられる信号もＤＲＳ構成に必須となり得る。
【０３９１】
４．１．２  ＦＤＤフレーム構造に対するＤＲＳ伝送パターン
【０３９２】
既存のＬＴＥシステムにおいてフレーム構造１（すなわち、ＦＤＤ構造）上、ＳＳＳはＳＦ＃０又はＳＦ＃５の六番目のＯＦＤＭシンボルに割り当てられ、ＰＳＳはＳＦ＃０又はＳＦ＃５の七番目のＯＦＤＭシンボルに位置し得る。
【０３９３】
図３０（ｂ）で、ＰＳＳ／ＳＳＳはＳＦ＃０又はＳＦ＃５にのみ送信されると限定しなくてもよい。例えば、ＰＳＳ／ＳＳＳは任意のＳＦ＃Ｎで送信され得ると仮定する。
【０３９４】
ＤＲＳを構成する信号は少なくともＰＳＳ／ＳＳＳ／ＣＲＳを含まなければならないと仮定する。この場合、図３０（ｂ）に示すように、ＤＲＳは少なくともＳＦ＃Ｎのｓｙｍ５に位置するＳＳＳ、ＳＦ＃Ｎのｓｙｍ６に位置するＰＳＳ、ＳＦ＃Ｎのｓｙｍ４及びｓｙｍ７に位置するＣＲＳ（又は、ＳＦ＃Ｎのｓｙｍ４に位置するＣＲＳのみを含む。）を含むように構成され得る。
【０３９５】
基地局はＤＲＳを構成する時に必要な最小のＣＲＳのＯＦＤＭシンボル個数又はＤＲＳ伝送のためのＬＢＴに基づいて、図３０（ｂ）のＤＲＳ構成にＣＲＳをさらに含めることができる。
【０３９６】
例えば、ＤＲＳを構成するために、少なくとも３個のＣＲＳが割り当てられるＯＦＤＭシンボルが必要であり、第１のＤＲＳ伝送方式においてＤＲＳが送信される固定位置がＳＦ＃Ｎのｓｙｍ０である場合を仮定する。この時、基地局はＳＦ＃Ｎのｓｙｍ０の直前の総センシング区間においてＬＢＴを行い、ＬＢＴに成功した場合、ＳＦ＃Ｎ内のｓｙｍ０にＣＲＳを割り当ててＤＲＳを構成することができる。
【０３９７】
他の例として、ＤＲＳを構成するために、ＣＲＳは少なくとも３個のＯＦＤＭシンボルに割り当てられ、第２のＤＲＳ伝送方式においてＤＲＳはｓｙｍ０又はｓｙｍ４で伝送が許容される場合を仮定する。この時、基地局はＳＦ＃Ｎのｓｙｍ０の直前にＬＢＴに成功すると、ＳＦ＃Ｎのｓｙｍ０でＣＲＳを割り当ててＤＲＳを構成し、ＳＦ＃Ｎのｓｙｍ４の直前にＬＢＴに成功した場合、ＳＦ＃Ｎ内のｓｙｍ１１にＣＲＳを含めてＤＲＳを構成することができる。
【０３９８】
４．１．１節で説明したＤＲＳ伝送パターンと比較するとき、ＤＲＳ構成のための最小ＯＦＤＭシンボルが一つのＳＦで構成され得るという長所がある。
【０３９９】
４．１．３  ＴＤＤ及びＦＤＤ方式を組み合わせるＤＲＳ伝送パターン
【０４００】
以下に説明する実施例は、４．１．１節及び４．１．２節で説明した実施例を組み合わせるものであり、図３０（ｃ）を参照して説明する。
【０４０１】
図３０（ｃ）を参照すると、基地局は、ＤＲＳを構成する２つのＯＦＤＭシンボル集合を用意し、状況によって一つを選択するように設定され得る。さらにいうと、基地局は、ＤＲＳのためのＬＢＴの成功位置によって２つのＤＲＳシンボル集合のうち一つを選択することができる。
【０４０２】
例えば、第１のＤＲＳ伝送方式において、Ｓセル＃１でＤＲＳ伝送のための固定位置がＳＦ＃Ｎ内のｓｙｍ０であり、Ｓセル＃２でＤＲＳ伝送のための固定位置がＳＦ＃Ｎ  ｓｙｍ１１である場合を仮定する。基地局はＳＦ＃Ｎのｓｙｍ０の直前にＬＢＴに成功した基地局は、Ｓセル＃１で４．１．２節のようにＤＲＳを送信し、ＳＦ＃Ｎのｓｙｍ１１の
直前にＬＢＴに成功した基地局は、Ｓセル＃２で４．１．１節のようにＤＲＳを送信することができる。
【０４０３】
他の例として、第２のＤＲＳ伝送方式において、ＤＲＳ伝送のためのＯＦＤＭシンボルがｓｙｍ０又はｓｙｍ１１である場合を仮定する。このとき、基地局がＳＦ＃Ｎのｓｙｍ０の直前にＬＢＴに成功した場合、４．１．２節で説明したようにＤＲＳを送信することができ、ＳＦ＃Ｎのｓｙｍ１１の直前にＬＢＴに成功した場合、基地局は４．１．１節で説明したようにＤＲＳを送信することができる。
【０４０４】
図３１は、ＬＡＡシステムに適用可能なＤＲＳ伝送パターンを説明するための他の図である。
【０４０５】
ＰＳＳ／ＳＳＳの割り当て位置をＬＴＥ−Ａシステムで定義した位置に限定しなくてもよい。例えば、図３１に示すように、ＰＳＳ／ＳＳの位置がサブフレームによって反復されるように設定することができる。このとき、基地局はＤＲＳのためのＬＢＴの成功位置によって実際に送信するＰＳＳ／ＳＳＳ／ＣＲＳを決定することができる。例えば、第２のＤＲＳ伝送方式においてｓｙｍ４又はｓｙｍ１１でＤＲＳ伝送が許容される場合を仮定する。このとき、基地局がＳＦ＃Ｎのｓｙｍ４の直前にＬＢＴに成功した場合、基地局は４．１．２節で説明した方法のようにＤＲＳを送信することができる。仮に、基地局がＳＦ＃Ｎのｓｙｍ１１の直前にＬＢＴに成功した場合、第１のＤＲＳ伝送方式のようにＤＲＳを送信することができる。
【０４０６】
このような方法は、４．１．１節及び４．１．２節で説明した方法に比べてＤＲＳ開始位置を様々に設定することによってＤＲＳ伝送確率を高めることができるという長所がある。
【０４０７】
４．１．４  ＬＴＥシステムのＰＳＳ／ＳＳＳ位置を考慮しないＤＲＳ伝送パターン
【０４０８】
４．１．４．１  ＣＲＳ位置と重複しないようにＰＳＳ／ＳＳＳの位置を設定
【０４０９】
図３２は、ＬＡＡシステムに適用可能なＤＲＳ伝送パターンの更に他の例を説明するための図である。
【０４１０】
図３２は、ＳＦ  ＃ＮでＤＲＳが構成される場合に、ＰＳＳ／ＳＳＳがそれぞれ一つの集合を構成する場合を仮定する。ＬＡＡシステムでは、図３２に示すように、ＣＲＳポート０、１、２及び３の位置と重複しないＯＦＤＭシンボルでＰＳＳ／ＳＳＳを構成することができる。
【０４１１】
このとき、図３２で、基地局は一部の集合でのみＰＳＳ／ＳＳＳが送信されるように設定することができる。また、設定された一部又は全ての集合においてＰＳＳとＳＳＳの位置は相互変わってもよい。また、一部又は全ての集合はＳＳＳ又はＰＳＳのみで構成されてもよい。
【０４１２】
仮に、ＣＲＳポート２／３が用いられないと、ＣＲＳポート２／３で送信されるＯＦＤＭシンボルでもＰＳＳ及び／又はＳＳＳが送信されてもよい。例えば、ｓｙｍ１ではＰＳＳがさらに送信され、ｓｙｍ８ではＳＳＳがさらに送信されてもよい。
【０４１３】
図３２で、集合１及び集合３のみが送信されるように許容される場合に、基地局はＤＲＳ  ＬＢＴの結果によって、集合１又は集合３とＣＲＳを含むＤＲＳを送信することができる。すなわち、ＳＦ＃Ｎのｓｙｍ０の直前にＤＲＳのためのＬＢＴに成功したとともに
、ＤＲＳのために３個のＣＲＳが必要であれば、基地局はＳＦ＃Ｎのｓｙｍ０、４及び７で、ＣＲＳ及び集合１のＰＳＳ／ＳＳＳでＤＲＳを構成して送信することができる。
【０４１４】
図３２でＰＳＳ／ＳＳＳの集合を構成する方法は次のとおりである。
【０４１５】
（１）ＰＳＳ／ＳＳＳ（ｓｅｔ  １）、ＳＳＳ／ＰＳＳ（ｓｅｔ  ２）、［ＰＳＳ／ＳＳＳ（ｓｅｔ  ３）］
【０４１６】
（２）ＰＳＳ／ＳＳＳ（ｓｅｔ  １）、ＳＳＳ／ＰＳＳ（ｓｅｔ  ２）、［ＳＳＳ／ＰＳＳ（ｓｅｔ  ３）］
【０４１７】
（３）ＰＳＳ／ＰＳＳ（ｓｅｔ  １）、ＳＳＳ／ＰＳＳ（ｓｅｔ  ２）、ＳＳＳ／ＳＳＳ（ｓｅｔ  ３）
【０４１８】
（４）ＳＳＳ／ＳＳＳ（ｓｅｔ  １）、ＳＳＳ／ＰＳＳ（ｓｅｔ  ２）、ＰＳＳ／ＰＳＳ（ｓｅｔ  ３）
【０４１９】
（５）ＰＳＳ／ＰＳＳ（ｓｅｔ  １）、ＰＳＳ／ＳＳＳ（ｓｅｔ  ２）、［ＳＳＳ／ＳＳＳ（ｓｅｔ  ３）］
【０４２０】
勿論、上記に述べていない例示の構成も可能である。ただし、ＰＳＳをＳＳＳより優先して時間処理（ｔｉｍｅ  ｐｒｏｃｅｓｓｉｎｇ）できることを考慮して、ＰＳＳがＳＳＳより先にあるデザインが好まれてもよい。また、ＰＳＳとＳＳＳとして用いられるＯＦＤＭシンボルの個数が異なる場合、ＰＳＳが優先して処理される点を考慮して、ＰＳＳの反復回数がＳＳＳの反復回数より大きく設定されてもよい。また、サブフレーム番号によってＰＳＳ／ＳＳＳの構成方法が異なるように設定されてもよい。
【０４２１】
４．１．４．２  ＣＲＳ位置と重複可能なＰＳＳ／ＳＳＳの位置を設定する方法
【０４２２】
図３３は、ＬＡＡシステムに適用可能なＤＲＳ伝送パターンをＣＲＳ位置に関係なく設定する方法を説明するための図である。
【０４２３】
本発明の実施例において、ＬＴＥ−Ａシステムで設定されるＣＲＳの割り当て位置を考慮せずにＰＳＳ／ＳＳＳの位置を設定することができる。このとき、図３３に示すように、あるＯＦＤＭシンボル上のＣＲＳとＰＳＳ／ＳＳＳとが重なるＲＥに対しては、ＣＲＳをパンクチャーすることができる。
【０４２４】
すなわち、ＤＲＳを構成するＰＳＳ、ＳＳＳ及びＣＲＳがそれぞれ異なるＯＦＤＭシンボルで送信されず、同じＯＦＤＭシンボルで構成されることがある。
【０４２５】
４．１．４．１節及び４．１．４．２節で説明したように、ＤＭＴＣ区間外でも適用される又は事前に定義された初期（ｄｅｆａｕｌｔ）ＰＳＳ／ＳＳＳ構成以外の追加ＰＳＳ／ＳＳＳ伝送が許容される場合には、基地局は、追加送信されるＰＳＳ／ＳＳＳ構成方法について上位層シグナリング（例えば、ＲＲＣなど）でＵＥに知らせることができる。
【０４２６】
例えば、４．１．４．１節においてＰＳＳ／ＳＳＳ集合別ＰＳＳ／ＳＳＳの構成方法及びＣＲＳポート２／３の追加伝送の有無は構成可能（ｃｏｎｆｉｇｕｒａｂｌｅ）である。仮に、集合２のＳＳＳ／ＰＳＳ構成が初期ＰＳＳ／ＳＳＳ構成であると仮定すれば、基地局は２ビットの指示子を用いて、集合１及び集合３が存在するか否かをＲＲＣ信号で端末に通知することができる。例えば、当該２ビット指示子が‘００’に設定されると、Ｐ
ＳＳ／ＳＳＳ集合１及び集合３が存在しないことを示し、‘０１’に設定されると、ＰＳＳ／ＳＳＳ集合３だけが存在し、‘１０’に設定されると、ＰＳＳ／ＳＳＳ集合１だけが存在することを意味できる。
【０４２７】
このとき、集合２（又は、ＤＭＴＣ区間外でも適用される初期ＰＳＳ／ＳＳＳ構成又は事前に定義された初期ＰＳＳ／ＳＳＳ構成）以外のＰＳＳ／ＳＳＳ集合及びＣＲＳポート２／３のために割り当てられるＯＦＤＭシンボルにおいてＰＳＳ／ＳＳＳの追加伝送は、設定されたＤＭＴＣ区間内でのみ有効である。
【０４２８】
また、初期ＰＳＳ／ＳＳＳ構成以外の追加ＰＳＳ／ＳＳＳは、ＤＭＴＣ区間内のＳＦ  ＃０又はＳＦ  ＃５を除くＳＦでのみ適用されるように設定することができる。ＳＦ＃０及び／又はＳＦ＃５でのみＤＲＳとＰＤＳＣＨの多重化が許容されると、ＵＥは、ＳＦ＃０又はＳＦ＃５ではＤＭＴＣ区間外か内かにかかわらずに同じＰＤＳＣＨレートマッチングを仮定してＤＲＳ及び／又はＤＬデータを受信することができるという長所がある。
【０４２９】
仮に、当該ＳＦを構成するＰＳＳ／ＳＳＳが初期ＰＳＳ／ＳＳＳと異なることを知らせる必要があれば、基地局は、当該ＳＦがスケジュールされるＵＥに、ＤＣＩ情報を用いてそれを知らせることができる。例えば、ＵＥ１に設定されたＤＭＴＣ区間内のＳＦ＃０で初期ＰＳＳ／ＳＳＳとは異なるＰＳＳ／ＳＳＳが送信され、当該ＳＦ＃０でＵＥ２がＰＤＳＣＨ受信を試みる場合、基地局はＵＥ２のＰＤＳＣＨレートマッチングのために、ＰＳＳ／ＳＳＳが初期ＰＳＳ／ＳＳＳと異なることをスケジューリンググラントで知らせることができる。
【０４３０】
４．１．４．１節及び４．１．４．２節で説明した実施例のように、既存ＰＳＳ／ＳＳＳの割り当て位置の他にもＰＳＳ／ＳＳＳを追加送信することが許容されると、ＣＳＩ−ＲＳ位置とＰＳＳ／ＳＳＳ割り当て位置とが重複する問題が発生し得る。
【０４３１】
このような問題を解決するために、ＰＳＳ／ＳＳＳの送信されるＳＦ内では、ＣＳＩ−ＲＳが送信されないか、当該ＳＦにＣＳＩ−ＲＳが割り当てられなくてもよい。
【０４３２】
または、ＣＳＩ−ＲＳとＰＳＳ／ＳＳＳとが衝突するＳＦ内でのみＣＳＩ−ＲＳを送信せず、ＰＳＳ／ＳＳＳのみを送信するように設定されてもよい。または、ＣＳＩ−ＲＳとＰＳＳ／ＳＳＳとが衝突する時、基地局は、衝突するＣＳＩ−ＲＳポートのみをドロップし、残りのＣＳＩ−ＲＳポートは依然として送信することができる。
【０４３３】
または、基地局は、最初からＣＳＩ−ＲＳとＰＳＳ／ＳＳＳとが衝突しないようにＣＳＩ−ＲＳを割り当てることができる。
【０４３４】
端末がＤＲＳ受信前にＡＧＣ設定のために少なくとも一つのＯＦＤＭシンボルを必要とし得る。そのために、上述した４．１．１節〜４．１．４節で説明したＤＲＳ伝送よりも１つのＯＦＤＭシンボルの先にＣＲＳ、ＰＳＳ、及びＳＳＳ（又は、ＣＳＩ−ＲＳなどのその他の信号）の伝送を開始し、該当のＯＦＤＭシンボルはＡＧＣ設定用途にのみ用いることができる。
【０４３５】
４．２  ＤＲＳ伝送のためのサブフレーム番号設定方法
【０４３６】
以下では、上述した４．１．１節〜４．１．３節においてＤＲＳ伝送のためのＰＳＳ／ＳＳＳ／ＣＲＳが送信されるＳＦ番号がＬＴＥ／ＬＴＥ−Ａシステムと異なる場合、当該サブフレーム番号を設定する方法について説明する。
【０４３７】
図３４は、ＬＡＡシステムに適用可能なＤＲＳ伝送のためのサブフレーム番号を設定する方法を説明するための図である。
【０４３８】
以下では、ＴＤＤシステム及びＦＤＤシステムにおいてＳＳＳは常にＳＦ  ＃０及びＳＦ  ＃５で送信されるので、便宜上、ＳＳＳを基準に説明するが、これらの方法は、ＰＳＳ、ＣＲＳ及び／又はＣＳＩ−ＲＳを生成する場合にも同一に適用することができる。また、図３４で、基本的に、免許帯域のＰセルと非免許帯域のＵセル（すなわち、Ｓセル）のＳＦ番号が同一に設定される状況を仮定した。ただし、サブフレーム境界はＰセル及びＵセルで同期化された状態でサブフレーム番号をセル別に異なるように設定してもよい。
【０４３９】
図３４で最上図はＰセルのサブキャリア番号をフレーム単位で示すものである。例えば、フレーム＃Ｎ及びフレーム＃Ｎ＋１などに含まれるＳＦ＃０〜ＳＦ＃９をそれぞれ示している。また、残りの図は、ＬＡＡシステムのサービングセルであるＵセルで再設定されるＳＦ番号を説明するためのものである。
【０４４０】
４．２．１  ＳＦ番号再設定方法１
【０４４１】
図３４（ａ）を参照すると、ＰセルのＳＦ＃３でＵセル上のＳＳＳが送信されると、基地局はＵセルのＳＦ番号をＳＦ＃０に再設定し、再設定されたＳＦ番号を（ＳＦ＃０又はＳＦ＃５で継続してＳＳＳが送信される限り）維持する。
【０４４２】
例えば、各ＳＦで送信されるＣＲＳ及び／又はＣＳＩ−ＲＳなどのシーケンスは、再設定されたＳＦ番号に基づいて生成される。しかし、仮にＰセルのＳＦ  ＃３で送信されたＵセル上のＳＳＳを受信することに失敗したＵＥがあれば、当該ＵＥは以降のＳＦでＣＲＳ及びＣＳＩ−ＲＳなどを正確に受信できなくなり、ＤＬデータ受信性能が低下し得る。
【０４４３】
４．２．２  ＳＦ番号再設定方法２
【０４４４】
図３４（ｂ）を参照すると、ＰセルのＳＦ  ＃３でＵセル上のＳＳＳが送信されると、基地局は当該ＳＦのＳＦ番号をＳＦ＃０に再設定し、再設定されたＳＦ番号を１つの無線フレーム内でのみ維持するように設定することができる。
【０４４５】
さらにいうと、Ｕセルで各ＳＦに送信されるＣＲＳ／ＣＳＩ−ＲＳなどのシーケンスは、再設定されたＳＦ番号に基づいて生成される。４．２．１節の実施例と比較するとき、ＰセルのＳＦ  ＃３で送信されたＵセル上のＳＳＳの受信に失敗したＵＥがあっても、最大１無線フレームにおいてのみＤＬ信号受信に問題になるだけで、次の無線フレームからは正常に動作することができる。この時、ＤＲＳを構成するＣＳＩ−ＲＳ及び／又はＣＳＩ−ＩＭと既存に設定されたＣＳＩ−ＲＳ及び／又はＣＳＩ−ＩＭも、再設定されたＳＦ
＃０を基準に構成されてもよい。しかし、このために全ＤＭＴＣ区間でＰＳＳ／ＳＳＳをブラインド検出（ＢＤ：Ｂｌｉｎｄ  Ｄｅｔｅｃｔｉｏｎ）すべきことが、端末具現において複雑度を増加させることにつながり得る。
【０４４６】
４．２．３  ＳＦ番号再設定方法３
【０４４７】
図３４（ｃ）を参照すると、Ｕセル上のＳＳＳがいずれのＳＦに送信されても、ＳＦ番号は変化させなくてもよい。具体的には、各ＳＦに送信されるＣＲＳ／ＣＳＩ−ＲＳなどのシーケンスは、ＰＳＳ／ＳＳＳの伝送位置にかかわらず、Ｐセルのサブフレーム番号（又は、あらかじめ設定されたＳＦ番号）に基づいて生成される。ＬＴＥ−ＡシステムにおいてＤＲＳに含まれるＳＳＳはＳＦ  ＃０で送信されるか又はＳＦ  ＃５で送信されるかによって異なるシーケンスで構成及び送信される。
【０４４８】
上述した実施例においてＳＳＳがＳＦ  ＃０又はＳＦ  ＃５以外のＳＦで送信される場合には、常にＳＦ  ＃０又はＳＦ  ＃５で送信されるシーケンス（又は、当該シーケンスの変形）を送信するように設定することができる。
【０４４９】
または、ＳＦ  ＃０〜４でＳＳＳはＳＦ  ＃０で送信されるシーケンス（又は、当該シーケンスの変形）を、ＳＦ  ＃５〜９上のＳＳＳはＳＦ  ＃５で送信されるシーケンス（又は、当該シーケンスの変形）に基づいて生成及び送信されるように設定することができる。例えば、ＵセルのＳＦ＃０〜４でＳＳＳが送信される場合、ＳＦ＃０〜４では第１シーケンスをＳＳＳを生成するために用いることができる。また、ＳＦ＃５〜９でＳＳＳが送信される場合、ＳＦ＃５〜９では第２シーケンスをＳＳＳを生成するために用いることができる。この時、第１シーケンスは、Ｐセル、Ｓセル又はＵセルのＳＦ＃０でＳＳＳを生成するためのシーケンスを意味し、第２シーケンスは、Ｐセル、Ｓセル又はＵセルのＳＦ＃５でＳＳＳを生成するためのシーケンスを意味する。
【０４５０】
しかし、該当のＳセルに対してセル検出（ｃｅｌｌ  ｄｅｔｅｃｔｉｏｎ）を行おうというＵＥに既存のＰＳＳ／ＳＳＳが５ｍｓ周期で送信されないと、セル検出を正しく行えないことがある。したがって、ＬＡＡシステムでＰＳＳ／ＳＳＳが送信されるＳＦ番号がＬＴＥ−Ａシステムと異なる場合に限って、ＬＴＥ−ＡシステムのＰＳＳ／ＳＳＳと異なるように送信される必要がある。
【０４５１】
例えば、基地局がＰＳＳ／ＳＳＳを送信する場合に、システム帯域幅の中心６ＰＲＢでない他の周波数リソースを活用することができる。これは、非免許帯域で動作するＬＴＥシステムの帯域幅は最小で５ＭＨｚであることを考慮するとき、ＰＳＳ／ＳＳＳが中心６ＰＲＢに限定される必要がないためである。
【０４５２】
また、ＰＳＳ及び／又はＳＳＳが実際に送信されるＳＦ番号によって周波数リソースがあらかじめ設定されていてもよい。
【０４５３】
または、同じ周波数帯域のセル間干渉を考慮して、セル間調整（ｃｏｏｒｄｉｎａｔｉｏｎ）を用いて、基地局がセル別に異なる周波数を活用してＰＳＳ及び／又はＳＳＳを送信するように設定されてもよい。
【０４５４】
４．２．４  ＳＦ番号再設定方法４
【０４５５】
基地局は、Ｕセル上のＳＳＳが送信されるＳＦのＳＦ番号をＳＦ  ＃０に再設定し、再設定されたＳＦ番号をＤＲＳ機会（ｏｃｃａｓｉｏｎ）内でのみ適用させることができる。
【０４５６】
図３４（ｄ）は、ＤＭＴＣ１区間内のＤＲＳ機会は２サブフレーム、ＤＭＴＣ２区間内のＤＲＳ機会は３サブフレームである場合のサブフレーム構造を示す。ＤＭＴＣ１区間及びＤＭＴＣ２区間内でＳＳＳが送信されるＳＦから始まるＤＲＳ機会内で送信されるＳＳＳ／ＣＲＳ／ＣＳＩ−ＲＳのシーケンスは、ＰセルのＳＦ番号にかかわらず、Ｕセル上に再設定されたＳＦ番号に基づいて生成される。
【０４５７】
４．２．５  ＳＦ番号再設定方法５
【０４５８】
基地局は、Ｕセル上のＳＳＳが送信されるＳＦのＳＦ番号をＳＦ  ＃０又はＳＦ  ＃５に再設定し、再設定されたＳＦ番号をＤＲＳ機会内でのみ適用させることができる。この時、ＤＲＳ機会がＰセルのＳＦ番号０〜４である場合、Ｕセル上のＳＳＳが送信されるＳ
ＦのＳ番号をＳＦ  ＃０、ＤＲＳ機会がＰセルのＳＦ番号５〜９である場合、Ｕセル上ＳＳＳが送信されるＳＦのＳＦ番号を５に設定することができる。
【０４５９】
図３４（ｅ）は、ＤＭＴＣ１区間内のＤＲＳ機会は２サブフレーム区間であり、ＤＭＴＣ２区間内のＤＲＳ機会は３サブフレーム区間である例示である。ＤＭＴＣ１区間及びＤＭＴＣ２区間内でＳＳＳが送信されるＳＦから始まるＤＲＳ機会内で送信されるＳＳＳ／ＣＲＳ／ＣＳＩ−ＲＳのシーケンスは、ＰセルのＳＦ番号にかかわらず、Ｕセルで再設定されたＳＦ番号に基づいて生成される。
【０４６０】
例えば、図３４（ｅ）を参照すると、ＤＭＴＣ１でＰセルのＳＦ  ＃３に対応するＵセルのＳＦ  ＃３がＤＲＳ機会であり、ＵセルのＳＦ＃３でＤＲＳを構成するＳＳＳを送信することができる。この時、ＵセルのＳＦ＃３はＳＦ＃０に再設定され、ＤＲＳ機会においてＵセルのＳＦ＃３及びＳＦ＃４はＳＦ＃０及びＳＦ＃１に再設定される。また、ＤＭＴＣ２でＰセルのＳＦ＃７に対応するＵセルのＳＦ  ＃７がＤＲＳ機会であってもよい。したがって、ＵセルのＳＦ＃７〜ＳＦ＃９はＳＦ  ＃５〜ＳＦ  ＃７に再設定される。この場合、ＤＭＴＣ１及び２で送信されるＤＲＳに含まれるＰＳＳ／ＳＳＳ／ＣＲＳなどは、Ｕセルで再設定されたサブフレーム番号に基づいて生成することができる。
【０４６１】
４．２．６  ＳＦ番号再設定方法６
【０４６２】
基地局は、Ｕセル上のＳＳＳが送信されるＳＦのＳＦ番号をＳＦ  ＃０に再設定し、再設定されたＳＦ番号をＤＲＳ機会内で維持させることができる。
【０４６３】
図３４（ｆ）は、ＤＭＴＣ１区間内のＤＲＳ機会は２サブフレームであり、ＤＭＴＣ２区間内のＤＲＳ機会は３サブフレームである場合の例示である。ＤＭＴＣ１区間及びＤＭＴＣ２区間内でＳＳＳが送信されるＳＦから始まるＤＲＳ機会内で送信されるＳＳＳ／ＣＲＳ／ＣＳＩ−ＲＳのシーケンスは、ＰセルのＳＦ番号にかかわらず、Ｕセル上で再設定されたＳＦ番号に基づいて生成される。
【０４６４】
４．２．７  ＳＦ番号再設定方法７
【０４６５】
基地局は、Ｕセル上のＳＳＳが送信されるＳＦのＳＦ番号をＳＦ＃０又はＳＦ＃５に再設定し、再設定されたＳＦ番号をＤＲＳ機会内で維持させることができる。この時、ＤＲＳ機会がＰセルのＳＦ番号０〜４である場合、Ｕセル上のＳＳＳが送信されるＳＦから始まってＤＲＳ機会におけるＳＦ番号は、ＳＦ＃０に再設定することができる。また、ＤＲＳ機会がＰセルのＳＦ番号５〜９である場合、Ｕセル上のＳＳＳが送信されるＳＦから始まってＤＲＳ機会におけるＳＦ番号は、ＳＦ  ＃５に再設定することができる。
【０４６６】
図３４（ｇ）は、ＤＭＴＣ１区間内のＤＲＳ機会は２サブフレームであり、ＤＭＴＣ２区間内のＤＲＳ機会は３ＳＦである例示である。ＤＭＴＣ１区間及びＤＭＴＣ２区間内でＳＳＳが送信されるＳＦから始まるＤＲＳ機会内で送信されるＳＳＳ／ＣＲＳ／ＣＳＩ−ＲＳのシーケンスは、ＰセルのＳＦ番号にかかわらず、再設定されたＳＦ番号に基づいて生成することができる。
【０４６７】
４．２．８  ＳＦ番号再設定方法８
【０４６８】
基地局は、Ｕセル上のＳＳＳが送信されるＳＦがＰセルのＳＦ番号０である場合には、当該ＳＦ番号を０に再設定し、ＰセルのＳＦ番号５である場合は当該ＳＦ番号を５に再設定する。
【０４６９】
ＤＲＳ機会がＰセルのＳＦ番号１〜４に該当する場合、基地局はＵセル上のＳＳＳが送信されるＳＦから始まってＤＲＳ機会におけるＳＦ番号をＳＦ＃Ａ（例えば、Ａ＝１）に再設定することができる。また、ＤＲＳ機会がＰセルのＳＦ番号６〜９である場合、基地局はＵセル上のＳＳＳが送信されるＳＦから始まってＤＲＳ機会におけるＳＦ番号をＳＦ＃Ｂ（例えば、Ｂ＝６又はＡと同じ値）に設定することができる。
【０４７０】
図３４（ｈ）は、ＤＭＴＣ１区間内のＤＲＳ機会とＤＭＴＣ２区間内のＤＲＳ機会がそれぞれ２及び３サブフレームである例示である。または、図３４（ｈ）で、ＤＭＴＣ１及び２区間内のＤＲＳ機会はいずれも１サブフレームに設定されてもよい。
【０４７１】
基地局は、ＤＭＴＣ１区間及びＤＭＴＣ２区間内でＳＳＳが送信されるサブフレームから始まるＤＲＳ機会内で送信されるＳＳＳ／ＣＲＳ／ＣＳＩ−ＲＳを生成するためのシーケンスを、Ｐセルのサブフレーム番号にかかわらず、再設定されたＳＦ番号に基づいて生成することができる。
【０４７２】
４．２．９  ＳＦ番号再設定方法９
【０４７３】
基地局はＤＭＴＣ区間内でＤＲＳ機会にかかわらずにＵセルのＳＦ番号をＰセルのＳＦ番号に関係なく設定することができる。例えば、ＤＭＴＣ区間内のＳＳＳ／ＣＲＳ／ＣＳＩ−ＲＳを生成するためのシーケンスをＳＦ番号Ｘ（例えば、Ｘ＝０）を仮定して生成することができる。
【０４７４】
または、ＤＭＴＣ区間内のＳＦインデックスがＳＦ＃０〜４である場合、ＳＳＳ／ＣＲＳ／ＣＳＩ−ＲＳを生成するためのシーケンスをＳＦ  ＃Ｙ（例えば、Ｙ＝０）を仮定して生成することができる。また、ＤＭＴＣ区間内のＳＦインデックスがＳＦ＃５〜９である場合、ＳＳＳ／ＣＲＳ／ＣＳＩ−ＲＳを生成するためのシーケンスをＳＦ  ＃Ｚ（例えば、Ｚ＝５）を仮定して生成することができる。
【０４７５】
上述した４．２．１節〜４．２．９節で制限したＵセルのＳＦ番号を再設定し、再設定されたＳＦ番号に基づいてＳＳＳ／ＣＲＳ／ＣＳＩ−ＲＳのシーケンスを生成する方法は、ＳＳＳ、ＣＲＳ又はＣＳＩ−ＲＳの各場合に対して異なる方法が適用されてもよい。例えば、ＳＳＳ及びＣＳＩ−ＲＳは４．１．５節で説明した実施例によって生成され、ＣＲＳは４．１．３節で説明した実施例によって生成されてもよい。
【０４７６】
４．３  ＤＲＳ構成方法
【０４７７】
本発明の実施例において、ＤＲＳを送信する区間（例えば、ＤＲＳ機会など）で空のＯＦＤＭシンボルが含まれることがある。このとき、空のＯＦＤＭシンボルにはダミー信号を送信したり、ＣＳＩ−ＲＳを割り当て及び送信することができる。また、ＣＲＳがＬＴＥ−Ａシステムで定義されていない位置で送信されることを許容することができる。
【０４７８】
この場合にも、上述した実施例を拡張適用することができる。例えば、４．１．２節及び図３０（ｂ）を参照すると、非免許帯域で端末のＲＲＭ測定性能を向上させるために、ｓｙｍ２にもＣＲＳが送信されるように設定することができる。この場合、ＣＲＳのために少なくとも４個のＯＦＤＭシンボルが必要であり、第１のＤＲＳ伝送方式において固定位置のＳＦ＃Ｎのｓｙｍ０であれば、基地局はＳＦ＃Ｎ内のｓｙｍ０の直前に総センシング周期においてＬＢＴを行い、ＬＢＴに成功した場合にＳＦ＃Ｎのｓｙｍ０及び２のＣＲＳを含めてＤＲＳを構成することができる。
【０４７９】
ＤＲＳ機会内の空のＯＦＤＭシンボルをＣＳＩ−ＲＳ及び／又はＣＲＳで埋める場合に
、当該ＣＳＩ−ＲＳ或いはＣＲＳなどをＵＥがセル識別、ＣＳＩ測定又はＲＲＭ測定などの用途に活用できるかに関する問題（ｉｓｓｕｅ）が起こり得る。すなわち、空のＯＦＤＭシンボルを活用するか否かによって次のような２つのオプションが可能である。
【０４８０】
４．３．１  オプション１
【０４８１】
ｅＮＢ観点では、ＤＲＳ伝送ＳＦでＰＤＳＣＨとＤＲＳを多重化する場合に、ｅＮＢは空のＯＦＤＭシンボルを追加ＲＳ（例えば、ＣＲＳ／ＣＳＩ−ＲＳ）で埋めなくてもよい。ただし、ｅＮＢは、ＰＤＳＣＨと多重化せずにＤＲＳのみを送信するＳＦでは、空のＯＦＤＭシンボルをあらかじめ規定されたＣＳＩ−ＲＳ及び／又はＣＲＳで埋めて送信することができる。すなわち、基地局はＤＲＳとＰＤＳＣＨを多重化する場合には空のＯＦＤＭシンボルが発生せず、ＣＳＩ−ＲＳ／ＣＲＳを追加する必要がないが、ＤＲＳとＰＤＳＣＨが多重化されない場合には空のＯＦＤＭシンボルが発生するので、ＣＳＩ−ＲＳ／ＣＲＳを空のＯＦＤＭシンボルにさらに割り当てることができる。
【０４８２】
ＵＥ観点では、構成されたＤＭＴＣ区間内でＤＲＳを受信する場合、該当のＳＦにスケジュールされるか否かにかかわらず、空のＯＦＤＭシンボルに追加送信されるＣＳＩ−ＲＳ或いはＣＲＳなどはないと仮定することができる。例えば、設定されたＤＭＴＣ区間内のＳＦにスケジューリングされたＵＥにとっては、当該ＳＦにＤＲＳとＰＤＳＣＨが多重化されるとしても、ＤＲＳが送信されない空のＯＦＤＭシンボルに追加のＣＳＩ−ＲＳ及び／又はＣＲＳに対するレートマッチングは行わない。
【０４８３】
他の例として、設定されたＤＭＴＣ区間内で（ＰＤＳＣＨでない）ＤＲＳのみを受信するＵＥは、基本的に、空のＯＦＤＭシンボルにおいて追加のＣＳＩ−ＲＳ及び／又はＣＲＳは仮定しなくてもよい。しかし、ＢＤによって、空のＯＦＤＭシンボルに追加送信され得るＣＳＩ−ＲＳ及び／又はＣＲＳの有無が分かるＵＥに限って、追加されるＣＳＩ−ＲＳ及び／又はＣＲＳが発見されると、セル識別、ＣＳＩ測定、又はＲＲＭ測定などに活用することができる。
【０４８４】
４．３．２  オプション２
【０４８５】
ｅＮＢ観点では、ＤＲＳ伝送ＳＦでＰＤＳＣＨとＤＲＳを多重化する場合は、空のＯＦＤＭシンボルを追加ＲＳで埋めなくてもよい。ｅＮＢは、ＰＤＳＣＨと多重化されず、ＤＲＳのみを送信するＳＦでは、少なくともあらかじめ定められたＳＦ（一例として、ＳＦ
＃０／５以外のＳＦ）では、空のＯＦＤＭシンボルをあらかじめ規定されたＣＳＩ−ＲＳ及び／又はＣＲＳで埋めて送信することができる。
【０４８６】
ＵＥ観点では、構成されたＤＭＴＣ区間内でＤＲＳを受信する場合、該当のＳＦにＤＲＳとＰＤＳＣＨが多重化されると、ＵＥは、ＤＲＳが送信されない空のＯＦＤＭシンボルで追加のＣＳＩ−ＲＳ及び／又はＣＲＳに対するレートマッチングは行わない。
【０４８７】
これに対し、設定されたＤＭＴＣ区間内で（ＰＤＳＣＨでない）ＤＲＳのみを受信するＵＥは、基本的に、少なくともあらかじめ定められたＳＦ（一例として、ＳＦ  ＃０／５以外のＳＦ）で空のＯＦＤＭシンボルに追加のＣＳＩ−ＲＳ及び／又はＣＲＳは常に存在すると仮定し、セル識別、ＣＳＩ測定又はＲＲＭ測定などに活用することができる。
【０４８８】
しかし、ＢＤによって、空のＯＦＤＭシンボルに送信され得るＣＳＩ−ＲＳ及び／又はＣＲＳの有無が分かるＵＥに限って、少なくともあらかじめ定められたＳＦ（一例として、ＳＦ  ＃０／５以外のＳＦ）以外のＳＦで当該ＣＳＩ−ＲＳ及び／又はＣＲＳが発見されると、セル識別、ＣＳＩ測定又はＲＲＭ測定などに活用することができる。
【０４８９】
上述した方法によって設定されたＰＳＳ／ＳＳＳ／ＣＲＳ伝送パターンは、設定されたＤＭＴＣ区間内で可能であると限定しなくてもよい。例えば、特定ＵＥに設定されたＤＭＴＣ区間でないＳＦである場合にも、基地局は、ＵＥの時間及び周波数同期などの目的で、ＰＳＳ／ＳＳＳ／ＣＲＳ（或いは、ＣＳＩ−ＲＳ）で構成されたＤＲＳを送信することができる。
【０４９０】
また、上述した方法を用いたＰＳＳ／ＳＳＳ／ＣＲＳ伝送パターンは、ＤＲＳのみ含まれたＤＬ  ＴＸバーストの他、ＤＬデータが含まれたＤＬ  ＴＸバーストにも同一に適用可能である。このとき、ＤＲＳのみ含まれたＤＬ  ＴＸバーストのためのＬＢＴ方法は、ＤＭＴＣ区間内のＤＲＳ伝送時のＬＢＴ方法と同一に設定することができる。
【０４９１】
４．２．１節〜４．２．９節で説明したシーケンス生成方法が、端末に設定されたＤＭＴＣ区間以外にも同一に適用されてもよい。例えば、４．２．９節のように、（ＤＭＴＣ区間とは無関係に）全ＳＦでＳＳＳ／ＣＲＳ／ＣＳＩ−ＲＳを、ＳＦ  ＃Ｘ（例えば、Ｘ＝０）を仮定して生成することができる。
【０４９２】
または、４．２．９節のように、（ＤＭＴＣ区間とは無関係に）全ＳＦに対して、ＳＦインデックスがＳＦ  ＃０〜４である場合、ＳＳＳ／ＣＲＳ／ＣＳＩ−ＲＳを、ＳＦ  ＃Ｙ（例えば、Ｙ＝０）を仮定して生成し、ＳＦインデックスがＳＦ＃５〜９である場合、ＳＳＳ／ＣＲＳ／ＣＳＩ−ＲＳを、ＳＦ  ＃Ｚ（例えば、Ｚ＝５）を仮定して生成することができる。
【０４９３】
４．４  ＤＲＳ伝送時点通知方法
【０４９４】
以下では、端末のＤＲＳ受信確率を高めるために、ＤＲＳが送信される時点を端末に通知する方法について説明する。
【０４９５】
基地局は、ＤＭＴＣ区間内で実際にＤＲＳ伝送がいつ始まったか、又はＤＭＴＣ区間外でＤＲＳが送信されたか否かを、ＤＣＩを用いて端末に知らせることができる。この時、基地局は別の共用ＤＣＩを用いてＤＲＳ伝送の有無をシグナルしたり、ＣＳＩ−ＲＳ／ＣＳＩ−ＩＭ存在の有無を知らせるＤＣＩ情報を用いて端末に知らせることができる。
【０４９６】
仮に、ＵＥが当該ＤＣＩ情報を逃がす（ｍｉｓｓｉｎｇ）と、端末は、ＤＲＳが送信されなかったと見なすことができる。しかし、基地局側ではＤＲＳ（すなわち、ＰＳＳ／ＳＳＳ／ＣＲＳ）伝送が要求事項を満たすに十分であると判断されても、ＵＥ側では要求事項を満たせないことがある。したがって、ＵＥが当該ＤＣＩ情報を逃したにもかかわらず、ＤＲＳ受信を試みるように設定されてもよい。
【０４９７】
ｅＮＢがＤＲＳを送信する際に、ＬＢＴ完了時点などの影響によって、一部のＯＦＤＭシンボルを除いたままＤＲＳを送信することがある。特徴的に、一部のＯＦＤＭシンボルを除いたままＤＲＳを送信するとしても、最小限に含まれるべきＯＦＤＭシンボルはあらかじめ定められていてもよい。例えば、図３０（ｂ）のＳｙｍ４、Ｓｙｍ５、Ｓｙｍ６及びＳｙｍ７には少なくともＣＲＳ／ＳＳＳ／ＰＳＳ／ＣＲＳが割り当てられて送信されるように規定することができる。
【０４９８】
仮にｅＮＢがあるＳＦに対してＳｙｍ０〜Ｓｙｍ１２まで定義されたＤＲＳの代わりに、Ｓｙｍ４、Ｓｙｍ５、Ｓｙｍ６及びＳｙｍ７に割り当てられたＣＲＳ／ＳＳＳ／ＰＳＳ／ＣＲＳだけを送信したと仮定する。この時、当該ＳＦがＤＭＴＣ区間として設定されたＵＥにとっては、当該ＳＦを有効なＤＲＳが送信されたものと見なし難い。一方、当該Ｓ
ＦがＤＭＴＣ区間として設定されていないＵＥにとっては、当該ＳＦのＰＳＳ／ＳＳＳ／ＣＲＳ／ＣＳＩ−ＲＳなどを時間／周波数同期、ＣＳＩ測定又はＲＲＭ測定などの用途に活用することができる。
【０４９９】
上述した実施例は、部分ＴＴＩ（ｐａｒｔｉａｌ  ＴＴＩ）導入の有無に関わらない。また、ｅＮＢが予約信号、初期信号又はプリアンブルをＳｙｍ４〜Ｓｙｍ７で送信する場合（特に、ＳＦ＃０及び５である場合）、基地局はＤＲＳ（ＰＳＳ／ＳＳＳ／ＣＲＳ／ＣＳＩ−ＲＳ）を送信することができる。当該ＳＦがＤＭＴＣ区間として設定されたＵＥにとっては、設定されたＤＭＴＣ区間内に有効のＤＲＳが依然として受信されなかったため、このようなＵＥのためにｅＮＢは次のＳＦでも（Ｓｙｍ０〜Ｓｙｍ１２まで定義された）ＤＲＳを送信することができる。
【０５００】
４．５  ＤＲＳ受信方法
【０５０１】
上述した実施例において、ＣＲＳ／ＣＳＩ−ＲＳに対するシーケンス生成が、Ｐセル上のＳＦインデックスとは無関係に決定され得る（すなわち、ＵセルのＳＦ番号によって生成される）場合、ＵＥがＤＲＳの送信されるＳＦに対して（Ｅ）ＰＤＣＣＨ／ＰＤＳＣＨ復調（ｄｅｍｏｄｕｌａｔｉｏｎ）又はＣＳＩ測定を行う際に曖昧さ（ａｍｂｉｇｕｉｔｙ）が発生し得る。このような問題を解決するために、次のような方法を考慮することができる。
【０５０２】
４．５．１  ＤＲＳ受信方法１
【０５０３】
ＵＥが自身に設定されたＤＭＴＣ区間外でＰＳＳ及び／又はＳＳＳが発見されるＳＦに限って、あらかじめ設定された規則にしたがってＣＲＳ／ＣＳＩ−ＲＳのシーケンスを異なるように仮定することができる。
【０５０４】
例えば、４．２．５節で説明した方法のようにＤＲＳ機会がＳＦインデックスＳＦ＃０〜４である場合、基地局はＳＳＳ／ＣＲＳ／ＣＳＩ−ＲＳのシーケンスをＳＦ＃０を仮定して生成することができる。また、ＤＲＳ機会がＳＦ  ＃５〜９である場合、基地局はＳＳＳ／ＣＲＳ／ＣＳＩ−ＲＳのシーケンスをＳＦ  ＃５を仮定して生成することができる。この時、ＵＥがあるＳＦでＰＳＳ及び／又はＳＳＳを発見すると、発見されたＳＳＳのシーケンスによってＣＲＳ／ＣＳＩ−ＲＳのシーケンスを仮定してデコードすることができる。
【０５０５】
４．５．２  ＤＲＳ受信方法２
【０５０６】
ｅＮＢがＲＲＣシグナリングなどを用いてあらかじめ知らせたＳＦ又は物理層信号を用いて動的に知らせたＳＦに対してのみ、端末は特定ＳＦインデックスのＣＲＳ／ＣＳＩ−ＲＳシーケンスを仮定してデコードすることができる。
【０５０７】
４．５．３  ＤＲＳ受信方法３
【０５０８】
本実施例を４．５．１節及び４．５．２節の組合せで実行することができる。例えば、ｅＮＢが、ＰセルのＳＦインデックスにかかわらずにＣＲＳ／ＣＳＩ−ＲＳが送信され得るＳＦの集合を知らせると、ＵＥは、当該集合に属するＳＦに対してのみＰＳＳ及び／又はＳＳＳ検出を試みることができる。ＵＥは、当該ＳＦでＰＳＳ／ＳＳＳなどを検出すると、あらかじめ定められた規則にしたがって或いはシグナリングを用いて設定されたＳＦインデックスを仮定してＣＲＳ／ＣＳＩ−ＲＳシーケンスが分かる。
【０５０９】
この時、ＵＥ自身に設定されたＤＭＴＣ区間内と区間外に対して異なる動作が定義されてもよい。例えば、ＵＥは、自身に設定されたＤＭＴＣ区間内では既存のＬＴＥ−Ａ（Ｒｅｌ−１２）システムのＣＳＩ−ＲＳと同一にＣＳＩ−ＲＳシーケンスを仮定してＣＳＩ−ＲＳなどのＤＲＳを受信し、自身に設定されたＤＭＴＣ区間外では、上述した４．５．１〜４．５．３節で説明した実施例を適用することができる。
【０５１０】
４．６  ＤＲＳ伝送方法
【０５１１】
図３５は、ＬＡＡシステムに適用可能なＤＲＳ伝送方法の一例を示す図である。
【０５１２】
図３５で説明する実施例には、上述した１節〜４節で説明した本発明の実施例を組み合わせて適用することができる。図３５を参照すると、基地局はＤＲＳを送信する必要があるとき、ＤＭＴＣ区間内のＤＲＳ機会（ＤＲＳ  ｏｃｃａｓｉｏｎ）又はＤＲＳ機会の直前で該当のチャネル（又は、Ｕセル）が遊休状態であるか否かを判断する（Ｓ３５１０）。
【０５１３】
Ｓ３５１０段階でチャネルが遊休であるか否かは、基地局が所定の時間にチャネルをセンシングして遊休状態か否かを判断したり、ＬＢＴを行って遊休状態か否かを判断することができる（３節参照）。
【０５１４】
該当のチャネルが遊休状態であれば、基地局はＤＲＳを生成し（Ｓ３５２０）、それを端末に送信することができる（Ｓ３５３０）。
【０５１５】
Ｓ３５２０段階でＤＲＳはＰＳＳ、ＳＳＳ及びＣＲＳで構成され、選択的にＣＳＩ−ＲＳを含んでもよい。ＰＳＳ、ＳＳＳ、ＣＲＳ及びＣＳＩ−ＲＳを生成する場合、ＤＲＳが送信されるＵセルのサブフレームインデックス（又は、サブフレーム番号）に基づいて生成される。
【０５１６】
例えば、ＰＳＳは、ＤＲＳ機会の一番目のスロットの最後のＯＦＤＭシンボルで送信され、ＳＳＳは、ＰＳＳが送信されるスロットで送信され得る。この時、ＤＲＳ機会は、Ｕセルの再設定されたサブフレームで送信され、サブフレームを再送信する方法は４．２節を参照されたい。
【０５１７】
例えば、ＳＳＳを生成するために必要なシーケンスは、再設定されたＵセルのサブフレーム番号に基づいて決定される。さらにいうと、ＵセルのＳＦ＃０〜４でＳＳＳが送信される場合、ＳＳＳはＳＦ＃０で用いられる第１シーケンスに基づいて生成される。また、ＵセルのＳＦ＃５〜９でＳＳＳが送信される場合、ＳＦ＃５で用いられる第２シーケンスに基づいてＳＳＳが生成される。
【０５１８】
また、ＣＲＳがＵセルのＳＦ＃０〜４で送信される場合、ＣＲＳは、ＳＦ＃０で用いられるシーケンスに基づいて生成される。また、ＣＲＳがＵセルのＳＦ＃５〜９で送信される場合、ＣＲＳは、ＳＦ＃５で用いられるシーケンスに基づいて生成される。
【０５１９】
すなわち、ＤＲＳ機会が発生した再設定されたＵセルのＳＦ番号に基づいて、ＤＲＳを構成するＰＳＳ／ＳＳＳ／ＣＲＳ／ＣＳＩ−ＲＳのシーケンスを生成することができる。
【０５２０】
また、端末は、ＤＲＳ機会が発生するサブフレーム番号に基づいて、ＤＲＳを構成するＰＳＳ、ＳＳＳ、ＣＲＳ及び／又はＣＳＩ−ＲＳの生成シーケンスを推定及び把握することができる。したがって、生成シーケンスに基づいて、受信したＤＲＳをデコードすることができる。
【０５２１】
また、図３５を参照すると、端末はＤＭＴＣ区間内のＤＲＳ機会でＤＲＳを受信することができる。端末は、受信したＤＲＳに基づいて時間／周波数同期を取ったり、ＣＳＩを測定及び報告したり、ＲＲＭを測定及び報告することができる（Ｓ３５４０）。
【０５２２】
本発明の実施例においてサブフレーム番号は０以上の整数と表現される。
【０５２３】
５．  具現装置
【０５２４】
図３６で説明する装置は、図１〜図３５で説明した方法を具現できる手段である。
【０５２５】
端末（ＵＥ：Ｕｓｅｒ Ｅｑｕｉｐｍｅｎｔ）は上りリンクでは送信端として動作し、
下りリンクでは受信端として動作することができる。また、基地局（ｅＮＢ：ｅ−ＮｏｄｅＢ）は上りリンクでは受信端として動作し、下りリンクでは送信端として動作することができる。
【０５２６】
すなわち、端末及び基地局は、情報、データ及び／又はメッセージの送信及び受信を制御するために、それぞれ送信器（Ｔｒａｎｓｍｉｔｔｅｒ）３６４０、３６５０及び受信器（Ｒｅｃｅｉｖｅｒ）３６５０、３６７０を含むことができ、情報、データ及び／又はメッセージを送受信するためのアンテナ３６００、３６１０などを含むことができる。
【０５２７】
また、端末及び基地局は、上述した本発明の実施例を実行するためのプロセッサ（Ｐｒｏｃｅｓｓｏｒ）３６２０、３６３０とプロセッサの処理過程を臨時に又は持続的に保存することができるメモリ３６８０、３６９０をそれぞれ含むことができる。
【０５２８】
上述した端末及び基地局装置の構成成分及び機能を用いて本願発明の実施例を実行することができる。例えば、基地局のプロセッサは、送信器及び受信器を制御して、ＬＡＡセルが遊休状態か否かを判断するためのＣＡＰ（又は、ＣＳ、ＣＡＡ過程など）を行うことができる。また、基地局のプロセッサは、ＤＲＳ機会で又はその前にチャネルが遊休状態か否かを判断し、遊休状態であれば、ＤＲＳを生成して端末に送信することができる。ＤＲＳを生成する詳細な方法は１節〜４節を参照されたい。
【０５２９】
端末及び基地局に含まれた送信モジュール及び受信モジュールは、データ送信のためのパケット変復調機能、高速パケットチャネルコーディング機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及び／又はチャネル多重化機能を実行することができる。また、図３６の端末及び基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールをさらに備えることができる。
【０５３０】
一方、本発明で端末として、個人携帯端末機（ＰＤＡ：Ｐｅｒｓｏｎａｌ  Ｄｉｇｉｔａｌ  Ａｓｓｉｓｔａｎｔ）、セルラーフォン、個人通信サービス（ＰＣＳ：Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ
Ｓｙｓｔｅｍ  ｆｏｒ  Ｍｏｂｉｌｅ）フォン、ＷＣＤＭＡ（登録商標）（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォン、ハンドヘルドＰＣ（Ｈａｎｄ−Ｈｅｌｄ  ＰＣ）、ノートパソコン、スマート（Ｓｍａｒｔ）フォン、又はマルチモードマルチバンド（ＭＭ−ＭＢ：Ｍｕｌｔｉ  Ｍｏｄｅ−Ｍｕｌｔｉ  Ｂａｎｄ）端末機などを用いることができる。
【０５３１】
ここで、スマートフォンは、移動通信器末機と個人携帯端末機の長所を組み合わせた端末機であって、移動通信器末機に、個人携帯端末機の機能である日程管理、ファックス送受信及びインターネット接続などのデータ通信機能を統合した端末機を意味できる。また、マルチモードマルチバンド端末機は、マルチモデムチップを内蔵し、携帯インターネットシステムでも、その他の移動通信システム（例えば、ＣＤＭＡ２０００システム、ＷＣＤＭＡシステムなど）でも作動できる端末機のことを指す。
【０５３２】
本発明の実施例は、様々な手段によって具現することができる。例えば、本発明の実施例は、ハードウェア、ファームウェア（ｆｉｒｍｗａｒｅ）、ソフトウェア又はそれらの結合などによって具現することができる。
【０５３３】
ハードウェアによる具現の場合、本発明の実施例に係る方法は、１つ又はそれ以上のＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｏｒ）、ＤＳＰＤ（ｄｉｇｉｔａｌ  ｓｉｇｎａｌ  ｐｒｏｃｅｓｓｉｎｇ  ｄｅｖｉｃｅ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、コントローラ、マイクロコントローラ、マイクロプロセッサなどによって具現することができる。
【０５３４】
ファームウェアやソフトウェアによる具現の場合、本発明の実施例に係る方法は、以上で説明された機能又は動作を実行するモジュール、手順又は関数などの形態として具現することもできる。例えば、ソフトウェアコードは、メモリユニット３６８０、３６９０に記憶され、プロセッサ３６２０、３６３０によって駆動されてもよい。メモリユニットは、プロセッサの内部又は外部に設けられ、公知の種々の手段によってプロセッサとデータを交換することができる。
【０５３５】
本発明は、本発明の精神及び必須特徴から逸脱しない範囲で他の特定の形態として具体化されてもよい。したがって、上記の詳細な説明は、いずれの面においても制約的に解釈されてはならず、例示的なものとして考慮されなければならない。本発明の範囲は、添付した請求項の合理的解釈によって決定されなければならず、本発明の等価的範囲における変更はいずれも本発明の範囲に含まれる。また、特許請求の範囲で明示的な引用関係にない請求項を結合して実施例を構成してもよく、出願後の補正によって新しい請求項として含めてもよい。
【産業上の利用可能性】
【０５３６】
本発明の実施例は多様な無線接続システムに適用可能である。多様な無線接続システムの一例として、３ＧＰＰ（３ｒｄ  Ｇｅｎｅｒａｔｉｏｎ  Ｐａｒｔｎｅｒｓｈｉｐ  Ｐｒｏｊｅｃｔ）又は３ＧＰＰ２システムなどがある。本発明の実施例は上記多様な無線接続システムだけではなく、上記多様な無線接続システムを応用した全ての技術分野に適用可能である。
【図１】
2019198125.tif 000061
【図２】
2019198125.tif 000062
【図３】
2019198125.tif 000063
【図４】
2019198125.tif 000064
【図５】
2019198125.tif 000065
【図６】
2019198125.tif 000066
【図７】
2019198125.tif 000067
【図８】
2019198125.tif 000068
【図９】
2019198125.tif 000069
【図１０】
2019198125.tif 000070
【図１１】
2019198125.tif 000071
【図１２】
2019198125.tif 000072
【図１３】
2019198125.tif 000073
【図１４】
2019198125.tif 000074
【図１５】
2019198125.tif 000075
【図１６】
2019198125.tif 000076
【図１７】
2019198125.tif 000077
【図１８】
2019198125.tif 000078
【図１９】
2019198125.tif 000079
【図２０】
2019198125.tif 000080
【図２１】
2019198125.tif 000081
【図２２】
2019198125.tif 000082
【図２３】
2019198125.tif 000083
【図２４】
2019198125.tif 000084
【図２５】
2019198125.tif 000085
【図２６】
2019198125.tif 000086
【図２７】
2019198125.tif 000087
【図２８】
2019198125.tif 000088
【図２９】
2019198125.tif 000089
【図３０】
2019198125.tif 000090
【図３１】
2019198125.tif 000091
【図３２】
2019198125.tif 000092
【図３３】
2019198125.tif 000093
【図３４】
2019198125.tif 000094
【図３５】
2019198125.tif 000095
【図３６】
2019198125.tif 000096
【手続補正書】
【提出日】令和1年8月27日(2019.8.27)
【手続補正１】
【補正対象書類名】特許請求の範囲
【補正対象項目名】全文
【補正方法】変更
【補正の内容】
【特許請求の範囲】
【請求項１】
非免許帯域を支援する無線接続システムにおいて基地局がディスカバリ参照信号（ＤＲＳ）を送信する方法であって、
上記非免許帯域に対する上記ＤＲＳを生成するステップと、
上記非免許帯域を介して上記ＤＲＳをＤＲＳ機会で送信するステップと、
を含み、
上記ＤＲＳは、プライマリ同期信号（ＰＳＳ）、セカンダリ同期信号（ＳＳＳ）及びセル特定参照信号（ＣＲＳ）を含み、
上記ＤＲＳはＳＦ番号０又はＳＦ番号５とは異なるあらゆるサブフレーム（ＳＦ）で送信され、
上記ＤＲＳ機会が発生したＳＦ番号に関する第１シーケンスに基づいて上記ＳＳＳが生成され、
ＳＦ番号１、ＳＦ番号２、ＳＦ番号３及びＳＦ番号４を含む第１ＳＦ番号グループの１つのＳＦ番号に関する第１シーケンスは、ＳＦ番号６、ＳＦ番号７、ＳＦ番号８及びＳＦ番号９を含む第２ＳＦ番号グループの１つのＳＦ番号に関する第１シーケンスとは異なる、ＤＲＳ伝送方法。
【請求項２】
上記第１ＳＦ番号グループの１つのＳＦ番号に関する上記第１シーケンスは、ＳＦ番号０に関する第１シーケンスと同一であり、
上記第２ＳＦ番号グループの１つのＳＦ番号に関する上記第１シーケンスは、ＳＦ番号５に関する第１シーケンスと同一である、請求項１に記載のＤＲＳ伝送方法。
【請求項３】
上記ＤＲＳを送信する前に、上記非免許帯域が遊休状態であるか否かを確認するためのチャネルセンシング過程を行うステップをさらに含む、請求項１に記載のＤＲＳ伝送方法。
【請求項４】
上記ＤＲＳ機会が発生したＳＦ番号に関する第２シーケンスに基づいて上記ＣＲＳが生成され、
上記第１ＳＦ番号グループの１つのＳＦ番号に関する第２シーケンスは、上記第２ＳＦ番号グループの１つのＳＦ番号に関する第２シーケンスとは異なる、請求項１に記載のＤＲＳ伝送方法。
【請求項５】
上記ＤＲＳは、チャネル状態情報−参照信号（ＣＳＩ−ＲＳ）をさらに含む、請求項１に記載のＤＲＳ伝送方法。
【請求項６】
上記ＤＲＳ機会が発生したＳＦ番号に関する第３シーケンスに基づいて上記ＣＳＩ−ＲＳが生成され、
前記第１ＳＦ番号グループの１つのＳＦ番号に関する上記第３シーケンスは、前記第２ＳＦ番号グループの１つのＳＦ番号に関する上記第３シーケンスとは異なる、請求項５に記載のＤＲＳ伝送方法。
【請求項７】
上記ＤＲＳが物理下りリンク共有チャネル（ＰＤＳＣＨ）無しで送信されることに基づいて、上記基地局は、上記非免許帯域が所定の区間で遊休状態であるか否かを決定するためのチャネルセンシング過程に基づいて、上記ＤＲＳを上記ＰＤＳＣＨ無しで送信する、請求項１に記載のＤＲＳ伝送方法。
【請求項８】
上記ＤＲＳ機会が発生したＳＦ番号は、上記ＤＲＳを送信するためのチャネルセンシング過程の結果に基づいて、ディスカバリ測定タイミング構成（ＤＭＴＣ）内に含まれる一つのＳＦとして決定される、請求項１に記載のＤＲＳ伝送方法。
【請求項９】
非免許帯域を支援する無線接続システムにおいてディスカバリ参照信号（ＤＲＳ）を送信する基地局は、
送信器と、
上記送信器に連結されるプロセッサであって、
上記非免許帯域に対する上記ＤＲＳを生成し、
上記非免許帯域を介して上記ＤＲＳをＤＲＳ機会で送信するように構成されたプロセッサと、
を含み、
上記ＤＲＳは、プライマリ同期信号（ＰＳＳ）、セカンダリ同期信号（ＳＳＳ）及びセル特定参照信号（ＣＲＳ）を含み、
上記ＤＲＳはＳＦ番号０又はＳＦ番号５とは異なるあらゆるサブフレーム（ＳＦ）で送信され、
上記ＤＲＳ機会が発生したＳＦ番号に関する第１シーケンスに基づいて上記ＳＳＳが生成され、
ＳＦ番号１、ＳＦ番号２、ＳＦ番号３及びＳＦ番号４を含む第１ＳＦ番号グループの１つのＳＦ番号に関する第１シーケンスは、ＳＦ番号６、ＳＦ番号７、ＳＦ番号８及びＳＦ番号９を含む第２ＳＦ番号グループの１つのＳＦ番号に関する第１シーケンスとは異なる、基地局。
【請求項１０】
上記第１ＳＦ番号グループの１つのＳＦ番号に関する上記第１シーケンスは、ＳＦ番号０に関する第１シーケンスと同一であり、
上記第２ＳＦ番号グループの１つのＳＦ番号に関する上記第１シーケンスは、ＳＦ番号５に関する第１シーケンスと同一である、請求項９に記載の基地局。
【請求項１１】
上記プロセッサは、上記ＤＲＳを送信する前に上記非免許帯域が遊休状態であるか否かを確認するためのチャネルセンシング過程を行うように構成される、請求項９に記載の基地局。
【請求項１２】
上記ＤＲＳ機会が発生したＳＦ番号に関する第２シーケンスに基づいて上記ＣＲＳが生成され、
上記第１ＳＦ番号グループの１つのＳＦ番号に関する第２シーケンスは、上記第２ＳＦ番号グループの１つのＳＦ番号に関する第２シーケンスとは異なる、請求項９に記載の基地局。
【請求項１３】
上記ＤＲＳは、チャネル状態情報−参照信号（ＣＳＩ−ＲＳ）をさらに含む、請求項９に記載の基地局。
【請求項１４】
上記ＤＲＳ機会が発生したＳＦ番号に関する第３シーケンスに基づいて上記ＣＳＩ−ＲＳが生成され、
前記第１ＳＦ番号グループの１つのＳＦ番号に関する上記第３シーケンスは、前記第２ＳＦ番号グループの１つのＳＦ番号に関する上記第３シーケンスとは異なる、請求項１３に記載の基地局。
【請求項１５】
上記ＤＲＳが物理下りリンク共有チャネル（ＰＤＳＣＨ）無しで送信されることに基づいて、上記プロセッサは、上記非免許帯域が所定の区間で遊休状態であるか否かを決定するためのチャネルセンシング過程に基づいて、上記ＤＲＳを上記ＰＤＳＣＨ無しで送信するように構成される、請求項９に記載の基地局。
【請求項１６】
上記ＤＲＳ機会が発生したＳＦ番号は、上記ＤＲＳを送信するためのチャネルセンシング過程の結果に基づいて、ディスカバリ測定タイミング構成（ＤＭＴＣ）内に含まれる一つのＳＦとして決定される、請求項９に記載の基地局。